(57)【要約】  画像処理プログラムは、複数のカメラで撮影して取得した複数の画像データを読み込む読込処理と、読み込まれた複数の画像データの中から、撮影日時が同一時間帯に重複する画像データを抽出し、抽出された複数の画像データを編集して再生用データを作成する編集処理とをコンピュータで実行する。
2008047643.tif 000002
【特許請求の範囲】
【請求項１】
複数のカメラで撮影して取得した複数の画像データを読み込む読込処理と、
前記読み込まれた複数の画像データの中から、撮影日時が同一時間帯に重複する画像データを抽出し、抽出された前記複数の画像データを編集して再生用データを作成する編集処理とをコンピュータで実行する画像処理プログラム。
【請求項２】
請求項１に記載の画像処理プログラムにおいて、
操作部材から出力される選択指令に応じて、複数の編集モードからいずれか一つの編集モードを選択する選択処理をさらに備え、
前記編集処理は、前記選択処理で選択された編集モードで前記画像データを編集して前記再生用データを作成する画像処理プログラム。
【請求項３】
請求項１に記載の画像処理プログラムにおいて、
前記編集処理は、抽出された複数の画像データから一つの画像データを選択画像データとして選択する画像データ選択処理と、前記選択画像データに基づいて一つの画像を１画面表示するように再生用データを作成する再生用データ作成処理とを含む画像処理プログラム。
【請求項４】
請求項３に記載の画像処理プログラムにおいて、
前記複数のカメラには優先順位が付与されており、
前記画像データ選択処理は、抽出された複数の画像データの中から、最も高い優先順位のカメラで取得した画像データを前記選択画像データとして選択する画像処理プログラム。
【請求項５】
請求項３に記載の画像処理プログラムにおいて、
動画データと静止画データとが抽出された場合、前記画像データ選択処理は、前記静止画データを前記選択画像データとして選択する画像処理プログラム。
【請求項６】
請求項３に記載の画像処理プログラムにおいて、
動画データと静止画データとが抽出された場合、前記画像データ選択処理は、前記動画データを前記選択画像データとして選択する画像処理プログラム。
【請求項７】
請求項３に記載の画像処理プログラムにおいて、
前記画像データ選択処理は、再生時間が最長となる動画データを前記選択画像データとして選択する画像処理プログラム。
【請求項８】
請求項３に記載の画像処理プログラムにおいて、
前記画像データ選択処理は、再生時間が最短となる動画データを前記選択画像データとして選択する画像処理プログラム。
【請求項９】
請求項３に記載の画像処理プログラムにおいて、
前記画像データ選択処理は、抽出された前記複数の画像データのうち、撮影開始時刻が最も後の時刻である画像データを前記選択画像データとして選択する画像処理プログラム。
【請求項１０】
請求項３に記載の画像処理プログラムにおいて、
前記画像データ選択処理は、抽出された複数の画像データのうち、撮影開始時刻が最も前の時刻である画像データを前記選択画像データとして選択する画像処理プログラム。
【請求項１１】
請求項３に記載の画像処理プログラムにおいて、
前記画像データ選択処理は、抽出された前記複数の画像データに基づいて、前記撮影日時の同一時間帯の第１時間帯については、抽出された前記複数の画像データの１つである第１画像データを選択し、前記撮影日時の同一時間帯の中で第１時間帯と異なる第２時間帯については、抽出された前記複数の画像データの中から前記第１画像データと異なる第２画像データを選択する画像処理プログラム。
【請求項１２】
請求項１に記載の画像処理プログラムにおいて、
前記複数の画像データに優先順位を付与する順位付与処理をさらに有し、
前記再生用データは、抽出された前記複数の画像データに対応する画像を表示モニタに大小２画面表示する再生用データであり、
前記編集処理は、高い優先順位が付与された画像データに対応する画像を大画面表示領域に表示し、低い優先順位が付与された画像データに対応する画像を小画面表示領域に表示するように再生用データを作成する画像処理プログラム。
【請求項１３】
請求項１２に記載の画像処理プログラムにおいて、
前記複数のカメラには優先順位が付与され、
前記順位付与処理は、高い優先順位が付与されたカメラで撮影した画像データには高い優先順位を付与し、低い優先順位が付与されたカメラで撮影した画像データには低い優先順位を付与する画像処理プログラム。
【請求項１４】
請求項１３に記載の画像処理プログラムにおいて、
前記編集処理は、前記優先順位の低いカメラにより撮影された前記優先順位の低い画像データに対応する画像であっても、前記優先順位の高いカメラにより撮影された前記優先順位の高い画像データに対応する画像と撮影日時が重複しない画像は、当該画像を前記大画面表示領域に表示するように前記再生用データを作成する画像処理プログラム。
【請求項１５】
請求項１に記載の画像処理プログラムにおいて、
前記複数の画像データに優先順位を付与する順位付与処理と、
動画優先モードと静止画優先モードのいずれか一方を設定するモード設定処理とをさらに有し、
前記再生用データは、抽出された前記複数の画像データに対応する画像を表示モニタに大小２画面表示する再生用データであり、
動画優先モードが設定されている場合、前記編集処理により抽出された複数の画像データの一方が動画、他方が静止画のとき、前記順位付与処理は、前記動画の画像データに高い優先順位を付与し、前記静止画の画像データに低い優先順位を付与し、
前記編集処理は、高い優先順位が付与された画像データに対応する動画を大画面表示領域に表示し、低い優先順位が付与された画像データに対応する静止画を小画面表示領域に表示するように再生用データを作成する画像処理プログラム。
【請求項１６】
請求項１に記載の画像処理プログラムにおいて、
前記複数の画像データに優先順位を付与する順位付与処理と、
動画優先モードと静止画優先モードのいずれか一方を設定するモード設定処理とをさらに有し、
前記再生用データは、抽出された前記複数の画像データに対応する画像を表示モニタに大小２画面表示する再生用データであり、
静止画優先モードが設定されている場合、前記編集処理により抽出された複数の画像データの一方が動画、他方が静止画のとき、前記順位付与処理は、前記静止画の画像データに高い優先順位を付与し、前記動画の画像データに低い優先順位を付与し、
前記編集処理は、高い優先順位が付与された画像データに対応する静止画を大画面表示領域に表示し、低い優先順位が付与された画像データに対応する動画を小画面表示領域に表示するように再生用データを作成する画像処理プログラム。
【請求項１７】
請求項１に記載の画像処理プログラムにおいて、
前記複数の画像データに優先順位を付与する順位付与処理をさらに有し、
前記編集処理は、抽出された前記複数の画像データの撮影開始時刻を比較する処理を含み、
前記再生用データは、抽出された前記複数の画像データに対応する画像を表示モニタに大小２画面表示する再生用データであり、
前記順位付与処理は、前記撮影開始時刻の比較結果に基づいて、遅い撮影開始時刻を有する画像データに高い優先順位を付与し、早い撮影開始時刻を有する画像データに低い優先順位を付与し、
前記編集処理は、高い優先順位が付与された遅い撮影開始時刻を有する画像データに対応する画像を大画面表示領域に表示し、低い優先順位が付与された早い撮影開始時刻を有する画像データに対応する画像を小画面表示領域に表示するように再生用データを作成する画像処理プログラム。
【請求項１８】
請求項１に記載の画像処理プログラムにおいて、
前記編集処理は、動画データと複数の静止画データが抽出された場合、前記動画データに対応する画像の再生開始時刻前または再生終了時刻後に前記複数の静止画データに対応する画像を表示するように前記再生用データを作成する画像処理プログラム。
【請求項１９】
請求項１に記載の画像処理プログラムにおいて、
前記編集処理は、前記読込手段で読み込んだ離散的な複数の動画データを纏めて連続した一つの番組とする処理をさらに含み、前記番組編集処理前の前記複数の動画データと撮影日時が同一時間帯に重複する複数の静止画データを抽出するとともに、前記番組の再生開始時刻前または再生終了時刻後に前記抽出された複数の静止画データに対応する画像を表示するように前記再生用データを作成する画像処理プログラム。
【請求項２０】
請求項１に記載の画像処理プログラムにおいて、
前記編集処理は、静止画データと音声付動画データとが抽出された場合、前記静止画データに対応する画像を表示するとともに、前記音声付き動画データに対応する音声を再生するように前記再生用データを作成する画像処理プログラム。
【請求項２１】
請求項２０に記載の画像処理プログラムにおいて、
前記静止画データに対応する画像の表示中に出力する音声は、ユーザが指定したカメラで撮影された音声付き動画データに対応する音声である画像処理プログラム。
【請求項２２】
請求項１に記載の画像処理プログラムにおいて、
前記編集処理は、音声付動画データと静止画データとが抽出された場合、前記静止画データに対応する画像を表示する際、前記静止画データに対応する画像の表示開始直前に再生していた前記音声付き動画データに対応する音声を再生するように前記再生用データを作成する画像処理プログラム。
【請求項２３】
請求項１に記載の画像処理プログラムにおいて、
前記編集処理は、音声付き静止画データと動画データとが抽出された場合、前記動画データに対応する画像を表示する際に前記音声付き静止画データに対応する音声を再生するように前記再生用データを作成する画像処理プログラム。
【請求項２４】
請求項１に記載の画像処理プログラムにおいて、
前記編集処理は、前記複数の画像の表示の切り換わり時に効果音を生成して再生するように前記再生用データを作成する画像処理プログラム。
【請求項２５】
複数のカメラで撮影して取得した複数の画像データを読み込む読込部と、
前記読み込まれた複数の画像データの中から、撮影日時が同一時間帯に重複する画像データを抽出し、抽出された前記複数の画像データを編集して再生用データを作成する編集部と備える画像処理装置。
【請求項２６】
請求項２５に記載の画像処理装置において、
操作部材から出力される選択指令に応じて、複数の編集モードからいずれか一つの編集モードを選択する選択部をさらに備え、
前記編集部は、前記選択部で選択された編集モードで前記画像データを編集して前記再生用データを作成する画像処理装置。
【請求項２７】
請求項２５に記載の画像処理装置において、
前記編集部は、抽出された前記複数の画像データから一つの画像データを選択画像データとして選択する画像データ選択部と、前記選択画像データに基づいて一つの画像を１画面表示するように再生用データを作成する再生用データ作成手段とを含んで構成される画像処理装置。
【請求項２８】
請求項２５に記載の画像処理装置において、
前記編集部は、静止画データと音声付動画データとが抽出された場合、前記静止画データに対応する画像を表示するとともに、前記音声付き動画データに対応する音声を再生するように前記再生用データを作成する画像処理装置。
【請求項２９】
請求項２５に記載の画像処理装置において、
前記編集部は、音声付き静止画データと動画データとが抽出された場合、前記動画データに対応する画像を表示するとともに、前記音声付き静止画データに対応する音声を再生するように前記再生用データを作成する画像処理装置。
【請求項３０】
複数のカメラで撮影して取得した複数の画像データを読み込み、
前記読み込まれた複数の画像データの中から、撮影日時が同一時間帯に重複する画像データを抽出し、
抽出された前記複数の画像データを編集して再生用データを作成することを特徴とする画像処理方法。
【発明の詳細な説明】
【技術分野】
【０００１】
本発明は、異なるカメラで取得した複数の画像を編集するための画像処理プログラム、画像処理装置および画像処理方法に関する。
【背景技術】
【０００２】
複数の画像データを撮影日時順に配置して、連続再生画像データを作成する画像生成方法が知られている（たとえば、特許文献１）。
【特許文献１】特開２００４−６４３９６号公報
【発明の開示】
【発明が解決しようとする課題】
【０００３】
しかしながら、複数の画像データの撮影日時が同一の時間帯で重複する場合、従来の画像生成方法では、ユーザが手動操作で選択せざるを得ない。
【課題を解決するための手段】
【０００４】
本発明の画像処理プログラムは、複数のカメラで撮影して取得した複数の画像データを読み込む読込処理と、読み込まれた複数の画像データの中から、撮影日時が同一時間帯に重複する画像データを抽出し、抽出された複数の画像データを編集して再生用データを作成する編集処理とをコンピュータに実行させる。
本発明の画像処理プログラムは、操作部材から出力される選択指令に応じて、複数の編集モードからいずれか一つの編集モードを選択する選択処理をさらに備えることができる。この画像処理プログラムにおいては、編集処理は、選択処理で選択された編集モードで画像データを編集して再生用データを作成する。
本発明の画像処理プログラムにおいては、編集処理は、抽出された複数の画像データから一つの画像データを選択画像データとして選択する画像データ選択処理と、選択画像データに基づいて一つの画像を１画面表示するように再生用データを作成する再生用データ作成処理とを含むのが好ましい。【０００５】
選択処理と、再生用データ作成処理とを有する画像処理プログラムにおいて、異なる優先順位が付された複数のカメラで撮像されて取得した複数の画像データの中から、画像データ選択処理は、最も高い優先順位のカメラで取得した画像データを選択画像データとして選択することができる。
選択処理と、再生用データ作成処理とを有する画像処理プログラムにおいて、動画データと静止画データとが抽出された場合、画像データ選択処理は、静止画データを選択画像データとして選択できる。また、動画データと静止画データとが抽出された場合、画像データ選択処理は、動画データを選択画像データとして選択できる。
選択処理と、再生用データ作成処理とを有する画像処理プログラムにおいて、画像データ選択処理は、再生時間が最長となる動画データを選択画像データとして選択するのが好ましい。
選択処理と、再生用データ作成処理とを有する画像処理プログラムにおいて、画像データ選択処理は、再生時間が最短となる動画データを選択画像データとして選択できる。
選択処理と、再生用データ作成処理とを有する画像処理プログラムにおいて、抽出された複数の画像データのうち、撮影開始時刻が最も後の時刻である画像データを選択画像データとして選択することができる。
選択処理と、再生用データ作成処理とを有する画像処理プログラムにおいて、画像データ選択処理は、抽出された複数の画像データのうち、撮影開始時刻が最も前の時刻である画像データを選択画像データとして選択することができる。
選択処理と、再生用データ作成処理とを有する画像処理プログラムにおいて、画像データ選択処理により次のように画像データを選択してもよい。すなわち、抽出された複数の画像データに基づいて、撮影日時の同一時間帯の第１時間帯については、抽出された複数の画像データの１つである第１画像データを選択する。撮影日時の同一時間帯の中で第１時間帯と異なる第２時間帯については、抽出された複数の画像データの中から前記第１画像データと異なる第２画像データを選択する。【０００６】
本発明による画像処理プログラムにおいて、複数の画像データに優先順位を付与する順位付与処理をさらに有することができる。再生用データを、抽出された複数の画像データに対応する画像を表示モニタに大小２画面表示する再生用データとする場合、編集処理は、高い優先順位が付与された画像データに対応する画像を大画面表示領域に表示し、低い優先順位が付与された画像データに対応する画像を小画面表示領域に表示するように再生用データを作成することができる。この場合、異なる優先順位が付された複数のカメラで撮像されて取得した複数の画像データのそれぞれに、順位付与処理は、高い優先順位が付与されたカメラで撮影した画像データには高い優先順位を付与し、低い優先順位が付与されたカメラで撮影した画像データには低い優先順位を付与する。
この編集処理は、優先順位の低いカメラにより撮影された優先順位の低い画像データに対応する画像であっても、優先順位の高いカメラにより撮影された優先順位の高い画像データに対応する画像と撮影日時が重複しない画像に対して、当該画像を大画面表示領域に表示するように再生用データを作成することができる。
本発明による画像処理プログラムは、複数の画像データに優先順位を付与する順位付与処理と、動画優先モードと静止画優先モードのいずれか一方を設定するモード設定処理とをさらに有することができる。再生用データを、抽出された前記複数の画像データに対応する画像を表示モニタに大小２画面表示する再生用データとする場合、編集処理により抽出された複数の画像データの一方が動画、他方が静止画のとき、動画優先モードが設定されていれば、順位付与処理は、動画の画像データに高い優先順位を付与し、静止画の画像データに低い優先順位を付与することができる。再生用データを、抽出された前記複数の画像データに対応する画像を表示モニタに大小２画面表示する再生用データとする場合、編集処理は、高い優先順位が付与された画像データに対応する動画を大画面表示領域に表示し、低い優先順位が付与された画像データに対応する静止画を小画面表示領域に表示するように再生用データを作成する。また、静止画優先モードが設定されていれば、順位付与処理は、静止画の画像データに高い優先順位を付与し、動画の画像データに低い優先順位を付与することができる。編集処理は、高い優先順位が付与された画像データに対応する静止画を大画面表示領域に表示し、低い優先順位が付与された画像データに対応する動画を小画面表示領域に表示するように再生用データを作成する。
本発明による画像処理プログラムは、複数の画像データに優先順位を付与する順位付与処理をさらに有し、編集処理は、抽出された前記複数の画像データの撮影開始時刻を比較する処理を含むように構成することができる。再生用データを、抽出された前記複数の画像データに対応する画像を表示モニタに大小２画面表示する再生用データとする場合、順位付与処理は、撮影開始時刻の比較結果に基づいて、遅い撮影開始時刻を有する画像データに高い優先順位を付与し、早い撮影開始時刻を有する画像データに低い優先順位を付与する。再生用データを、抽出された前記複数の画像データに対応する画像を表示モニタに大小２画面表示する再生用データとする場合、編集処理は、高い優先順位が付与された遅い撮影開始時刻を有する画像データに対応する画像を大画面表示領域に表示し、低い優先順位が付与された早い撮影開始時刻を有する画像データに対応する画像を小画面表示領域に表示するように再生用データを作成する。【０００７】
本発明による画像処理プログラムの編集処理において、動画データと複数の静止画データが抽出された場合、動画データに対応する画像の再生開始時刻前または再生終了時刻後に複数の静止画データに対応する画像を表示するように再生用データを作成することができる。
本発明による画像処理プログラムの編集処理は、読込手段で読み込んだ離散的な複数の動画データを纏めて連続した一つの番組とする処理をさらに含むように構成することができる。このような編集処理では、番組編集処理前の複数の動画データと撮影日時が同一時間帯に重複する複数の静止画データを抽出するとともに、番組の再生開始時刻前または再生終了時刻後に前記抽出された複数の静止画データに対応する画像を表示するように再生用データを作成する。【０００８】
本発明による画像処理プログラムの編集処理は、以下の（ｉ）〜（ｉｖ）のように構成してもよい。
（ｉ）静止画データと音声付動画データとが抽出された場合、静止画データに対応する画像を表示するとともに、音声付き動画データに対応する音声を再生するように再生用データを作成することができる。この場合、静止画データに対応する画像の表示中に出力する音声は、ユーザが指定したカメラで撮影された音声付き動画データに対応する音声であることが好ましい。【０００９】
（ｉｉ）音声付動画データと静止画データとが抽出された場合、静止画データに対応する画像を表示する際、静止画データに対応する画像の表示開始直前に再生していた音声付き動画データに対応する音声を再生するように再生用データを作成してもよい。
（ｉｉｉ）音声付き静止画データと動画データとが抽出された場合、動画データに対応する画像を表示する際に音声付き静止画データに対応する音声を再生するように再生用データを作成してもよい。
（ｉｖ）複数の画像の表示の切り換わり時に効果音を生成して再生するように再生用データを作成してもよい。【００１０】
本発明の画像処理装置は、複数のカメラで撮影して取得した複数の画像データを読み込む読込部と、読み込まれた複数の画像データの中から、撮影日時が同一時間帯に重複する画像データを抽出し、抽出された複数の画像データを編集して再生用データを作成する編集部と備える。この画像処理装置は、操作部材から出力される選択指令に応じて、複数の編集モードからいずれか一つの編集モードを選択する選択部をさらに備える。編集部は、選択部で選択された編集モードで画像データを編集して再生用データを作成する。
上記の画像処理装置の編集部は、抽出された複数の画像データから一つの画像データを選択画像データとして選択する画像データ選択部と、選択画像データに基づいて一つの画像を１画面表示するように再生用データを作成する再生用データ作成手段とを含んで構成されるのが好ましい。また、この編集部は、静止画データと音声付動画データとが抽出された場合、静止画データに対応する画像を表示するとともに、音声付き動画データに対応する音声を再生するように再生用データを作成することができる。さらに、この画像処理装置の編集部は、音声付き静止画データと動画データとが抽出された場合、動画データに対応する画像を表示するとともに、音声付き静止画データに対応する音声を再生するように再生用データを作成することもできる。【００１１】
本発明の画像処理方法は、複数のカメラで撮影して取得した複数の画像データを読み込み、読み込まれた複数の画像データの中から、撮影日時が同一時間帯に重複する画像データを抽出し、抽出された前記複数の画像データを編集して再生用データを作成する。
【発明の効果】
【００１２】
本発明によれば、撮影日時が同一時間帯で重複する画像データを抽出して再生用データを作成することができる。
【図面の簡単な説明】
【００１３】
【図１】実施の形態における画像処理装置の要部構成を説明するブロック図
【図２】実施の形態における画像処理装置に保存されている画像用フォルダの概要を示す図
【図３】メニュー画面の一例を説明する図
【図４】動画編集処理における各モードの関係を説明する図
【図５】優先カメラ設定モードにおける組合表示モードで表示される動画を示すタイムチャート
【図６】優先カメラ設定モードにおける一方のみ表示モードで表示される動画を示すタイムチャート
【図７】長時間優先モードにおける組合表示モードで表示される動画を示すタイムチャート
【図８】長時間優先モードにおける一方のみ表示モードで表示される動画を示すタイムチャート
【図９】シーン開始優先モードにおいて表示される動画を示すタイムチャート
【図１０】一定時間切替モードにおいて表示される動画を示すタイムチャート
【図１１】並列表示モードにおいて表示される動画を示すタイムチャート
【図１２】小画面表示モードにおける優先カメラ設定モードで表示される動画を示すタイムチャート
【図１３】小画面表示モードにおけるシーン開始優先モードで表示される動画を示すタイムチャート
【図１４】静止画編集処理における各モードの関係を説明する図
【図１５】優先カメラ設定モードにおける組合表示モードで表示される動画と静止画を示すタイムチャート
【図１６】優先カメラ設定モードにおける一方のみ表示モードで表示される動画と静止画を示すタイムチャート
【図１７】長時間優先モードにおける組合表示モードで表示される動画と静止画を示すタイムチャート
【図１８】長時間優先モードにおける一方のみ表示モードで表示される動画と静止画を示すタイムチャート
【図１９】シーン開始優先モードにおいて表示される動画と静止画を示すタイムチャート
【図２０】一定時間切替モードにおいて表示される動画と静止画を示すタイムチャート
【図２１】並列表示モードにおいて表示される動画と静止画を示すタイムチャート
【図２２】小画面表示モードにおける優先カメラ設定モードで表示される動画と静止画を示すタイムチャート
【図２３】小画面表示モードにおける優先カメラ設定モードで表示される動画と静止画を示すタイムチャート
【図２４】小画面表示モードにおけるシーン開始優先モードで表示される動画と静止画を示すタイムチャート
【図２５】動画前後集約モードにおいて表示される動画と静止画を示すタイミングチャート
【図２６】番組前後集約モードにおいて表示される番組と静止画を示すタイミングチャート
【図２７】動画音声設定モードにおいて再生される音声を示すタイミングチャート
【図２８】静止画音声設定モードにおいて再生される音声を示すタイミングチャート
【図２９】実施の形態による画像編集における各処理を説明するフローチャート
【図３０】音声編集処理における各処理を説明するフローチャート
【図３１】静止画編集処理における各処理を説明するフローチャート
【図３２】動画編集処理における各処理を説明するフローチャート
【図３３】短時間優先モードにおける組合表示モードで表示される動画を示すタイムチャート
【図３４】短時間優先モードにおける一方のみ表示モードで表示される動画を示すタイムチャート
【図３５】変形例におけるシーン開始優先モードで表示される動画を示すタイムチャート
【図３６】プログラム製品を提供するために用いる機器の全体構成を説明する図
【発明を実施するための最良の形態】
【００１４】
以下、図面を参照しながら、本発明の一実施の形態を説明する。図１は一実施の形態による画像処理装置の要部構成を説明するブロック図である。画像処理装置１００は、入力装置１０１と、ＨＤＤ（ハードディスクドライブ）１０２と、外部インタフェース１０３と、ＣＰＵ１０４と、モニタ１０５と、スピーカ１０６と、メモリ１０７と、モニタ用インタフェース１０８と、スピーカ用インタフェース１０９とを備えている。【００１５】
入力装置１０１は、使用者によって操作され、たとえばキーボードやマウスなどで構成される。ＨＤＤ１０２には、たとえば電子カメラ２００で撮影した動画や静止画に対応する画像データなどが記憶されている。外部インタフェース１０３は、たとえば画像処理装置１００に電子カメラ２００などの外部機器を接続するＵＳＢインタフェースである。画像処理装置１００は、外部インタフェース１０３を介して外部機器から画像ファイルなどを読み込む。読み込まれた画像ファイルは、ＣＰＵ１０４によりＨＤＤ１０２に記憶される。【００１６】
取り込まれた画像ファイルのうち、動画データおよび動画データに付随する音声データは、ＨＤＤ１０２のカメラの機器ごとに固有のフォルダに保存される。図２に示すＨＤＤ１０２には、カメラＡ用動画フォルダＦ１とカメラＢ用動画フォルダＦ２が作成されている。また、静止画データおよび静止画データに付随する音声データは、カメラの機器によらず、静止画像フォルダＳＦに保存される。【００１７】
ＣＰＵ１０４は、画像処理装置１００の制御を行なうマイクロコンピュータである。ＣＰＵ１０４は、ＲＯＭに記録されている画像編集プログラムを実行して、ＨＤＤ１０２に保存されている画像データを編集して再生用データを作成する。メモリ１０７はＣＰＵ１０４のワーキングメモリであり、たとえば、ＳＤＲＡＭにより構成される。モニタ１０５は、たとえば液晶モニタやＣＲＴモニタである。モニタ１０５には、再生用データに対応する画像および画像編集操作に関するメニュー画面などが表示される。また、画像データに音声データが付随していれば、音声データに基づいてスピーカ１０６により音声が再生される。【００１８】
次に、画像編集処理について説明する。使用者が入力装置１０１を操作してＣＰＵ１０４により画像編集プログラムを起動すると、画像編集処理が開始する。この実施の形態による画像処理装置１００では、動画編集処理と静止画編集処理と音声編集処理とを実行することができる。ＣＰＵ１０４は、それぞれの編集処理を適宜組み合わせて画像データを編集して再生用データを作成する。上記の各編集処理における設定操作は、モニタ１０５の画面を介して行われる。たとえば図３に示すような独立したメニュー画面がモニタ１０５に表示され、入力装置１０１を介して各種編集処理の設定が行なわれる。図３のメニュー画面については後述する。【００１９】
画像編集に用いる画像データは、図示しない編集対象画像選択画面上で使用者が入力装置１０１を操作して選択される。ユーザが編集対象とすべき動画データは、ＣＰＵ１０４によって、ＨＤＤ１０２にカメラごとに設定された固有のフォルダから読み込まれる。ユーザが編集対象とすべき静止画データは、ＣＰＵ１０４によって、ＨＤＤ１０２の静止画フォルダＳＦから読み込まれる。これらの動画データおよび静止画データはいったんメモリ１０７に格納される。ＣＰＵ１０４は、メモリ１０７に格納された画像データのＥＸＩＦ情報を参照して、画像データの撮影日時を読み出して、撮影日時が同一時間帯で重複する画像データを抽出する。動画データと静止画データが単独で選択されている場合は、動画や静止画だけが編集対象となり、編集後の再生データは動画再生データとなる。動画データと静止画データがそれぞれ選択されている場合は、動画と静止画とが混在した再生データとなる。【００２０】
ＥＸＩＦ情報とは、画像ファイルに添付されている画像の各種情報をＥＸＩＦ規格に則って記録したものである。ＥＸＩＦ情報として、撮影日時を記録する領域、各種撮影条件を記録する領域、各ベンダーが任意に使用できる任意領域などが含まれる。なお、動画データは所定フレームレートで撮影された複数の静止画データで構成されている。したがって、動画開始時刻を基準として、静止画コマ数とフレームレートとから途中の撮影時刻や撮影終了時刻を計算することができる。また、動画のタグ情報に動画データの撮影時間長を記録してもよい。【００２１】
撮影日時が同一時間帯で重複する複数の画像データが抽出されると、ＣＰＵ１０４は、後述する動画編集処理、静止画編集処理、音声編集処理に応じて画像データを編集して再生データを作成する。ＣＰＵ１０４は、選択された画像データに基づいて、モニタ１０５に表示するための再生用データを作成する。ＣＰＵ１０４は、選択した画像データ、すなわち再生用データをモニタ用インタフェース１０８を介して、モニタ１０５に画像として表示する。また、ＣＰＵ１０４は、選択した画像データに音声データが付随するものであれば、スピーカ用インタフェース１０９を介して、スピーカ１０６により音声を再生する。【００２２】
以下、各編集処理について詳細に説明する。まず、動画編集処理について説明する。
−動画編集処理−
図３および図４に示すように、動画編集処理はつぎの２つのモードに大きく分類され、入力装置１０１の操作によりいずれかのモードが選択される。
Ａ：切替表示モード
Ｂ：同時表示モード【００２３】
切替表示モードでは、ＣＰＵ１０４は、１つの画像がモニタ１０５に１画面表示されるように再生用データを作成する。同時表示モードでは、ＣＰＵ１０４は、２つの画像がモニタ１０５に２画面表示されるように再生用データを作成する。なお、動画編集処理における各モードを図４に示す。【００２４】
−−Ａ：切替表示モード−−
切替表示モードはさらに次の４つのモードに分類される。
A１：優先カメラ設定モード
Ａ２：長時間動画優先モード
Ａ３：シーン開始優先モード
Ａ４：一定時間切替モード【００２５】
それぞれのモードの選択、設定は、入力装置１０１の操作によって、図３に示すように、モニタ１０５に表示されるメニュー画面にて行なわれる。切替表示モードにおいては、編集対象となる画像に対して上記４つのモードに応じた編集が行われる。【００２６】
Ａ１：切替表示モードの優先カメラ設定モード
優先カメラ設定モードは、複数のカメラで撮影された動画データの撮影日時が同一時間帯で重複する場合に、優先順位の高い動画データを選択するモードである。図４（ａ）に示すように、優先カメラ設定モードはまた次の２つのモードを有する。
Ａ１−１：組合表示モード
Ａ１−２：一方のみ表示モード【００２７】
優先カメラＡと非優先カメラＢが設定されている場合について説明する。なお、以下では、ＣＰＵ１０４は、編集対象画像データに対して、各画像データが有する撮影日時情報、すなわち撮影時刻を基準として編集処理を実行し、モニタ１０５に再生画像を再生表示するものとして説明する。【００２８】
(Ａ１−１：組合表示モード)
組合表示モードでは、カメラＡ，Ｂで撮影された動画データの撮影日時が同一時間帯で重複する場合、ＣＰＵ１０４は優先カメラＡの動画データを再生画像データとして優先して選択する。また、カメラＡ，Ｂで撮影された動画データの撮影日時が同一時間帯で重複しない場合、ＣＰＵ１０４は単独でその時間帯に存在する動画データを選択する。
なお後述するが、一方のみ表示モードでは、ＣＰＵ１０４は優先カメラＡの動画データだけを再生画像データとして選択する。したがって、撮影時刻が同一時間帯で重複する非優先カメラＢによる動画データは単独で存在しても選択されない。撮影時刻が同一時間帯で重複しない非優先カメラＢによる動画データは再生画像として選択される。【００２９】
優先カメラの設定は、モニタ１０５に表示されたメニュー画面で、使用者の入力装置１０１の操作により行われる。図３（ａ）の優先カメラ設定表示モードを選択し、第１優先カメラのプルダウンメニューを操作すると、図３（ｂ）に示す画面表示となる。図３（ｂ）の画面上の１〜４のいずれかを選択して第１優先カメラが設定される。第２優先カメラのプルダウンメニューを操作した場合も同様に、図３（ｂ）に示す画面表示となる。図３（ｂ）の画面上の１〜４のいずれかを選択して第２優先カメラが設定される。【００３０】
組合表示モードにおいて、ＣＰＵ１０４は、撮影日時が同一時間帯で重複する複数の動画データを、設定された優先順位に従って選択する。ある時間帯で択一的に選択されている動画データが非優先カメラの動画データであり、その動画終了時刻までに優先順位の高い動画データの撮影が開始される場合、ＣＰＵ１０４は、その開始時刻以降は優先順位の高い動画データを選択する。図５を参照しながら、優先カメラ設定モードにおける組合表示モードについて説明する。なお、図５においては、横軸を時間軸とし、動画データＡは電子カメラ２００Ａで、動画データＢは電子カメラ２００Ｂで、動画データＣは電子カメラ２００Ｃで撮影された動画データである。【００３１】
（組合表示モードの例示）
図５（ａ）は、動画データＡ以外に同一時間帯で重複する他の動画データが存在しない場合を示す。この場合、ＣＰＵ１０４により動画データＡが再生画像データとして選択され、動画データＡに対応する動画Ａがモニタ１０５に表示される。【００３２】
図５（ｂ）〜（ｄ）は、優先カメラとして電子カメラ２００Ａが選択された場合、すなわち、動画データＡが優先データの場合の再生画像選択処理を説明する図である。【００３３】
図５（ｂ）に示す例では、動画データＡは時刻ｔ２〜ｔ３に撮影され、動画データＢは時刻ｔ１〜ｔ４に撮影された画像データである。なお、動画データＢのうち、時刻ｔ１〜ｔ２に対応する動画データをＢａ、時刻ｔ２〜ｔ３に対応する動画データをＢｂ、時刻ｔ３〜ｔ４に対応する動画データをＢｃとする。すなわち、図５（ｂ）の例では、時刻ｔ２〜ｔ３の間において、動画データＡとＢｂが重複している。【００３４】
ＣＰＵ１０４により、撮影時刻ｔ１で動画データＢａが選択され、動画データＡの撮影開始時刻ｔ２までモニタ１０５に動画Ｂａが表示される。時刻ｔ２は動画データＡの撮影開始時刻であり、時刻ｔ２以降、動画データＢより優先する動画データＡがＣＰＵ１０４により選択され、動画データＡの撮影終了時刻ｔ３までモニタ１０５には動画Ａが表示される。時刻ｔ３で動画データＡが終了すると、時刻ｔ３〜ｔ４まで、ＣＰＵ１０４により動画データＢｃが選択され、モニタ１０５には、動画Ｂｃが表示される。すなわち、ＣＰＵ１０４は、動画データＢが選択されているときに優先順位の高い動画データＡの撮影開始時刻になると、動画データＡを選択する。したがって、モニタ１０５には、動画データＢに対応する動画Ｂが表示されている途中に、動画Ａが割り込んで表示される。【００３５】
図５（ｃ）において、動画データＡは時刻ｔ１〜ｔ４に撮影され、動画データＢは時刻ｔ２〜ｔ３に撮影された画像データである。なお、動画データＡのうち、時刻ｔ１〜ｔ２に対応する動画データをＡａ、時刻ｔ２〜ｔ３に対応する動画データＡｂ、時刻ｔ３〜ｔ４に対応する動画データをＡｃとする。すなわち、図５（ｃ）の例では、時刻ｔ２〜ｔ３の間において、動画データＡｂとＢが重複している。【００３６】
動画データＡは動画データＢに対して優先するので、時刻ｔ２〜ｔ３の間で動画Ａｂと動画Ｂが重複しても、ＣＰＵ１０４により、撮影時刻ｔ１〜ｔ４において動画データＡが選択され、モニタ１０５には動画Ａが表示される。【００３７】
図５（ｄ）において、動画データＡは時刻ｔ１〜ｔ３に撮影され、動画データＢは時刻ｔ２〜ｔ４に撮影された画像データである。なお、動画データＡのうち、時刻ｔ１〜ｔ２に対応する動画データをＡａ、時刻ｔ２〜ｔ３に対応する動画データＡｂとする。動画データＢのうち、時刻ｔ２〜ｔ３に対応する動画データをＢａ、時刻ｔ３〜ｔ４に対応する動画データをＢｂとする。すなわち、図５（ｄ）の例では、時刻ｔ２〜ｔ３の間において、動画データＡｂとＢａが重複している。【００３８】
動画データＡは動画データＢに対して優先する。時刻ｔ２〜ｔ３の間で動画Ａｂと動画Ｂａが重複しても、ＣＰＵ１０４により、撮影時刻ｔ１〜ｔ３において動画データＡが選択される。時刻ｔ３以降は動画データＡは存在しないので、ＣＰＵ１０４により、時刻ｔ４まで動画データＢｂが選択される。したがって、モニタ１０５には、優先順位の高い動画データＡに対応する動画Ａが時刻ｔ１〜時刻ｔ３の間で表示され、時刻ｔ３〜時刻ｔ４の間で動画データＢｂに対応する動画Ｂｂが表示される。すなわち、動画Ｂは撮影時間の途中から表示される。【００３９】
図５（ｅ）および（ｆ）は、３台のカメラＡ〜Ｃにより撮影された動画データＡ〜Ｃが編集対象であり、動画データＡを第１優先、動画データＢを第２優先としている場合を示している。動画データＡは動画データＢに優先し、動画データＢは動画データＣに優先する。【００４０】
図５（ｅ）において、第１優先の動画データＡは時刻ｔ３〜ｔ４の間に撮影され、第２優先の動画データＢは時刻ｔ１〜ｔ５の間に撮影され、動画データＣは時刻ｔ２〜ｔ６の間に撮影された画像データである。すなわち、時刻ｔ２〜時刻ｔ５間では動画データＢとＣとが重複し、時刻ｔ３〜時刻ｔ４間では動画データＡ、ＢおよびＣが重複している。【００４１】
なお、動画データＢのうち、時刻ｔ１〜ｔ３に対応する動画データをＢａ、時刻ｔ３〜ｔ４に対応する動画データをＢｂ、時刻ｔ４〜ｔ５に対応する動画データをＢｃとする。
また、動画データＣのうち、時刻ｔ２〜ｔ３に対応する動画データをＣａ、時刻ｔ３〜ｔ４に対応する動画データＣｂ、時刻ｔ４〜ｔ５に対応する動画データをＣｃ、時刻ｔ５〜ｔ６に対応する動画データをＣｄとする。【００４２】
時刻ｔ１で、ＣＰＵ１０４により動画データＢが選択される。動画データＢは動画データＣよりも優先順位が高く設定されているので、ＣＰＵ１０４により、時刻ｔ２で動画データＣの撮影開始時刻になっても動画データＢが選択され続ける。動画データＢよりも優先順位の高い動画データＡの撮影開始時刻ｔ３では、ＣＰＵ１０４により、動画データＢに代わり動画データＡが選択される。動画データＡの撮影終了時刻ｔ４では、ＣＰＵ１０４により、動画データＣに優先する第２優先の動画データＢｃが選択される。動画データＢの撮影終了時刻ｔ５では、優先順位の高い動画データＡおよびＢが存在していないので、ＣＰＵ１０４により、動画データＣｄが選択される。以後、動画データＣの撮影終了時刻ｔ６まで、ＣＰＵ１０４により、動画データＣが選択されて、動画データＣｄに対応する動画Ｃｄがモニタ１０５に表示される。【００４３】
図５（ｆ）において、第１優先の動画データＡは時刻ｔ３〜ｔ４の間に撮影され、第２優先の動画データＢは時刻ｔ１〜ｔ６の間に撮影され、動画データＣは時刻ｔ２〜ｔ５の間に撮影された画像データである。すなわち、時刻ｔ２〜時刻ｔ５間では動画データＢとＣとが重複し、時刻ｔ３〜時刻ｔ４間では動画データＡ、ＢおよびＣが重複している。【００４４】
なお、動画データＢのうち、時刻ｔ１〜ｔ３に対応する動画データをＢａ、時刻ｔ３〜ｔ４に対応する動画データをＢｂ、時刻ｔ４〜ｔ６に対応する動画データをＢｃとする。
また、動画データＣのうち、時刻ｔ２〜ｔ３に対応する動画データをＣａ、時刻ｔ３〜ｔ４に対応する動画データＣｂ、時刻ｔ４〜ｔ５に対応する動画データをＣｃとする。【００４５】
時刻ｔ１で、ＣＰＵ１０４により動画データＢが選択される。動画データＢは動画データＣよりも優先順位が高く設定されている。ＣＰＵ１０４により、時刻ｔ２で動画データＣの撮影開始時刻になっても動画データＢが選択され続ける。動画データＢよりも優先順位の高い動画データＡの撮影開始時刻ｔ３では、ＣＰＵ１０４により、動画データＡが選択される。動画データＡの撮影終了時刻ｔ４では、ＣＰＵ１０４により、第２優先の動画データＢｃが選択され、時刻ｔ４〜ｔ５の間で優先順位の低い動画データＣが重複するが、ＣＩＰ１０４により、引き続き、動画データＢｃが選択される。そして、以後、動画データＢの撮影終了時刻ｔ６まで、ＣＰＵ１０４により、動画データＢｃが選択される。【００４６】
（Ａ１−２：一方のみ表示モード）
次に、図４（ｂ）に示す一方のみ表示モードについて説明する。一方のみ表示モードでは、撮影日時が同一時間帯で複数の動画データが重複している場合、ＣＰＵ１０４は優先データとして選択されない動画データを選択しない。すなわち、組合表示モードの場合とは異なり、複数の動画のうち優先順位が最も高い動画のみがモニタ１０５に表示される。図６を参照しながら、優先カメラ設定モードにおける一方のみ表示モードについて説明する。【００４７】
（一方のみ表示モードの例示）
図６（ａ）は、図５（ａ）と同様に、動画データＡ以外に同一時間帯で重複する他の動画データが存在しない場合を示す。この場合、ＣＰＵ１０４により動画データＡが選択され、動画データＡに対応する動画Ａがモニタ１０５に再生表示される。【００４８】
図６（ｂ）に示す例では、図５（ｂ）と同様に、優先データである動画データＡは時刻ｔ２〜ｔ３に撮影され、非優先データである動画データＢは時刻ｔ１〜ｔ４に撮影された画像データである。この場合、優先順位の低い動画データＢの撮影開始時刻である時刻ｔ１において、動画データＢはＣＰＵ１０４により選択されず、モニタ１０５には画像Ｂは表示されない。優先データである動画データＡの撮影開始時刻である時刻ｔ２になると、動画データＡがＣＰＵ１０４により選択される。動画データＡの撮影終了時刻である時刻ｔ３になると、ＣＰＵ１０４による動画データＡの選択が終了される。すなわち、モニタ１０５による動画Ａの表示が終了する。時刻ｔ３以降も動画データＢは存在するが、優先順位が低いためＣＰＵ１０４により動画データＢｃは選択されない。したがって、モニタ１０５には、時刻ｔ２〜ｔ３の間の優先順位の高い動画ＡだけがＣＰＵ１０４により表示される。【００４９】
図６（ｃ）に示す例では、図５（ｄ）と同様に、動画データＡは時刻ｔ１〜ｔ３に撮影され、動画データＢは時刻ｔ２〜ｔ４に撮影された画像データである。この場合、優先データである動画データＡの撮影開始時刻である時刻ｔ１で、動画データＡがＣＰＵ１０４により選択される。時刻ｔ２になると、動画データＢの撮影開始時刻となるが、ＣＰＵ１０４により優先順位の高い動画データＡｂの選択が継続される。動画データＡの撮影終了時刻である時刻ｔ３になると、ＣＰＵ１０４による動画データＡの選択が終了される。すなわち、モニタ１０５による動画Ａの表示が終了する。このとき、動画データＢの撮影時間は継続しているが、優先順位が低いためＣＰＵ１０４により動画データＢｂは選択されない。したがって、モニタ１０５には、図６（ｂ）の場合と同様に、優先順位の高い動画Ａだけが表示される。【００５０】
図６（ｄ）は、優先データとして選択された動画データＡの撮影時間が時刻ｔ１〜ｔ２までの間であり、動画データＢの撮影時間が時刻ｔ３〜ｔ４までの間であり、動画データＡおよびＢが重複しない場合を示す。時刻ｔ１〜時刻ｔ２までの間に存在する動画データＡと、時刻ｔ３〜時刻ｔ４までの間に存在する動画データＢがＣＰＵ１０４により選択される。この場合、動画データＡの画像と動画データＢの画像が連続してモニタ１０５に表示される。すなわち、一方のみ表示モードが設定された場合であっても、複数の動画データが同時刻で重複しない場合は、それぞれの動画データに対応する動画が連続画像として再生表示される。【００５１】
図６（ｅ）に示す例では、図５（ｅ）と同様に、第１優先の動画データＡは時刻ｔ３〜ｔ４の間に撮影され、第２優先の動画データＢは時刻ｔ１〜ｔ５の間に撮影され、非優先データである動画データＣは時刻ｔ２〜ｔ６の間に撮影された画像データである。第１優先データである動画データＡよりも優先順位の低い動画データＢの撮影開始時刻である時刻ｔ１、または非優先の動画データＣの撮影開始時刻である時刻ｔ２になっても、ＣＰＵ１０４は動画データを選択しない。時刻ｔ３〜ｔ４では第１優先の動画データＡが選択される。時刻ｔ４〜ｔ５では第２優先の動画データＢと非優先の動画データＣが重複して存在し、時刻ｔ５〜ｔ６では非優先の画像データＣのみが存在する。しかし、画像データＢおよびＣは第１優先の画像データＡと重複する画像データであるので、いずれの画像データもＣＰＵ１０４により選択されない。つまり、図６（ｅ）の例では、時刻ｔ３〜ｔ４の動画ＡだけがＣＰＵ１０４により選択されて表示される。【００５２】
図６（ｆ）は、第１優先データとして選択された動画データＡの撮影時間が時刻ｔ１〜ｔ２までの間であり、第２優先データとして選択された動画データＢの撮影時間が時刻ｔ４〜ｔ６までの間であり、非優先の動画データＣの撮影時間が時刻ｔ３〜ｔ５までの間である場合を示す。この場合、時刻ｔ１〜ｔ２で動画データＡがＣＰＵ１０４により選択される。時刻ｔ３〜ｔ４では非優先の画像データＣだけが存在するが、画像データＣは時刻ｔ４〜ｔ５で第２優先の画像データＢと重複しているからＣＰＵ１０４により選択されない。時刻ｔ５〜ｔ６までは動画データＢのみが存在する。動画データＢは動画データＣに優先し、動画データＢは動画データＡといずれの時間帯でも重複していない。したがって、時刻４〜ｔ６に存在する動画データＢがＣＰＵ１０４により選択される。時刻ｔ１以降、動画ＡおよびＢは連続画像としてＣＰＵ１０４により再生表示される。【００５３】
図６（ｇ）は、第１優先データとして選択された動画データＡの撮影時間が時刻ｔ１〜ｔ２までの間であり、第２優先データとして選択された動画データＢの撮影時間が時刻ｔ５〜ｔ６までの間であり、動画データＣの撮影時間が時刻ｔ３〜ｔ４までの間である場合、つまり、３つの動画データが同一時間帯で重複しない場合を示す。この場合は、時刻ｔ１〜時刻ｔ２までの間は動画データＡが、時刻ｔ３〜時刻ｔ４までの間は動画データＣが、時刻ｔ５〜時刻ｔ６までの間は動画データＢがＣＰＵ１０４により選択される。すなわち、一方のみ表示モードが設定された場合であっても、撮影日時が同一時間帯で複数の動画データが重複しない場合は、優先データの設定に依存せず、それぞれの動画データがＣＰＵ１０４に選択される。【００５４】
Ａ２：切替表示モードの長時間動画優先モード
長時間動画優先モードは、撮影日時が同一の時間帯において複数の動画データが重複する場合に、再生時間が長くなる動画データを優先して選択するモードである。図４（ｃ）に示すように、長時間動画優先モードはまた次の２つのモードを有し、入力装置１０１により選択して設定される。
Ａ２−１：組合表示モード
Ａ２−２：一方のみ表示モード【００５５】
（Ａ２−１：組合表示モード）
図７を参照しながら、長時間動画優先モードの組合表示モードについて説明する。ＣＰＵ１０４は、同一時間帯で重複する複数の動画データの中から、撮影時間の長い動画データの撮影開始時刻になると、その動画データに選択を切り替える。撮影時間長の計算は、たとえば、動画データを構成する静止画データのコマ数と静止画のフレームレートを乗算して計算できる。撮影終了時刻が記録されている場合は、撮影終了時刻から撮影開始時刻を減算して計算することができる。以下では、情報として撮影時間長が記録されているものとして説明する。なお、編集後の画像データの再生時間はその画像データの撮影時間と等しくなる。【００５６】
（組合表示モードの例示）
図７（ａ）は、図５（ａ）および図６（ａ）の場合と同様に、動画データＡ以外に同一時間帯で重複する他の動画データが存在しない場合を示す。この場合、ＣＰＵ１０４により動画データＡが選択され、動画データＡに対応する動画Ａがモニタ１０５に再生表示される。【００５７】
図７（ｂ）に示す例では、図５（ｂ）および図６（ｂ）と同様に、動画データＡは時刻ｔ２〜ｔ３に撮影され、動画データＢは時刻ｔ１〜ｔ４に撮影された画像データである。時刻ｔ１で、ＣＰＵ１０４により動画データＢが選択される。時刻ｔ２において、動画データＡの撮影開始時刻となる。ＣＰＵ１０４は動画データＡとＢのタグ情報における撮影時間長を比較する。比較の結果、動画データＢの撮影時間の方が長いので、ＣＰＵ１０４により動画データＢの選択が優先される。以後、ＣＰＵ１０４による動画データＢの選択が、時刻ｔ４まで継続して行なわれる。したがって、動画データＡはＣＰＵ１０４により選択されない。【００５８】
図７（ｃ）に示す例では、図５（ｄ）および図６（ｃ）と同様に、動画データＡは時刻ｔ１〜ｔ３に撮影され、動画データＢは時刻ｔ２〜ｔ４に撮影された画像データである。時刻ｔ１で動画データＡがＣＰＵ１０４により選択される。時刻ｔ２〜ｔ３の間では動画データＡとＢが重複する。ＣＰＵ１０４は、上述したようにして動画データＡと動画データＢの撮影時間を比較し、動画データＡの撮影時間の方が長いので、動画データＡがＣＰＵ１０４により優先されて選択される。時刻ｔ３〜ｔ４では画像データＢのみが存在し、ＣＰＵ１０４は、動画データＢが最長の撮影時間を持つ動画データと判別して動画データＢを選択する。したがって、時刻ｔ１〜ｔ３は動画データＡに対応する動画Ａが表示され、時刻ｔ３〜ｔ４は動画データＢｂに対応する動画Ｂｂが表示される。【００５９】
図７（ｄ）に示す例では、電子カメラ２００Ａで撮影された異なる２つの動画データＡ１およびＡ２と、電子カメラ２００Ｂで撮影された動画データＢと示す。動画データＡ１の撮影時間は時刻ｔ１〜ｔ３までの間であり、動画データＢの撮影時間は時刻ｔ２〜ｔ５までの間であり、動画データＡ２の撮影時間は時刻ｔ４〜ｔ６までの間である。動画データＡ１と動画データＢとが時刻ｔ２〜ｔ３までの間で重複し、動画データＡ２と動画データＢとが時刻ｔ４〜ｔ５までの間で重複している。【００６０】
図７（ｄ）に示す例では、時刻ｔ１で、ＣＰＵ１０４により動画データＡ１が選択される。動画データＢの撮影開始時刻である時刻ｔ２になると、ＣＰＵ１０４は動画データＡ１と動画データＢの撮影時間を比較する。比較の結果、ＣＰＵ１０４により撮影時間の長い動画データＢが選択される。動画データＡ２の撮影開始時刻である時刻ｔ４になると、ＣＰＵ１０４は動画データＡ２と動画データＢの撮影時間を比較する。比較の結果、ＣＰＵ１０４により動画データＢよりも撮影時間の長い動画データＡ２が選択される。これ以後、動画データＡ２よりも撮影時間の長い動画データが存在しないので、ＣＰＵ１０４により動画データＡ２の選択が時刻ｔ６まで継続される。すなわち、ある時刻で複数の動画データが重複した場合は、ＣＰＵ１０４により撮影時間が最長の動画データが優先して選択される。【００６１】
図７（ｅ）は、動画データＡの撮影時間が時刻ｔ３〜ｔ４までの間であり、動画データＢの撮影時間が時刻ｔ１〜ｔ５までの間であり、動画データＣの撮影時間が時刻ｔ２〜ｔ６までの間であり、動画データＣの撮影時間が３つの動画データの中で最長の場合を示す。動画データＢと動画データＣとが時刻ｔ２〜ｔ５までの間で重複し、動画データＡ、動画データＢおよび動画データＣが時刻ｔ３〜ｔ４までの間で重複している。【００６２】
図７（ｅ）の例では、時刻ｔ１で、ＣＰＵ１０４により動画データＢが選択される。動画データＣの撮影開始時刻である時刻ｔ２において、ＣＰＵ１０４により撮影時間が最長である動画データＣが選択される。これ以後、動画データＣよりも撮影時間の長い動画データが存在しないので、ＣＰＵ１０４による動画データＣの選択が時刻ｔ６まで継続される。【００６３】
図７（ｆ）は、図５（ｆ）と同様の例を示す。図７（ｆ）において、動画データＡは時刻ｔ３〜ｔ４の間に撮影され、動画データＢは時刻ｔ１〜ｔ６の間に撮影され、動画データＣは時刻ｔ２〜ｔ５の間に撮影された画像データである。すなわち、時刻ｔ２〜時刻ｔ５間では動画データＢとＣとが重複し、時刻ｔ３〜時刻ｔ４間では動画データＡ、ＢおよびＣが重複している。時刻ｔ１でＣＰＵ１０４に選択された動画データＢよりも撮影時間の長い動画データが存在しない。したがって、時刻ｔ１〜時刻ｔ６までの間、ＣＰＵ１０４による動画データＢの選択が継続される。したがって、ＣＰＵ１０４により動画データＡおよびＣは選択されない。【００６４】
（Ａ２−２：一方のみ表示モード）
図８を参照しながら、長時間動画優先モードで一方のみ表示モードが設定された場合について説明する。この場合、同一時間帯で複数の動画データが重複している場合、ＣＰＵ１０４は撮影時間が最長の動画データのみ選択して、その他の動画データは再生表示されない。【００６５】
図８（ａ）は、図５（ａ）〜図７（ａ）の場合と同様に、動画データＡ以外に同一時間帯で重複する他の動画データが存在しない場合を示す。この場合、ＣＰＵ１０４により動画データＡが選択され、動画データＡに対応する動画Ａがモニタ１０５に再生表示される。【００６６】
図８（ｂ）に示す例では、図５（ｂ）〜図７（ｂ）と同様に、動画データＡは時刻ｔ２〜ｔ３に撮影され、動画データＢは時刻ｔ１〜ｔ４に撮影された画像データである。ＣＰＵ１０４は、同一時間帯において重複する動画データＡとＢの撮影時間を比較する。比較の結果、ＣＰＵ１０４により撮影時間が最長である動画データＢが選択される。すなわち、時刻ｔ１でＣＰＵ１０４により動画データＢが選択される。以後、時刻ｔ４までＣＰＵ１０４による動画データＢの選択が継続される。つまり、ＣＰＵ１０４により動画データＡは選択されない。【００６７】
図８（ｃ）に示す例では、図５（ｄ）、図６（ｃ）および図７（ｃ）と同様に、動画データＡは時刻ｔ１〜ｔ３に撮影され、動画データＢは時刻ｔ２〜ｔ４に撮影された画像データである。ＣＰＵ１０４は、同一時間帯において重複する動画データＡとＢの撮影時間を比較する。比較の結果、ＣＰＵ１０４により撮影時間が最長である動画データＡが選択される。すなわち、時刻ｔ１でＣＰＵ１０４により動画データＡが選択される。以後、時刻ｔ３までＣＰＵ１０４による動画データＡの選択が継続される。図８（ｃ）は一方のみ表示モードが設定されている一例であり、図７（ｃ）における組合せモードの場合とは異なり、時刻ｔ３でＣＰＵ１０４により動画データＢが選択されることはない。つまり、ＣＰＵ１０４により動画データＢは選択されない。【００６８】
図８（ｄ）に示す例は、図７（ｄ）と同様に、電子カメラ２００Ａで撮影された異なる２つの動画データＡ１およびＡ２と、電子カメラ２００Ｂで撮影された動画データＢとを示す。動画データＡ１の撮影時間は時刻ｔ１〜ｔ３までの間であり、動画データＢの撮影時間は時刻ｔ２〜ｔ５までの間であり、動画データＡ２の撮影時間は時刻ｔ４〜ｔ６までの間である。動画データＡ１と動画データＢとが時刻ｔ２〜ｔ３までの間で重複し、動画データＡ２と動画データＢとが時刻ｔ４〜ｔ５までの間で重複している。【００６９】
ＣＰＵ１０４は、同一時間帯において重複する動画データＡ１とＡ２とＢの撮影時間を比較する。比較の結果、ＣＰＵ１０４により撮影時間が最長である動画データＡ２が選択される。したがって、動画データＡ１の撮影開始時刻である時刻ｔ１においても、動画データＢの撮影開始時刻である時刻ｔ２においても、ＣＰＵ１０４により動画データＡ１およびＢは選択されない。動画データＡ２の撮影開始時刻である時刻ｔ４になると、ＣＰＵ１０４により動画データＡ２が選択される。これ以後、ＣＰＵ１０４により動画データＡ２の選択が時刻ｔ６まで継続される。つまり、撮影時間の短い動画データＡ１およびＢは、ＣＰＵ１０４により選択されない。【００７０】
図８（ｅ）に示す例は、図７（ｅ）と同様に、動画データＡの撮影時間が時刻ｔ３〜ｔ４までの間であり、動画データＢの撮影時間が時刻ｔ１〜ｔ５までの間であり、動画データＣの撮影時間が時刻ｔ２〜ｔ６までの間であり、動画データＣの撮影時間が３つの動画データの中で最長の場合を示す。動画データＢと動画データＣとが時刻ｔ２〜ｔ５までの間で重複し、動画データＡ、動画データＢおよび動画データＣが時刻ｔ３〜ｔ４までの間で重複している。【００７１】
図８（ｅ）に示す例では、ＣＰＵ１０４は、同一時間帯において重複する動画データＡ、ＢおよびＣの撮影時間を比較する。比較の結果、ＣＰＵ１０４により撮影時間が最長である動画データＣが選択される。したがって、動画データＢの撮影開始時刻である時刻ｔ１において、ＣＰＵ１０４により動画データＢは選択されず、また、動画データＡの撮影開始時刻である時刻ｔ３において、ＣＰＵ１０４により動画データＡは選択されない。動画データＣの撮影開始時刻である時刻ｔ２になると、ＣＰＵ１０４により動画データＣが選択される。これ以後、ＣＰＵ１０４による動画データＣの選択が時刻ｔ６まで継続される。したがって、ＣＰＵ１０４により撮影時間の短い動画データＡおよびＢは選択されない。【００７２】
図８（ｆ）に示す例は、動画データＡ、ＢおよびＣの関係が図５（ｆ）および図７（ｆ）と同様の場合を示す。すなわち、動画データＡは時刻ｔ３〜ｔ４の間に撮影され、動画データＢは時刻ｔ１〜ｔ６の間に撮影され、動画データＣは時刻ｔ２〜ｔ５の間に撮影された画像データである。時刻ｔ２〜時刻ｔ５間では動画データＢとＣとが重複し、時刻ｔ３〜時刻ｔ４間では動画データＡ、ＢおよびＣが重複している。【００７３】
ＣＰＵ１０４は、同一時間帯において重複する動画データＡ、ＢおよびＣの撮影時間を比較する。比較の結果、ＣＰＵ１０４により撮影時間が最長である動画データＢが選択される。以後、時刻ｔ６までＣＰＵ１０４による動画データＢの選択が継続される。したがって、撮影時間の短い動画データＡおよびＣは、ＣＰＵ１０４により選択されない。【００７４】
Ａ３：切替表示モードのシーン開始優先モード
図９を参照しながら、シーン開始優先モードについて説明する。このモードでは、同一時間帯で重複する複数の動画データのいずれを選択するかについて、ＣＰＵ１０４は撮影開始時刻が最新の画像データを優先して選択する。すなわち、モニタ１０５に動画が表示されているとき、時間帯が重複する別の動画データの撮影開始時刻になると、ＣＰＵ１０４は別の動画データを選択する。すなわち、モニタ１０５の動画は撮影開始時刻が後である動画に切り替わって表示される。【００７５】
図９（ａ）は、図５（ａ）〜図８（ａ）の場合と同様に、動画データＡ以外に同一時間帯で重複する他の動画データが存在しない場合を示す。この場合、ＣＰＵ１０４により動画データＡが選択され、動画データＡに対応する動画Ａがモニタ１０５に再生表示される。【００７６】
図９（ｂ）に示す例では、図５（ｂ）〜図８（ｂ）と同様に、動画データＡは時刻ｔ２〜ｔ３に撮影され、動画データＢは時刻ｔ１〜ｔ４に撮影された画像データである。時刻ｔ１において、ＣＰＵ１０４により動画データＢが選択される。時刻ｔ２において、動画データＡの撮影開始時刻となるので、ＣＰＵ１０４により動画データＡが選択される。動画データＡの撮影終了時刻である時刻ｔ３になると、ＣＰＵ１０４による動画データＡの選択が終了される。時刻ｔ３以後、再生が開始される動画データが存在しない。すなわち、動画データＢｃはＣＰＵ１０４により選択されない。【００７７】
図９（ｃ）に示す例では、図５（ｄ）、図６（ｃ）〜図８（ｃ）と同様に、動画データＡは時刻ｔ１〜ｔ３に撮影され、動画データＢは時刻ｔ２〜ｔ４に撮影された画像データである。時刻ｔ１で、ＣＰＵ１０４により動画データＡが選択される。時刻ｔ２において、動画データＢの撮影開始時刻となるので、ＣＰＵ１０４により動画データＢが選択される。時刻ｔ４で動画データＢの撮影終了時刻になると、ＣＰＵ１０４により動画データＢの選択が終了される。【００７８】
図９（ｄ）は、図６（ｄ）と同様に、動画データＡの撮影時間が時刻ｔ１〜ｔ２までの間であり、動画データＢの撮影時間が時刻ｔ３〜ｔ４までの間であり、動画データＡおよびＢが重複しない場合を示す。時刻ｔ１〜時刻ｔ２までの間に存在する動画データＡと、時刻ｔ３〜時刻ｔ４までの間に存在する動画データＢがＣＰＵ１０４により選択される。この場合、動画データＡに対応する動画Ａと動画データＢに対応する動画Ｂが連続してモニタ１０５に表示される。すなわち、複数の動画データが同時刻で重複しない場合は、それぞれの動画像データに対応する動画が連続画像として編集されて再生表示される。【００７９】
図９（ｅ）には、図７（ｅ）および図８（ｅ）と同様に、時刻ｔ３〜ｔ４の撮影時間を有する動画データＡと、時刻ｔ１〜ｔ５の撮影時間を有する動画データＢと、時刻ｔ２〜ｔ６の撮影時間を有する動画データＣとを示している。動画データＢと動画データＣとが時刻ｔ２〜ｔ５までの間で重複し、動画データＡ、動画データＢおよび動画データＣが時刻ｔ３〜ｔ４までの間で重複している。【００８０】
時刻ｔ１において、ＣＰＵ１０４により動画データＢが選択される。動画データＣの撮影開始時刻である時刻ｔ２になると、ＣＰＵ１０４により動画データＣが選択される。動画データＡの撮影開始時刻である時刻ｔ３になると、ＣＰＵ１０４により動画データＡが選択される。時刻ｔ４で動画データＡの撮影終了時刻になると、ＣＰＵ１０４による動画データＡの選択が終了される。時刻ｔ４以後、新たな撮影開始時刻を有する動画データが存在しないので、ＣＰＵ１０４による動画データの選択は行われない。【００８１】
図９（ｆ）に示す例は、図５（ｆ）〜図８（ｆ）と同様に、動画データＡは時刻ｔ３〜ｔ４の間に撮影され、動画データＢは時刻ｔ１〜ｔ６の間に撮影され、動画データＣは時刻ｔ２〜ｔ５の間に撮影された画像データである。すなわち、時刻ｔ２〜時刻ｔ５間では動画データＢとＣとが重複し、時刻ｔ３〜時刻ｔ４間では動画データＡ、ＢおよびＣが重複している。【００８２】
時刻ｔ１において、ＣＰＵ１０４により動画データＢが選択される。動画データＣの撮影開始時刻である時刻ｔ２になると、ＣＰＵ１０４により動画データＣが選択される。動画データＡの撮影開始時刻である時刻ｔ３になると、ＣＰＵ１０４により動画データＡが選択される。時刻ｔ４で動画データＡの撮影終了時刻になると、ＣＰＵ１０４による動画データＡの選択が終了される。時刻ｔ４以後、新たな撮影開始時刻を有する動画データが存在しないので、ＣＰＵ１０４による動画データの選択は行なわれない。【００８３】
図９（ｇ）には、時刻ｔ１〜ｔ２の撮影時間を持つ動画データＡと、時刻ｔ４〜ｔ６の撮影時間を持つ動画データＢと、時刻ｔ３〜ｔ５の撮影時間を持つ動画データＣとが示されている。この場合、時刻ｔ４〜時刻ｔ５までの間で動画データＢとＣとが重複しているが、動画データＡはいずれの画像データとも重複していない。時刻ｔ１〜時刻ｔ２まで、ＣＰＵ１０４により動画データＡが選択される。時刻ｔ２〜時刻ｔ３までは動画データが存在しないので、ＣＰＵ１０４による動画データの選択は行なわれない。動画データＣの撮影開始時刻である時刻ｔ３で、ＣＰＵ１０４により動画データＣが選択される。動画データＢの撮影開始時刻である時刻ｔ４になると、ＣＰＵ１０４により動画データＢが選択される。時刻ｔ６で動画データＢの撮影終了時刻になると、ＣＰＵ１０４による動画データＢの選択が終了される。【００８４】
上述のように選択された画像データＡ〜Ｃは、ＣＰＵ１０４により、動画Ｃは動画Ａに連続して表示され、動画Ｂは動画Ｃに連続して表示されるように編集される。【００８５】
Ａ４：一定時間切替モード
図１０を参照しながら、一定時間切替モードについて説明する。複数の動画データが同一時間帯で重複する場合、重複している時間内において、ＣＰＵ１０４は、切替時間ｔｍごとに選択する動画データを切り替える。切替時間ｔｍは、使用者の入力装置１０１の操作により、メニュー画面から設定される。動画データに対応する動画の表示が切り替わる順序は、それぞれの動画データの撮影開始時刻に基づいて決定される。なお、重複している時間内で動画データの撮影時間が切替時間ｔｍに満たない場合は、ＣＰＵ１０４はその動画データを選択しない。【００８６】
図１０（ａ）は、図５（ａ）〜図９（ａ）の場合と同様に、動画データＡ以外に同一時間帯で重複する他の動画データが存在しない場合を示す。この場合、ＣＰＵ１０４により動画データＡが選択され、動画データＡに対応する動画Ａがモニタ１０５に再生表示される。【００８７】
図１０（ｂ）に示す例では、図５（ｂ）〜図９（ｂ）と同様に、動画データＡは時刻ｔ２〜ｔ３に撮影され、動画データＢは時刻ｔ１〜ｔ４に撮影された画像データである。時刻ｔ１で、ＣＰＵ１０４により動画データＢａが選択される。動画データＡの撮影開始時刻である時刻ｔ２において、ＣＰＵ１０４により動画データＡａが選択される。時刻ｔ２から切替時間ｔｍ経過した時刻ｔ２ａにおいて、ＣＰＵ１０４により動画データＡａに代わって動画データＢｃが選択される。時刻ｔ２ａから切替時間ｔｍ経過した時刻ｔ３ａにおいては、ＣＰＵ１０４は動画データＡｃの残りの時間（ｔ３−ｔ３ａ）と切替時間ｔｍとを比較する。比較の結果、残りの時間が切替時間ｔｍに満たないので、ＣＰＵ１０４による動画データＢの選択が継続される。動画データＢの撮影終了時刻である時刻ｔ４で、ＣＰＵ１０４による動画データＢの選択が終了される。【００８８】
図１０（ｃ）に示す例では、図５（ｂ）〜図９（ｂ）と同様に、動画データＡは時刻ｔ２〜ｔ３に撮影され、動画データＢは時刻ｔ１〜ｔ４に撮影された画像データである。時刻ｔ１〜時刻ｔ３ａまでは、図１０（ｂ）に示す場合と同様にして、ＣＰＵ１０４により動画データＢａとＡａとＢｃとが、この順序で選択される。時刻ｔ３ａにおいては、ＣＰＵ１０４は、上述したように動画データＡｃの残りの時間（ｔ３−ｔ３ａ）と切替時間ｔｍとを比較する。比較の結果、残りの時間と切替時間ｔｍとが等しいので、ＣＰＵ１０４により動画データＡｃが選択される。時刻ｔ３ａから切替時間ｔｍが経過した時刻ｔ４ａ（時刻ｔ３）においては、ＣＰＵ１０４により動画データＢｅが選択される。以後、時刻ｔ４までの間、ＣＰＵ１０４による動画データＢｅの選択が継続される。【００８９】
図１０（ｄ）には、図７（ｅ）〜図９（ｅ）と同様に、時刻ｔ３〜ｔ４の撮影時間を有する動画データＡと、時刻ｔ１〜ｔ５の撮影時間を有する動画データＢと、時刻ｔ２〜ｔ６の撮影時間を有する動画データＣとを示している。動画データＢと動画データＣとが時刻ｔ２〜ｔ５までの間で重複し、動画データＡ、動画データＢおよび動画データＣが時刻ｔ３〜ｔ４までの間で重複している。したがって、重複時間において切替時間ｔｍごとに切り替えてＣＰＵ１０４により選択される動画データの順序は、動画データＢ、動画データＣ、動画データＡの順になる。また、図１０（ｄ）においては、時間（ｔ３−ｔ２）＜ｔｍ、時間（ｔ４−ｔ３ａ）＜ｔｍ、時間（ｔ５−ｔ５ａ）＜ｔｍとする。【００９０】
時刻ｔ１で、ＣＰＵ１０４により動画データＢが選択される。動画データＣの撮影開始時間である時刻ｔ２になると、ＣＰＵ１０４により動画データＣが選択される。時刻ｔ３で動画データＡの撮影開始時刻となるが、時刻ｔ２からの切替時間ｔｍがまだ経過していない。したがって、ＣＰＵ１０４により動画データＣが選択される。時刻ｔ２からの切替時間ｔｍが経過した時刻ｔ２ａで、ＣＰＵ１０４により動画データＡｂが選択される。時刻ｔ２ａから切替時間ｔｍ経過した時刻ｔ３ａで、ＣＰＵ１０４により動画データＢｅが選択される。時刻ｔ３ａから切替時間ｔｍ経過した時刻ｔ４ａで、ＣＰＵ１０４により動画データＣｆが選択される。時刻ｔ４ａから切替時間ｔｍ経過した時刻ｔ５ａでは、動画データＢｈの残りの時間（ｔ５−ｔ５ａ）が切替時間ｔｍに満たないので、ＣＰＵ１０４による動画データＣの選択が継続される。【００９１】
−−Ｂ：同時表示モード−−
同時表示モードはさらに次の２つのモードが設定可能である。
Ｂ１：並列表示モード
Ｂ２：小画面モード
並列表示モードでは、モニタ１０５上に２画面表示領域を設定し、撮影時間帯が重複する２つの画像を並列表示する。３つ以上の動画データが同一時間帯で重複する場合には、並列表示される２つの異なる動画は入力装置１０１の操作により選択される。この動画選択操作は、モニタ１０５に表示されるメニュー画面上で行なわれる。また、選択した画像をモニタ１０５の左右の画面のいずれに表示するかもメニュー画面上で設定することができる。【００９２】
小画面モードでは、モニタ１０５上に大画面表示領域と小画面表示領域とを設定し、撮影時間帯が重複する２つの画像の一方を大画面表示領域に表示し、他方を小画面表示領域に表示する。２つのモードについて以下詳細に説明する。【００９３】
（Ｂ１：並列表示モード）
図１１を参照しながら、並列表示モードについて説明する。なお、図１１においては、動画Ａをモニタ１０５の左画面に、動画Ｂをモニタ１０５の右画面に表示するように設定されているものとする。【００９４】
図１１（ａ）は、図５（ａ）〜図１０（ａ）と同様に、動画データＡ以外に同一時間帯で重複する他の動画データが存在しない場合を示す。この場合、ＣＰＵ１０４により、動画データＡが選択され、動画データＡに対応する動画Ａがモニタ１０５の左画面に表示される。モニタ１０５の右画面に表示される動画は存在しないので、黒画面が表示される。【００９５】
図１１（ｂ）に示す例では、図５（ｂ）〜図１０（ｂ）と同様に動画データＡは時刻ｔ２〜ｔ３に撮影され、動画データＢは時刻ｔ１〜ｔ４に撮影された画像データである。時刻ｔ１において、ＣＰＵ１０４により動画データＢが右画面表示画像データとして選択される。選択された動画データＢに対応する動画Ｂが、ＣＰＵ１０４によりモニタ用インタフェース１０８を介してモニタ１０５の右画面に表示される。ＣＰＵ１０４による動画データＢの選択は、動画データＢの撮影終了時刻である時刻ｔ４まで継続される。時刻ｔ１〜時刻ｔ２までの間は、動画データＢと重複する画像データが存在しない。したがって、ＣＰＵ１０４によりモニタ１０５の左画面には黒画面が表示される。【００９６】
動画データＡの撮影開始時刻である時刻ｔ２になると、ＣＰＵ１０４により動画データＡが左画面表示画像データとして選択される。選択された動画データＡに対応する動画Ａが、ＣＰＵ１０４によりモニタ用インタフェース１０８を介してモニタ１０５の左画面に表示される。このときも、ＣＰＵ１０４による動画データＢの選択が継続される。すなわち、モニタ１０５の右画面には動画データＢに対応する動画Ｂが表示される。動画データＡの撮影終了時刻である時刻ｔ３では、ＣＰＵ１０４による動画データＡの選択が終了される。したがって、時刻ｔ３以降は、前述した時刻ｔ１〜時刻ｔ２までの場合と同様に、ＣＰＵ１０４によりモニタ１０５の左画面に黒画面が表示される。【００９７】
図１１（ｃ）に示す例では、図５（ｄ）、図６（ｃ）〜図９（ｃ）と同様に、動画データＡは時刻ｔ１〜ｔ３に撮影され、動画データＢは時刻ｔ２〜ｔ４に撮影された画像データである。時刻ｔ１において、ＣＰＵ１０４により動画データＡが左画面表示画像データとして選択される。選択された動画データＡに対応する動画Ａは、ＣＰＵ１０４によりモニタ用インタフェース１０８を介してモニタ１０５の左画面に表示される。ＣＰＵ１０４による動画データＡの選択は、動画データＡの撮影終了時刻である時刻ｔ３まで継続される。時刻ｔ１〜時刻ｔ２までの間は、動画データＡと重複する画像データが存在しない。したがって、ＣＰＵ１０４によりモニタ１０５の右画面には黒画面が表示される。【００９８】
動画データＢの撮影開始時刻である時刻ｔ２では、ＣＰＵ１０４により動画データＢが右画面表示画像データとして選択され、動画データＢの撮影終了時刻である時刻ｔ４まで継続される。選択された動画データＢに対応する動画Ｂは、ＣＰＵ１０４によりモニタ用インタフェース１０８を介してモニタ１０５の右画面に表示される。すなわち、時刻ｔ２〜ｔ３までは、左画面に動画データＡの画像が、右画面に動画データＢの画像が表示され、時刻ｔ３以降は、モニタ１０５の左画面には黒画面が表示される。【００９９】
図１１（ｄ）には、図７（ｅ）〜図９（ｅ）と同様に、時刻ｔ３〜ｔ４の撮影時間を有する動画データＡと、時刻ｔ１〜ｔ５の撮影時間を有する動画データＢと、時刻ｔ２〜ｔ６の撮影時間を有する動画データＣとを示している。動画データＢと動画データＣとが時刻ｔ２〜ｔ５までの間で重複し、動画データＡ、動画データＢおよび動画データＣが時刻ｔ３〜ｔ４までの間で重複している。また、モニタ１０５には動画ＡおよびＢが表示されるように設定されているものとする。すなわち、動画データＣはＣＰＵ１０４により選択されない。したがって、モニタ１０５の左右画面には、図１１（ｂ）と同様にして、動画Ａおよび動画Ｂが並列表示される。【０１００】
（Ｂ２：小画面表示モード）
小画面表示モードはさらに次の２つのモードが設定可能である。
Ｂ２−１：優先カメラモード
Ｂ２−２：シーン開始優先モード【０１０１】
優先カメラモードでは、複数の動画データが同一時間帯で重複する場合に、ＣＰＵ１０４は、優先データとして選択した動画データに対応する動画をモニタ１０５の大画面表示領域に表示する。また、非優先の画像データをモニタ１０５の小画面表示領域に表示する。この小画面表示領域はモニタ１０５の所定の位置に大画面表示領域に重畳して表示される。【０１０２】
同時表示モードの小画面表示モードにおける優先カメラ設定表示モードの設定は、モニタ１０５に表示されたメニュー画面で、使用者の入力装置１０１の操作により行われる。図３（ａ）の優先カメラ設定表示モードを選択し、第１優先カメラのプルダウンメニューを操作すると、図３（ｂ）に示す画面表示となる。図３（ｂ）の画面上の１〜４のいずれかを選択して第１優先カメラが設定される。第２優先カメラのプルダウンメニューを操作した場合も同様に、図３（ｂ）に示す画面表示となる。図３（ｂ）の画面上の１〜４のいずれかを選択して第２優先カメラが設定される。【０１０３】
小画面表示モードにおけるシーン開始優先モードでは、ＣＰＵ１０４は、同一時間帯で重複する複数の動画データのうち、撮影開始時刻が最新の画像データを優先して選択し、選択した画像データに対応する画像をモニタ１０５の大画面に表示する。すなわち、モニタ１０５の大画面に動画が表示されているとき、時間帯が重複する別の動画データの撮影開始時刻になると、ＣＰＵ１０４は別の動画データを選択する。すなわち、モニタ１０５の大画面には、撮影開始時刻が後である動画データの画像に切り替わって表示され、小画面には、それまで大画面表示されていた動画が表示される。【０１０４】
Ｂ２−１：小画面表示モードの優先カメラモード
図１２（ａ）では、図５（ａ）〜図１０（ａ）と同様に、動画データＡ以外に同一時間帯で重複する他の動画データが存在しない場合を示す。この場合、ＣＰＵ１０４により、動画データＡが選択され、動画データＡに対応する動画Ａがモニタ１０５の大画面表示領域に表示される。なお、この場合、モニタ１０５に小画面表示領域は表示されない。【０１０５】
図１２（ｂ）に示す例では、図５（ｂ）〜図１１（ｂ）と同様に、優先データである動画データＡは時刻ｔ２〜ｔ３に撮影され、非優先データである動画データＢは時刻ｔ１〜ｔ４に撮影された画像データである。時刻ｔ１で、ＣＰＵ１０４により動画データＢが大画面表示画像データとして選択される。ＣＰＵ１０４により、選択された動画データＢａに対応する動画Ｂａがモニタ１０５の大画面表示領域に表示される。このとき、モニタ１０５上に小画面表示領域は表示されない。優先順位の高い動画データＡの撮影開始時刻である時刻ｔ２になると、ＣＰＵ１０４により動画データＡが大画面表示画像データとして選択され、動画データＡに対応する動画Ａがモニタ１０５の大画面表示領域に表示される。また、ＣＰＵ１０４により、動画データＢｂが小画面表示画像データとして選択され、動画データＢｂに対応する動画Ｂｂが小画面表示領域に表示される。動画データＡの撮影終了時刻である時刻ｔ３になると、ＣＰＵ１０４による動画データＡの選択が終了される。したがって、ＣＰＵ１０４により動画データＢｃに対応する動画Ｂｃがモニタ１０５の大画面に表示される。時刻ｔ３以降、モニタ１０５上に小画面表示領域は表示されない。【０１０６】
図１２（ｃ）に示す例では、図５（ｃ）と同様に、優先データとして設定された動画データＡは時刻ｔ１〜ｔ４に撮影され、非優先データである動画データＢは時刻ｔ２〜ｔ３に撮影された画像データである。すなわち、図１２（ｃ）の例では、時刻ｔ２〜ｔ３の間において、動画データＡｂとＢが重複している。【０１０７】
時刻ｔ１で、ＣＰＵ１０４により優先データである動画データＡが大画面表示画像データとして選択される。ＣＰＵ１０４により、動画データＡに対応する動画Ａがモニタ１０５の大画面表示領域に表示される。このとき、動画データＡと重複する動画データが存在しないので、ＣＰＵ１０４によりモニタ１０５に小画面表示領域は表示されない。また、動画データＡよりも優先順位の高い画像データは存在しないので、ＣＰＵ１０４により、モニタ１０５の大画面表示領域に動画Ａが時刻ｔ４まで表示される。動画データＢの撮影開始時刻である時刻ｔ２になると、非優先データである動画データＢはＣＰＵ１０４により、小画面表示画像データとして選択され、動画データＢに対応する動画Ｂがモニタ１０５の小画面表示領域に表示される。動画データＢの撮影終了時刻である時刻ｔ３になると、ＣＰＵ１０４により動画データＢのモニタ１０５の小画面表示領域における表示が終了される。以後、モニタ１０５上に小画面表示領域は表示されない。したがって、モニタ１０５の大画面表示領域には、ＣＰＵ１０４により、優先データである動画データＡに対応する動画Ａのみが表示される。【０１０８】
図１２（ｄ）に示す例では、図５（ｄ）、図６（ｃ）〜図９（ｃ）と同様に、優先データである動画データＡは時刻ｔ１〜ｔ３に撮影され、非優先データである画像データＢは時刻ｔ２〜ｔ４に撮影された画像データである。時刻ｔ１で、ＣＰＵ１０４により優先データである動画データＡが大画面表示画像データとして選択される。ＣＰＵ１０４により、動画データＡに対応する動画Ａがモニタ１０５の大画面表示領域に表示される。このとき、動画データＡと重複する動画データが存在しないので、ＣＰＵ１０４によりモニタ１０５に小画面表示領域は表示されない。また、動画データＡよりも優先順位の高い画像データは存在しないので、ＣＰＵ１０４により、モニタ１０５の大画面表示領域に動画Ａが時刻ｔ３まで表示される。動画データＢの撮影開始時刻である時刻ｔ２になると、非優先データである動画データＢは、ＣＰＵ１０４により小画面表示画像データとして選択され、動画データＢａに対応する動画Ｂａがモニタ１０５の小画面表示領域に表示される。動画データＡの撮影終了時刻である時刻ｔ３になると、ＣＰＵ１０４による動画データＡのモニタ１０５の大画面表示領域における表示が終了される。したがって、ＣＰＵ１０４により動画データＢｂに対応する動画Ｂｂがモニタ１０５の大画面表示領域に表示される。時刻ｔ３以降、モニタ１０５上に小画面表示領域は表示されない。【０１０９】
図１２（ｅ）に示す例では、図５（ｅ）〜図９（ｅ）と同様に、第１優先の動画データＡは時刻ｔ３〜ｔ４の間に撮影され、第２優先の動画データＢは時刻ｔ１〜ｔ５の間に撮影され、非優先データである動画データＣは時刻ｔ２〜ｔ６の間に撮影された画像データである。【０１１０】
時刻ｔ１で、ＣＰＵ１０４により動画データＢが大画面表示画像データとして選択される。ＣＰＵ１０４により、選択された動画データＢに対応する動画Ｂがモニタ１０５の大画面表示領域に表示される。このとき、モニタ１０５上に小画面表示領域は表示されない。動画データＣの撮影開始時刻である時刻ｔ２になると、ＣＰＵ１０４により非優先データである動画データＣが小画面表示画像データとして選択され、この動画データＣａに対応する動画Ｃａがモニタ１０５の小画面表示領域に表示される。動画データＡの撮影開始時刻である時刻ｔ３においては、ＣＰＵ１０４により、第１優先の動画データＡが大画面表示画像データとして選択され、この動画データＡに対応する動画Ａが、モニタ１０５の大画面表示領域に表示される。さらに、ＣＰＵ１０４により、第２優先データである動画データＢｃが小画面表示画像データとして選択され、この動画データＢｃに対応する動画Ｂｃがモニタ１０５の小画面表示領域に表示される。ＣＰＵ１０４により動画データＣに対応する動画Ｃは表示されない。【０１１１】
動画データＡの撮影終了時刻である時刻ｔ４では、ＣＰＵ１０４による動画Ａのモニタ１０５の大画面表示領域の表示が終了される。そして、ＣＰＵ１０４により第２優先の動画データＢｄが大画面表示画像データとして選択され、この動画データＢｄに対応する動画Ｂｄがモニタ１０５の大画面表示領域に表示される。さらに、ＣＰＵ１０４により、非優先データである動画データＣｃが小画面表示画像データとして選択され、この動画データＣｃに対応する動画Ｃｃがモニタ１０５の小画面表示領域に表示される。動画データＢの撮影終了時刻である時刻ｔ５では、ＣＰＵ１０４による動画Ｂｄのモニタ１０５の大画面表示領域の表示が終了される。そして、ＣＰＵ１０４により、動画データＣｄが大画面表示画像データとして選択され、この動画データＣｄに対応する動画Ｃｄがモニタ１０５の大画面表示領域に表示される。ＣＰＵ１０４による動画Ｃｄのモニタ１０５の大画面表示領域の表示は、動画データＣの撮影終了時刻である時刻ｔ６まで継続される。なお、時刻ｔ５以降、モニタ１０５に小画面表示領域は表示されない。【０１１２】
図１２（ｆ）に示す例では、図５（ｆ）〜図９（ｆ）と同様に、第１優先の動画データＡは時刻ｔ３〜ｔ４の間に撮影され、第２優先の動画データＢは時刻ｔ１〜ｔ６の間に撮影され、非優先の動画データＣは時刻ｔ２〜ｔ５の間に撮影された画像データである。すなわち、時刻ｔ２〜時刻ｔ５間では動画データＢとＣとが重複し、時刻ｔ３〜時刻ｔ４間では動画データＡ、ＢおよびＣが重複している。【０１１３】
時刻ｔ１で、ＣＰＵ１０４により第２優先の動画データＢが大画面表示画像データとして選択される。ＣＰＵ１０４により、選択された動画データＢａに対応する動画Ｂａがモニタ１０５の大画面表示領域に表示される。このとき、モニタ１０５上に小画面表示領域は表示されない。非優先データである動画データＣの撮影開始時刻である時刻ｔ２になると、ＣＰＵ１０４により非優先データである動画データＣが小画面表示画像データとして選択され、この動画データＣａに対応する動画Ｃａがモニタ１０５の小画面表示領域に表示される。第１優先の動画データＡの撮影開始時刻である時刻ｔ３においては、ＣＰＵ１０４により、優先順位の最も高い動画データＡが大画面表示画像データとして選択され、この動画データＡに対応する動画Ａが、モニタ１０５の大画面表示領域に表示される。さらに、ＣＰＵ１０４により、第２優先データである動画データＢｃが小画面表示画像データとして選択され、動画データＢｃに対応する動画Ｂｃがモニタ１０５の小画面表示領域に表示される。ＣＰＵ１０４により動画データＣに対応する動画Ｃは表示されない。【０１１４】
動画データＡの撮影終了時刻である時刻ｔ４では、ＣＰＵ１０４による動画Ａのモニタ１０５の大画面表示領域の表示が終了される。そして、ＣＰＵ１０４により動画データＢｄが大画面表示画像データとして選択され、動画Ｂｄに対応する動画Ｂｄがモニタ１０５の大画面表示領域に表示される。さらに、ＣＰＵ１０４により、動画データＣｃが小画面表示画像データとして選択され、動画データＣｃに対応する動画Ｃｃがモニタ１０５の小画面表示領域に表示される。動画データＣの撮影終了時刻である時刻ｔ５では、ＣＰＵ１０４による動画データＣｃに対応する動画Ｃｃのモニタ１０５の小画面表示領域の表示が終了される。時刻ｔ５以後、モニタ１０５に小画面表示領域は表示されない。モニタ１０５の大画面表示領域においては、ＣＰＵ１０４により動画Ｂの表示が、動画データＢの撮影終了時刻である時刻ｔ６まで継続される。【０１１５】
Ｂ２−１：小画面表示モードのシーン開始優先モード
次に、小画面表示モードにおけるシーン開始優先モードについて、図１３を参照しながら説明する。図１３（ａ）では、図１２（ａ）の場合と同様に、動画像データＡ以外に同一時間帯で重複する他の動画データが存在しないので、動画データＡに対応する動画Ａがモニタ１０５の大画面に表示される。なお、この場合、モニタ１０５に小画面表示領域は表示されない。【０１１６】
図１３（ｂ）に示す例では、図５（ｂ）〜図１１（ｂ）と同様に、動画データＡは時刻ｔ２〜ｔ３に撮影され、動画データＢは時刻ｔ１〜ｔ４に撮影された画像データである。【０１１７】
時刻ｔ１で、ＣＰＵ１０４により動画データＢが大画面表示画像データとして選択され、動画データＢａに対応する動画Ｂａがモニタ１０５の大画面表示領域に表示される。このとき、モニタ１０５上に小画面表示領域は表示されない。動画データＡの撮影開始時刻である時刻ｔ２になると、ＣＰＵ１０４により、動画データＡが大画面表示画像データとして選択され、動画データＢａの画像Ｂａに代わって動画データＡに対応する動画Ａがモニタ１０５の大画面表示領域に表示される。さらに、ＣＰＵ１０４により動画データＢｂが小画面表示画像データとして選択され、動画データＢｂに対応する動画Ｂｂがモニタ１０５の小画面表示領域に表示される。動画データＡの撮影終了時刻である時刻ｔ３になると、ＣＰＵ１０４による動画Ａのモニタ１０５の大画面表示領域の表示が終了される。そして、ＣＰＵ１０４により、動画データＢｃが大画面表示画像データとして選択され、動画データＢｃに対応する動画Ｂｃがモニタ１０５の大画面表示領域に表示される。時刻ｔ３以降、モニタ１０５上に小画面表示領域は表示されない。【０１１８】
図１３（ｃ）に示す例では、図５（ｄ）、図６（ｃ）〜図９（ｃ）、図１１（ｃ）、図１２（ｄ）と同様に、動画データＡは時刻ｔ１〜ｔ３に撮影され、動画データＢは時刻ｔ２〜ｔ４に撮影された画像データである。【０１１９】
時刻ｔ１で、ＣＰＵ１０４により動画データＡが大画面表示画像データとして選択される。ＣＰＵ１０４により、動画データＡａに対応する動画Ａａがモニタ１０５の大画面表示領域に表示される。このとき、動画データＡと重複する動画データが存在しないので、ＣＰＵ１０４によりモニタ１０５に小画面表示領域は表示されない。動画データＢの撮影開始時刻である時刻ｔ２になると、ＣＰＵ１０４により動画データＢが大画面表示画像データとして選択され、この動画データＢａに対応する動画Ｂａがモニタ１０５の大画面表示領域に表示される。また、ＣＰＵ１０４により、動画データＡｂが小画面表示画像データとして選択され、動画データＡｂに対応する動画Ａｂがモニタ１０５の小画面表示領域に表示される。動画データＡの撮影終了時刻である時刻ｔ３になると、ＣＰＵ１０４による動画Ａｂのモニタ１０５の小画面表示領域の表示が終了される。以後、モニタ１０５に小画面表示領域は表示されない。また、動画データＢの撮影開始時刻以降に撮影が開始された動画データは存在しない。したがって、ＣＰＵ１０４による動画データＢｂに対応する動画Ｂｂのモニタ１０５の大画面表示領域の表示が、時刻ｔ４まで継続される。【０１２０】
図１３（ｄ）には、図７（ｅ）〜図９（ｅ）と同様に、時刻ｔ３〜ｔ４の撮影時間を有する動画データＡと、時刻ｔ１〜ｔ５の撮影時間を有する動画データＢと、時刻ｔ２〜ｔ６の撮影時間を有する動画データＣとを示している。動画データＢと動画データＣとが時刻ｔ２〜ｔ５までの間で重複し、動画データＡ、動画データＢおよび動画データＣが時刻ｔ３〜ｔ４までの間で重複している。  【０１２１】
時刻ｔ１で、ＣＰＵ１０４により動画データＢが大画面表示画像データとして選択される。ＣＰＵ１０４により、動画データＢａに対応する動画Ｂａがモニタ１０５の大画面表示領域に表示される。このとき、動画データＢと重複する動画データが存在しないので、ＣＰＵ１０４によりモニタ１０５に小画面表示領域は表示されない。動画データＣの撮影開始時刻である時刻ｔ２になると、ＣＰＵ１０４により、動画データＣが大画面表示画像データとして選択され、動画データＣａに対応する動画Ｃａがモニタ１０５の大画面表示領域に表示される。動画データＢｂは小画面表示画像データとして選択され、ＣＰＵ１０４によりモニタ１０５の小画面表示領域に表示される。動画データＡの撮影開始時刻である時刻ｔ３においては、ＣＰＵ１０４により、動画データＡが大画面表示画像データとして選択され、動画データＡに対応する動画Ａがモニタ１０５の大画面表示領域に表示される。さらに、ＣＰＵ１０４により、動画データＣｂが小画面表示画像データとして選択され、モニタ１０５の小画面表示領域の表示が、動画データＣｂに対応する動画Ｃｂの表示に切り替わる。また、動画データＢｃに対応する動画ＢｃはＣＰＵ１０４により表示されない。【０１２２】
動画データＡの撮影終了時刻である時刻ｔ４では、ＣＰＵ１０４による動画Ａのモニタ１０５の大画面表示領域の表示が終了される。さらに、ＣＰＵ１０４により、動画データＢより後の撮影日時を有する動画データＣｃが大画面表示画像データとして選択され、この動画データＣｃに対応する動画Ｃｃがモニタ１０５の大画面表示領域に表示される。モニタ１０５の小画面表示領域には、ＣＰＵ１０４により、小画面表示画像データとして選択された動画データＢｄに対応する動画Ｂｄが表示される。このとき、ＣＰＵ１０４は、複数の動画データのうち、残りの撮影時間の長い動画データを大画面表示画像データとして選択する。時刻ｔ４以降において、動画データＢの残りの撮影時間は時間（ｔ５−ｔ４）であり、動画データＣは時間（ｔ６−ｔ４）である。したがって、ＣＰＵ１０４は、大画面表示画像データとして、残りの撮影時間の長い動画データＣを選択する。動画データＢの撮影終了時刻である時刻ｔ５では、ＣＰＵ１０４によるモニタ１０５の小画面表示領域の表示が終了される。時刻ｔ５以後、モニタ１０５に小画面表示領域は表示されない。動画データＣの撮影終了時刻である時刻ｔ６になると、ＣＰＵ１０４による動画データＣｄに対応する動画Ｃｄのモニタ１０５の大画面表示領域の表示が終了される。【０１２３】
図１３（ｅ）に示す例は、動画データＡ、ＢおよびＣの関係が図５（ｆ）および図７（ｆ）と同様の場合を示す。すなわち、動画データＡは時刻ｔ３〜ｔ４の間に撮影され、動画データＢは時刻ｔ１〜ｔ６の間に撮影され、動画データＣは時刻ｔ２〜ｔ５の間に撮影された画像データである。時刻ｔ２〜時刻ｔ５間では動画データＢとＣとが重複し、時刻ｔ３〜時刻ｔ４間では動画データＡ、ＢおよびＣが重複している。【０１２４】
時刻ｔ１で、ＣＰＵ１０４により動画データＢが大画面表示画像データとして選択される。ＣＰＵ１０４により、動画データＢに対応する動画Ｂがモニタ１０５の大画面表示領域に表示される。このとき、動画データＢと重複する動画データが存在しないので、ＣＰＵ１０４によりモニタ１０５に小画面表示領域は表示されない。動画データＣの撮影開始時刻である時刻ｔ２になると、ＣＰＵ１０４により、動画データＣが大画面表示画像データとして選択され、この動画データＣａに対応する動画Ｃａがモニタ１０５の大画面表示領域に表示される。動画データＢｂは小画面表示画像データとして選択され、ＣＰＵ１０４により動画データＢｂに対応する動画Ｂｂがモニタ１０５の小画面表示領域に表示される。動画データＡの撮影開始時刻である時刻ｔ３においては、ＣＰＵ１０４により、動画データＡが大画面表示画像データとして選択され、この動画データＡに対応する動画Ａがモニタ１０５の大画面表示領域に表示される。さらに、ＣＰＵ１０４により、モニタ１０５の小画面表示領域の表示が、小画面表示画像データとして選択された動画データＣｂに対応する動画Ｃｂの表示に切り替わる。また、動画データＢｃに対応する動画ＢｃはＣＰＵ１０４により表示されない。【０１２５】
動画データＡの撮影終了時刻である時刻ｔ４では、ＣＰＵ１０４による動画Ａのモニタ１０５の大画面表示領域の表示が終了される。上述したように、時刻ｔ４以降において撮影時間の長い動画データＢが大画面表示画像データとして、ＣＰＵ１０４に選択される。すなわち、時刻ｔ４においては、ＣＰＵ１０４により、動画データＢｄに対応する動画Ｂｄがモニタ１０５の大画面表示領域に表示される。さらに、ＣＰＵ１０４により、動画データＣｃが小画面表示画像データとして選択され、この動画データＣｃに対応する動画Ｃｃがモニタ１０５の小画面表示領域に表示される。動画データＣの撮影終了時刻である時刻ｔ５では、ＣＰＵ１０４によるモニタ１０５の小画面表示領域の表示が終了される。動画データＢの撮影終了時刻である時刻ｔ６になると、ＣＰＵ１０４による動画データＢｅに対応する動画Ｂｅのモニタ１０５の大画面表示領域の表示が終了される。【０１２６】
以上では、撮影日時が重複する２以上の動画データが編集対象画像データとして読み込まれた場合について説明した。以下では、動画データだけではなく、静止画データを含む編集対象画像データが読み込まれた場合について説明する。【０１２７】
−静止画編集処理−
図１４に示すように、静止画編集処理はつぎの２つのモードに大きく分類され、入力装置１０１の操作によりいずれかのモードが選択される。
（Ｃ）静止画同時編集モード
（Ｄ）静止画無視モード
静止画同時編集モードは、静止画データを含む編集対象画像データに基づいて再生用データを作成して表示するモードである。また、静止画無視モードは、静止画データを表示しないモードである。【０１２８】
−−静止画同時編集モード−−
静止画同時編集モードはさらに次の４つのモードに分類される。
Ｃ１：静止画同時刻挿入モード
Ｃ２：動画前後集約モード
Ｃ３：番組前後集約モード【０１２９】
それぞれのモードの選択、設定は、入力装置１０１の操作によって、図３に示す静止画編集処理のタグを選ぶと表示されるメニュー画面上（図示を省略する）で行なわれる。静止画同時編集モードにおいては、編集対象となる画像に対して上記３つのモードに応じた編集が行われる。【０１３０】
Ｃ１：静止画同時刻挿入モード
静止画同時刻挿入モードは、前述した動画編集処理において設定された各モードに応じて、ＣＰＵ１０４により、静止画データが、動画データとともにモニタ１０５上で切り替わって表示される。静止画データを含む編集対象画像データが読み込まれたときの画像編集について、以下の９つに分類される編集モードごとに説明する。【０１３１】
Ｃ１−１：切替表示モードの優先カメラ設定モード
（ａ）組合表示モードが選択された場合の静止画同時刻挿入モードを図１５を参照して説明する。
（ｂ）一方のみ表示モードが選択された場合の静止画同時刻挿入モードを図１６を参照して説明する。
Ｃ１−２：切替表示モードの長時間動画優先モード
（ａ）組合表示モードが選択された場合の静止画同時刻挿入モードを図１７を参照して説明する。
（ｂ）一方のみ表示モードが選択された場合の静止画同時刻挿入モードを図１８を参照して説明する。【０１３２】
Ｃ１−３：
切替表示モードのシーン開始優先モードが選択された場合の静止画同時刻挿入モードを図１９を参照して説明する。
Ｃ１−４：
切替表示モードの一定時間切替モードが選択された場合の静止画同時刻挿入モードを図２０を参照して説明する。
Ｃ１−５：
同時表示モードの並列表示モードが選択された場合の静止画同時刻挿入モードを図２１を参照して説明する。
Ｃ１−６：
同時表示モードの小画面表示モードで優先カメラ設定モードが選択された場合の静止画同時刻挿入モードを図２２、図２３を参照して説明する。
Ｃ１−７：
同時表示モードのシーン開始優先モードが選択された場合の静止画同時刻挿入モードを図２４を参照して説明する。【０１３３】
Ｃ１−１（ａ）：
切替表示モードの優先カメラ設定モードで組合表示モードが選択された場合の静止画同時刻挿入モードについて図１５を参照して説明する。
なお、組合表示モードでは、撮影日時や撮影時刻が重複する２つの画像データについては優先する画像データのみを表示するが、重複しない場合は、非優先データも表示するモードである。【０１３４】
なお、静止画データを優先データとして選択する場合は、前述したように、モニタ１０５に表示されたメニュー画面において、図３に示すプルダウン表示される「静止画」の欄を選択することで設定される。【０１３５】
図１５（ａ）は、撮影時刻ｔ１、ｔ２、ｔ３をそれぞれ有する静止画データＳ１、Ｓ２、Ｓ３を編集対象画像データとして選択した場合を示す。この場合、ＣＰＵ１０４により、静止画データＳ１、Ｓ２およびＳ３が選択され、それぞれが連続して再生時間ｔｓずつ表示されるように編集される。【０１３６】
図１５（ｂ）に示す例では、動画データＡが優先データ、静止画データが非優先データに設定されている。そして、動画データＡの撮影時間が時刻ｔ２〜ｔ５、静止画データＳ１、Ｓ２およびＳ３の撮影時刻が、それぞれ時刻ｔ１、ｔ３およびｔ４である。時刻ｔ１〜ｔ２の間では静止画データＳ１だけが存在するので、時刻ｔ１において、ＣＰＵ１０４により、静止画データＳ１が選択され、この静止画データＳ１に対応する静止画Ｓ１がモニタ１０５に表示される。優先順位の高い動画データＡの撮影開始時刻である時刻ｔ２においては、時刻ｔ１から再生時間ｔｓが経過していないが、ＣＰＵ１０４により優先データである動画データＡが選択される。したがって、モニタ１０５にはＣＰＵ１０４により、動画データＡに対応する動画Ａが表示される。以後、時刻ｔ３およびｔ４において、静止画データＳ２およびＳ３の撮影時刻となる。しかし、ＣＰＵ１０４による優先順位の高い動画データＡの選択が、動画データＡの撮影終了時刻である時刻ｔ５まで継続される。【０１３７】
このように、図１５（ｂ）に示す例では、先にモニタ１０５に表示されている静止画の再生時間ｔｓが経過する前であっても、優先順位の高い動画データの撮影開始時刻になった場合、動画データに対応する動画が優先して表示される。【０１３８】
図１５（ｃ）に示す例では、動画データＡが非優先データ、静止画データが優先データに設定されている。そして、動画データＡの撮影時間が時刻ｔ２〜ｔ５、静止画データＳ１、Ｓ２およびＳ３の撮影時刻が、それぞれ時刻ｔ１、ｔ３およびｔ４である。【０１３９】
時刻ｔ１において、ＣＰＵ１０４により、静止画データＳ１が選択され、この静止画データＳ１に対応する静止画Ｓ１がモニタ１０５に表示される。動画データＡの撮影開始時刻である時刻ｔ２においても、ＣＰＵ１０４による優先順位の高い静止画データＳ１に対応する静止画Ｓ１の表示が継続される。時刻ｔ１から再生時間ｔｓ経過した時刻ｔ１ａにおいては、ＣＰＵ１０４による静止画Ｓ１の表示が終了される。そして、ＣＰＵ１０４により、動画データＡｂが選択され、動画データＡｂに対応する動画Ａｂがモニタ１０５に表示される。【０１４０】
優先順位の高い静止画データＳ２の撮影時刻である時刻ｔ３においては、ＣＰＵ１０４により、動画Ａｂに代わって静止画データＳ２が選択され、この静止画データＳ２に対応する静止画Ｓ２がモニタ１０５に表示される。時刻ｔ３から再生時間ｔｓ経過していない時刻ｔ４は、静止画像データＳ３の撮影時刻なので、時刻ｔ４において、ＣＰＵ１０４により、静止画データＳ２に代わって静止画データＳ３が選択され、この静止画データＳ３に対応する静止画Ｓ３がモニタ１０５に表示される。静止画Ｓ３は、ＣＰＵ１０４により、再生時間ｔｓの間モニタ１０５に表示される。【０１４１】
このように、図１５（ｃ）に示す例では、先にモニタ１０５に表示されている静止画の再生時間ｔｓが経過する前であっても、撮影時刻が後の時刻の静止画の撮影時刻となった場合は、撮影時刻が後の時刻の静止画が表示される。【０１４２】
図１５（ｄ）に示す例では、動画データＡが第１優先データ、動画データＢが第２優先データである。動画データＡの撮影時間が時刻ｔ３〜ｔ５、動画データＢの撮影時間が時刻ｔ１〜ｔ８である。また、静止画データＳ１、Ｓ２、Ｓ３、Ｓ４およびＳ５の撮影時刻が、それぞれ時刻ｔ２、ｔ４、ｔ５、ｔ６およびｔ７である。【０１４３】
この場合、静止画データＳ１〜Ｓ５は、同一時間帯において第２優先データである動画データＢと重複しているので、ＣＰＵ１０４により、静止画データＳ１〜Ｓ５は選択されない。ＣＰＵ１０４により選択される画像データは、動画データＡまたはＢである。すなわち、ＣＰＵ１０４によりモニタ１０５に表示される画像は、図５（ｂ）に示す場合と同様になる。【０１４４】
図１５（ｅ）に示す例では、静止画データが第１優先データ、動画データＡが第２優先データ、動画データＢ１ａ〜Ｂ１ｄで構成される動画データＢ１と動画データＢ２が非優先データである。動画データＡの撮影時間が時刻ｔ３〜ｔ５、動画データＢ１の撮影時間が時刻ｔ１〜ｔ７、動画データＢ２の撮影時間が時刻ｔ８〜ｔ９である。また、静止画データＳ１、Ｓ２、Ｓ３、Ｓ４およびＳ５の撮影時刻が、それぞれ時刻ｔ２、ｔ４、ｔ５、ｔ６およびｔ７である。【０１４５】
時刻ｔ１において、ＣＰＵ１０４により、動画データＢ１が選択され、モニタ１０５には動画データＢ１ａに対応する動画Ｂ１ａが表示される。第１優先データである静止画データＳ１の撮影時刻ｔ２においては、ＣＰＵ１０４により静止画データＳ１が選択される。ＣＰＵ１０４により、動画Ｂ１ａに代わって静止画Ｓ１がモニタ１０５に表示される。時刻ｔ２から再生時間ｔｓ経過した時刻ｔ２ａにおいては、ＣＰＵ１０４による静止画Ｓ１のモニタ１０５上への表示が終了される。そして、ＣＰＵ１０４により動画データＢ１ｃが選択され、ＣＰＵ１０４により、静止画Ｓ１に代わって動画データＢ１ｃに対応する動画Ｂ１ｃがモニタ１０５に表示される。【０１４６】
第２優先データである動画データＡの撮影開始時刻である時刻ｔ３においては、ＣＰＵ１０４により動画データＡが選択され、モニタ１０５には動画Ｂ１ｃに代わって動画Ａａが表示される。動画データＡａよりも優先順位の高い静止画データＳ２の撮影時刻ｔ４においては、ＣＰＵ１０４により静止画データＳ２が選択され、モニタ１０５には、ＣＰＵ１０４により動画Ａａに代わって静止画Ｓ２が表示される。時刻ｔ４から再生時間ｔｓ経過した時刻ｔ５においては、優先順位の高い静止画データＳ３の撮影時刻であるので、ＣＰＵ１０４により静止画データＳ３が選択される。この場合、モニタ１０５には、ＣＰＵ１０４により静止画Ｓ２に代わって静止画Ｓ３が表示される。【０１４７】
時刻ｔ５から再生時間ｔｓ経過していない時刻ｔ６においては、静止画データＳ４の撮影時刻であるので、ＣＰＵ１０４により静止画データＳ４が選択され、モニタ１０５には、静止画Ｓ３に代わって静止画Ｓ４が表示される。時刻ｔ６から再生時間ｔｓ経過した時刻ｔ７においては、静止画データＳ５の撮影時刻なので、ＣＰＵ１０４により静止画データＳ５が選択され、モニタ１０５には、静止画Ｓ４に代わって静止画Ｓ５が表示される。時刻ｔ７から再生時間ｔｓが経過した時刻ｔ９では、ＣＰＵ１０４により静止画Ｓ５のモニタ１０５の表示が終了される。動画データＢ２の撮影開始時刻ｔ８では、静止画Ｓ５の再生時間ｔｓが経過していないので、ＣＰＵ１０４により動画データＢ２は選択されない。【０１４８】
図１５（ｆ）に示す例では、動画データＡが第１優先データ、静止画データが第２優先データ、動画データＢが非優先データである。動画データＡ、動画データＢおよび静止画Ｓ１〜Ｓ５までの重複関係は、図１５（ｅ）と同様である。【０１４９】
時刻ｔ１において、ＣＰＵ１０４により、動画データＢ１が選択され、モニタ１０５には、動画データＢ１ａに対応する動画Ｂ１ａが表示される。第２優先データである静止画データＳ１の撮影時刻ｔ２においては、ＣＰＵ１０４により静止画データＳ１が選択され、モニタ１０５には、動画Ｂ１ａに代わって静止画Ｓ１が表示される。時刻ｔ２から再生時間ｔｓ経過した時刻ｔ２ａにおいては、ＣＰＵ１０４による静止画Ｓ１のモニタ１０５への表示が終了される。そして、ＣＰＵ１０４により動画データＢ１ｃが選択され、モニタ１０５には、静止画Ｓ１に代わって動画Ｂ１ｃが表示される。【０１５０】
第１優先データである動画データＡの撮影開始時刻である時刻ｔ３においては、ＣＰＵ１０４により動画データＡが選択され、モニタ１０５には、動画Ｂ１ｃに代わって動画Ａａが表示される。第２優先データである静止画データＳ２の撮影時刻である時刻ｔ４においても、ＣＰＵ１０４により第１優先データである動画データＡが選択され、モニタ１０５には、動画Ａの表示が継続される。すなわち、静止画Ｓ２はＣＰＵ１０４によりモニタ１０５に表示されない。動画データＡの撮影終了時刻であり、かつ静止画データＳ３の撮影時刻である時刻ｔ５においては、非優先データである動画データＢが存在するが、ＣＰＵ１０４により、第２優先データである静止画データＳ３が選択される。以後、図１５（ｅ）の場合と同様にして、ＣＰＵ１０４によりモニタ１０５に表示される画像が切り替わる。【０１５１】
Ｃ１−１（ｂ）：
動画編集モード設定において切替表示モードの優先カメラ設定モードで一方のみ表示モードが選択された場合の静止画同時刻挿入モードについて図１６を参照して説明する。
なお、一方のみ表示モードでは、撮影日時や撮影時刻が重複する２つの画像データについては優先する画像データのみを表示し、重複しない時間帯があったとしても非優先データは表示しないモードである。【０１５２】
図１６（ａ）に示す例は、図１５（ａ）に示す例と同様に、撮影時刻ｔ１、ｔ２、ｔ３をそれぞれ有する静止画データＳ１、Ｓ２、Ｓ３を編集対象画像データとして選択した場合を示す。この場合、ＣＰＵ１０４により、静止画データＳ１、Ｓ２およびＳ３が選択され、それぞれが連続して再生時間ｔｓづつ表示されるように連続した画像データとして編集される。【０１５３】
図１６（ｂ）に示す例は、動画データＡが優先データ、静止画データが非優先データに設定され、動画データＡと静止画データＳ１〜Ｓ３の関係が図１５（ｂ）と同様の場合を示す。時刻ｔ１において、ＣＰＵ１０４により静止画データＳ１が選択され、モニタ１０５に静止画Ｓ１が表示される。優先順位の高い動画データＡの撮影開始時刻である時刻ｔ２においては、時刻ｔ１から再生時間ｔｓが経過していないが、ＣＰＵ１０４により動画データＡが選択され、モニタ１０５には、静止画Ｓ１に代わって動画Ａが表示される。以後、時刻ｔ３およびｔ４において、静止画データＳ２およびＳ３の撮影時刻となる。しかし、ＣＰＵ１０４により優先順位の高い動画データＡの選択が継続される。ＣＰＵ１０４による動画データＡの選択は、動画データＡの撮影終了時刻である時刻ｔ５まで継続される。このように、動画データＡと静止画データＳ２およびＳ３とが同一時間帯で重複するが、時刻ｔ２以降、優先データとして選択された動画データＡのみがＣＰＵ１０４により選択される。【０１５４】
図１６（ｃ）に示す例では、動画データＡが非優先データ、静止画データが優先データに設定されている。そして、図１５（ｃ）と同様に、動画データＡの撮影時間が時刻ｔ２〜ｔ５、静止画データＳ１、Ｓ２およびＳ３の撮影時刻が、それぞれ時刻ｔ１、ｔ３およびｔ４である。【０１５５】
この例では、一方のみ表示モードが選択されているので、ＣＰＵ１０４により優先データである静止画データＳ１〜Ｓ３が選択され、動画データＡは選択されない。図１６（ｃ）では、時刻ｔ１ａ〜時刻ｔ３の区間では、選択された静止画データＳ１およびＳ２の間があいている。しかし、再生される３つの静止画データＳ１〜Ｓ３が連続した静止画データとして編集される。【０１５６】
図１６（ｄ）に示す例では、動画データＡが第１優先データ、動画データＢが第２優先データ、静止画データが非優先データである。そして、図１５（ｄ）と同様、動画データＡの撮影時間が時刻ｔ３〜ｔ５、動画データＢの撮影時間が時刻ｔ１〜ｔ８である。また、静止画データＳ１、Ｓ２、Ｓ３、Ｓ４およびＳ５の撮影時刻が、それぞれ時刻ｔ２、ｔ４、ｔ５、ｔ６およびｔ７である。【０１５７】
この例は、動画編集モード設定において一方のみ表示モードが選択された例である。時刻ｔ１〜ｔ８の区間で重複する動画データＢと静止画データＳ１〜Ｓ５については、動画データＢが静止画データＳ１〜Ｓ５に優先する。しかし、第２優先データである動画データＢは、時刻ｔ３〜ｔ５の区間で第１優先データの動画データＡと重複するので、第１優先データである動画データＡが動画Ｂに優先する。したがって、時刻ｔ１〜ｔ８の区間では、時刻ｔ３〜時刻ｔ５の撮影時間長を有する動画データＡだけがＣＰＵ１０４により選択される。【０１５８】
図１６（ｅ）に示す例では、図１５（ｅ）に示す例と同様に、静止画データが第１優先データ、動画データＡが第２優先データ、動画データＢ１ａ〜Ｂ１ｆで構成される動画データＢ１と動画データＢ２が非優先データである。そして、動画データＡの撮影時間が時刻ｔ３〜ｔ５、動画データＢ１の撮影時間が時刻ｔ１〜ｔ７、動画データＢ２の撮影時間が時刻ｔ８〜ｔ９である。また、静止画データＳ１、Ｓ２、Ｓ３、Ｓ４およびＳ５の撮影時刻が、それぞれ時刻ｔ２、ｔ４、ｔ５、ｔ６およびｔ７である。【０１５９】
この図１６（ｅ）の例は、動画編集モード設定において一方のみ表示モードが選択された例である。時刻ｔ１〜ｔ８の区間で重複する動画データＢ１と静止画データＳ１〜Ｓ５については、第１優先データである静止画データＳ１〜Ｓ５が非優先データである動画データＢ１に優先して、ＣＰＵ１０４により選択される。時刻ｔ３〜ｔ４の区間で重複する動画データＡと動画データＢ１については、第２優先データである動画データＡが非優先データである動画データＢ１に優先する。しかし、動画データＡは、時刻ｔ４〜ｔ５の区間で重複する静止画データＳ２，Ｓ３より優先順位が低いので、時刻ｔ３〜ｔ４の区間で動画データＡはＣＰＵ１０４により選択されない。時刻ｔ４〜ｔ５の区間では、ＣＰＵ１０４により静止画データＳ２およびＳ３が選択される。結局、時刻ｔ１〜ｔ８の区間では、静止画Ｓ１〜Ｓ５だけがＣＰＵ１０４により選択される。時刻ｔ８〜ｔ９は、動画データＢ２が単独で存在するので、時刻ｔ８〜時刻ｔ９の撮影時間長を有する動画データＢ２がＣＰＵ１０４によって選択される。【０１６０】
なお、時刻ｔ２ａ〜時刻ｔ３の間に動画データＢ１ｃが存在するが、動画データＢは静止画データより優先順位が低いのでＣＰＵ１０４により選択されない。また、静止画Ｓ３の再生時間内に静止画Ｓ４の撮影時刻が到来するので、静止画Ｓ３の再生時間は、時刻ｔ５〜ｔ６（＜ｔｓ）となる。さらに、静止画Ｓ５の再生時間内に動画Ｂ２の撮影開始時刻が到来するので、静止画Ｓ５の再生時間は、時刻ｔ７〜ｔ８（＜ｔｓ）となる。【０１６１】
図１６（ｅ）では、時刻ｔ２ａ〜時刻ｔ４の区間では、選択された静止画データＳ１およびＳ２の間があいている。しかし、図１６（ｃ）で説明したように、それぞれが時間ｔｓずつ再生される５つの静止画データＳ１〜Ｓ５が連続した静止画データとして編集される。【０１６２】
図１６（ｆ）に示す例では、動画データＡが第１優先データ、静止画データが第２優先データ、動画データＢが非優先データである。動画データＡ、動画データＢおよび静止画Ｓ１〜Ｓ５までの重複関係は、図１６（ｅ）と同様である。【０１６３】
この図１６（ｆ）の例は、動画編集モード設定において一方のみ表示モードが選択された例である。時刻ｔ１〜ｔ８の区間で重複する動画データＢ１と静止画データＳ１〜Ｓ５については、ＣＰＵ１０４により、第２優先データである静止画データＳ１〜Ｓ５が非優先データである動画データＢ１に優先して選択される。時刻ｔ３〜ｔ４の区間で重複する動画データＡと動画データＢ１については、第１優先データである動画データＡが非優先データである動画データＢ１に優先する。第１優先データの動画データＡは、時刻ｔ３〜ｔ５の区間で重複する第２優先データである静止画データＳ１，Ｓ２より優先順位が高いので、時刻ｔ３〜ｔ５の区間では、動画データＡがＣＰＵ１０４により選択される。結局、時刻ｔ１〜ｔ８の区間では、ＣＰＵ１０４によって、静止画Ｓ１、動画ＡａおよびＡｂ、静止画Ｓ３、Ｓ４およびＳ５が選択される。時刻ｔ８〜ｔ９においては、動画データＢ２が単独で存在するので、時刻ｔ８〜時刻ｔ９の撮影時間長を有する動画データＢ２がＣＰＵ１０４により選択される。【０１６４】
なお、図１６（ｅ）の場合と同様に、時刻ｔ２ａ〜時刻ｔ３の間に動画データＢ１ｃが存在するが、動画データＢは静止画データより優先順位が低いのでＣＰＵ１０４により選択されない。また、静止画Ｓ３の再生時間内に静止画Ｓ４の撮影時刻が到来するので、静止画Ｓ３の再生時間は、時刻ｔ５〜ｔ６（＜ｔｓ）となる。さらに、静止画Ｓ５の再生時間内に動画Ｂ２の撮影開始時刻が到来するので、静止画Ｓ５の再生時間は、時刻ｔ７〜ｔ８（＜ｔｓ）となる。【０１６５】
図１６（ｆ）では、時刻ｔ２ａ〜時刻ｔ３の区間では、選択された静止画データＳ１および動画データＡａの間があいている。しかし、図１６（ｃ）で説明したように、静止画データＳ１と動画データＡａは連続したデータとして編集される。【０１６６】
Ｃ１−２（ａ）：
動画編集モード設定において切替表示モードの長時間動画優先モードで組合表示モードが選択された場合の静止画同時刻挿入モードについて図１７を参照して説明する。【０１６７】
図１７（ａ）に示す例は、図１５（ａ）に示す例と同様に、撮影時刻ｔ１、ｔ２、ｔ３をそれぞれ有する静止画データＳ１、Ｓ２、Ｓ３を編集対象画像データとして選択した場合を示す。この場合、ＣＰＵ１０４により、静止画データＳ１、Ｓ２およびＳ３が選択され、それぞれが連続して再生時間ｔｓずつ表示されるように連続した画像データとして編集される。【０１６８】
図１７（ｂ）に示す例は、長時間優先モードで組合表示モードが設定され、動画データＡと静止画データＳ１〜Ｓ３の関係が図１５（ｂ）と同様の場合を示す。なお、この例では、動画データは所定の撮影時間長を有しており、静止画データよりも優先する。時刻ｔ１〜ｔ２の間には静止画データＳ１だけが存在する。この例では、組合せ表示モードが設定されているので、画像データＡと重複しない静止画データＳ１がＣＰＵ１０４により選択される。時刻ｔ２〜ｔ５の間では、長時間動画データである動画データＡが静止画データＳ２およびＳ３に優先してＣＰＵ１０４によって選択される。
なお、静止画Ｓ１の再生時間内に動画データＡの撮影開始時刻が到来するので、静止画Ｓ１の再生時間はｔｓより短い。【０１６９】
図１７（ｃ）は、長時間優先モードで組合表示モードが設定され、動画データＡおよびＢと静止画データＳ１〜Ｓ５の同一時間帯における重複関係が図１５（ｄ）と同様の場合を示す。この場合、ＣＰＵ１０４により、最も撮影時間が長い動画データＢが時刻ｔ１〜時刻ｔ８までの間選択される。すなわち、動画データＡおよび静止画データＳ１〜Ｓ５は動画データＢよりも撮影時間が短いため、ＣＰＵ１０４により選択されない。【０１７０】
図１７（ｄ）は、長時間優先モードで組合表示モードが設定され、動画データＡおよびＢと静止画データＳ１〜Ｓ５の同一時間帯における重複関係が図１５（ｅ）または（ｆ）と同様の場合を示す。この場合、時刻ｔ１〜時刻ｔ７までの間で、ＣＰＵ１０４により、最も撮影時間の長い動画データＢ１が選択される。ＣＰＵ１０４により、動画データＡおよび静止画データＳ１〜Ｓ４は選択されない。動画データＢ１の撮影終了時刻である時刻ｔ７においては、ＣＰＵ１０４により静止画データＳ５が選択され、モニタ１０５には、動画Ｂ１に代わって静止画Ｓ５が表示される。動画データＢ２の撮影開始時刻である時刻ｔ８においては、ＣＰＵ１０４により動画データＢ２が選択され、モニタ１０５には、時刻ｔ８〜ｔ９まで静止画データＳ５に代わって動画Ｂ２が表示される。すなわち、動画データＢ２は、動画データＡおよび静止画データＳ１〜Ｓ５と重複していないので、長時間優先の設定が適用されない。【０１７１】
図１７（ｅ）に示す例は、長時間優先モードで組合表示モードが設定され、撮影時刻ｔ１〜ｔ５を有する動画データＡの撮影時間長が、時刻ｔ３〜ｔ６を有する動画データＢの撮影時間長よりも長い場合である。また、静止画データＳ１、Ｓ２およびＳ３の撮影時刻がそれぞれ時刻ｔ２、ｔ４およびｔ７である。この場合、動画データＡと動画データＢとが時刻ｔ３〜時刻ｔ５の間で重複している。また、時刻ｔ２と時刻ｔ４において、静止画データＳ１およびＳ２が動画データＡと重複している。時刻ｔ１〜時刻ｔ６までの間は、図７（ｃ）と同様にして、ＣＰＵ１０４により動画ＡおよびＢがモニタ１０５上で切り替わって表示される。時刻ｔ７において、ＣＰＵ１０４により静止画データＳ３が選択され、モニタ１０５には再生時間ｔｓの間、静止画Ｓ３が表示される。【０１７２】
なお、図１７（ｅ）では、時刻ｔ６〜時刻ｔ７の区間では、選択された動画データＢおよび静止画データＳ３の間があいている。しかし、図１６（ｃ）で説明したように、静止画データＳ３は動画データＢｂと連続する静止画データとして編集される。【０１７３】
Ｃ１−２（ｂ）：
動画編集モード設定において切替表示モードの長時間動画優先モードで一方のみ表示モードが選択された場合の静止画同時刻挿入モードについて図１８を参照して説明する。【０１７４】
図１８（ａ）に示す例は、図１５（ａ）に示す例と同様に、撮影時刻ｔ１、ｔ２、ｔ３をそれぞれ有する静止画データＳ１、Ｓ２、Ｓ３を編集対象画像データとして選択した場合を示す。この場合、ＣＰＵ１０４により、静止画データＳ１、Ｓ２およびＳ３が選択され、それぞれが連続して再生時間ｔｓずつ表示されるように連続した画像データとして編集される。【０１７５】
図１８（ｂ）は、切替表示モードの長時間優先モードで一方のみ表示モードが設定され、動画データＡと静止画データＳ１〜Ｓ３の関係が図１７（ｂ）と同様の場合を示す。動画データは所定の撮影時間長を有しており、静止画データよりも優先する。時刻ｔ１〜ｔ２の間には静止画データＳ１だけが存在する。この例では、図１７（ｂ）の組合せ表示モードと異なる一方のみ表示モードが設定されているが、ＣＰＵ１０４により、画像データＡと重複しない静止画データＳ１が選択される。時刻ｔ２〜ｔ５の間では、長時間動画データである動画データＡが静止画データＳ２およびＳ３に優先してＣＰＵ１０４により選択される。
なお、静止画Ｓ１の再生時間内に動画データＡの撮影開始時刻が到来するので、静止画Ｓ１の再生時間はｔｓより短い。【０１７６】
図１８（ｃ）は、切替表示モードの長時間優先モードで一方のみ表示モードが設定され、動画データＡおよびＢと静止画データＳ１〜Ｓ５の関係が図１７（ｃ）と同様の場合を示す。この場合も、図１７（ｃ）の場合と同様に、ＣＰＵ１０４により動画データＢが時刻ｔ１〜時刻ｔ８までの間選択される。【０１７７】
図１８（ｄ）は、切替表示モードの長時間優先モードで一方のみ表示モードが設定され、動画データＡ、Ｂ１およびＢ２と静止画データＳ１〜Ｓ５の関係が図１７（ｄ）と同様の場合を示す。この場合も、図１７（ｄ）の場合と同様に、時刻ｔ１〜時刻ｔ７までの間で、最も撮影時間の長い動画データＢ１がＣＰＵ１０４により選択される。ＣＰＵ１０４により動画データＡおよび静止画データＳ１〜Ｓ４は選択されない。モニタ１０５には、ＣＰＵ１０４により時刻ｔ１〜時刻ｔ７までの間、動画Ｂ１が表示される。動画データＢ１の撮影終了時刻である時刻ｔ７においては、ＣＰＵ１０４により静止画データＳ５が選択され、モニタ１０５には、動画Ｂ１に代わって静止画Ｓ５が表示される。動画データＢ２の撮影開始時刻である時刻ｔ８においては、ＣＰＵ１０４により動画データＢ２が選択され、モニタ１０５には時刻ｔ８〜時刻ｔ９まで動画Ｂ２が表示される。
なお、静止画Ｓ５の再生時間内に動画データＢ２の撮影開始時刻が到来するので、静止画Ｓ５の再生時間はｔｓより短い。【０１７８】
図１８（ｅ）に示す例は、切替表示モードの長時間優先モードで組合表示モードが設定され、動画データＡおよびＢと静止画データＳ１〜Ｓ３の関係が図１７（ｅ）と同様の場合を示す。この場合、時刻ｔ１〜時刻ｔ５までの間は、図８（ｃ）と同様にして、ＣＰＵ１０４により動画データＡが選択され、モニタ１０５には、時刻ｔ５まで動画Ａが表示される。時刻ｔ７において、ＣＰＵ１０４により静止画データＳ３が選択され、モニタ１０５には静止画Ｓ３が時刻ｔ７から再生時間ｔｓの間表示される。
なお、図１８（ｅ）では、時刻ｔ５〜時刻ｔ７の区間では、選択された動画データＡおよび静止画データＳ３の間があいている。しかし、図１６（ｃ）で説明したように、静止画データＳ３は動画データＡｂと連続する静止画データとして編集される。【０１７９】
Ｃ１−３：
動画編集モード設定において切替表示モードのシーン開始優先モードが選択された場合の静止画同時刻挿入モードを図１９を参照して説明する。【０１８０】
図１９（ａ）は、撮影時刻ｔ１、ｔ２、ｔ３をそれぞれ有する静止画データＳ１、Ｓ２、Ｓ３を編集対象画像データとして選択した場合を示す。この場合、ＣＰＵ１０４により、静止画データＳ１、Ｓ２およびＳ３が選択され、それぞれが連続して再生時間ｔｓずつ表示されるように編集される。【０１８１】
図１９（ｂ）は、動画データＡが撮影時刻ｔ２〜ｔ６まで、静止画データＳ１、Ｓ２およびＳ３がそれぞれ撮影時刻ｔ１、ｔ３およびｔ４に存在する場合を示す。時刻ｔ１において、ＣＰＵ１０４により静止画データＳ１が選択され、モニタ１０５には静止画Ｓ１が表示される。動画データＡの撮影開始時刻である時刻ｔ２においては、時刻ｔ１から再生時間ｔｓが経過していないが、ＣＰＵ１０４により静止画データＳ１に代わって動画データＡが選択され、モニタ１０５には動画データＡａに対応する動画Ａａが表示される。静止画データＳ２の撮影時刻である時刻ｔ３においては、ＣＰＵ１０４により静止画データＳ２が選択され、モニタ１０５には、動画Ａａに代わって静止画Ｓ２が表示される。静止画Ｓ２の再生時間ｔｓ経過前に静止画データＳ３の撮影時刻ｔ４が到来すると、ＣＰＵ１０４により静止画データＳ３が選択される。以後、再生が開始される画像データが存在しないので、モニタ１０５には、ＣＰＵ１０４により静止画Ｓ３が撮影時間ｔｓの間表示される。【０１８２】
図１９（ｃ）は、切替表示モードでシーン開始優先モードが設定され、動画データＡおよびＢと静止画データＳ１〜Ｓ５の同一時間帯における重複関係が図１５（ｄ）、図１７（ｃ）と同様の場合を示す。時刻ｔ１で、ＣＰＵ１０４により動画データＢが選択され、モニタ１０５には動画Ｂが表示される。時刻ｔ２において、ＣＰＵ１０４により静止画データＳ１が選択され、モニタ１０５には動画Ｂに代わって静止画Ｓ１の表示が開始される。静止画Ｓ１は時刻ｔ２から再生時間ｔｓの間表示される。時刻ｔ２から再生時間ｔｓが経過した時刻ｔ２ａでは、新たに再生が開始される画像データが存在しないので、ＣＰＵ１０４により画像データは選択されない。時刻ｔ３になると動画データＡｃがＣＰＵ１０４により選択され、モニタ１０５には静止画Ｓ１と連続するように動画Ａｃが表示される。以後、ＣＰＵ１０４は、時刻ｔ４において静止画データＳ２を、時刻ｔ５において静止画データＳ３を、時刻ｔ６において静止画データＳ４を、時刻ｔ７において静止画データＳ５をそれぞれ選択する。【０１８３】
なお、撮影時刻ｔ５を有する静止画Ｓ３の再生中に時刻ｔ６で静止画データＳ４がＣＰＵ１０４により選択されるので、静止画Ｓ３の再生時間は再生時間ｔｓよりも短い。また、時刻ｔ８以降、再生が開始される画像データが存在しないので、モニタ１０５には、ＣＰＵ１０４により静止画Ｓ５が再生時間ｔｓの間表示される。【０１８４】
図１９（ｄ）は、切替表示モードでシーン開始優先モードが設定され、動画データＡおよびＢと静止画データＳ１〜Ｓ５の同一時間帯における重複関係が図１５（ｅ）または（ｆ）あるいは図１７（ｄ）と同様の場合を示す。この場合、時刻ｔ１〜時刻ｔ８までの間は、図１９（ｃ）に示す場合と同様にして、ＣＰＵ１０４により動画データＢ１ａと動画データＡａと静止画データＳ１〜Ｓ５とが選択される。時刻ｔ８になると動画データＢ２の撮影開始時刻になるので、ＣＰＵ１０４により動画データＢ２が選択され、モニタ１０５には時刻ｔ９までの間、動画Ｂ２が表示される。【０１８５】
なお、図１９（ｄ）では、時刻ｔ２ａ〜時刻ｔ３の区間では、選択された静止画データＳ１および動画データＡの間があいている。しかし、図１６（ｃ）で説明したように、静止画データＳ１と動画データＡａは連続する再生画像データとして編集される。【０１８６】
Ｃ１−４：
動画編集モード設定において切替表示モードの一定時間切替モードが選択された場合の静止画同時刻挿入モードを図２０を参照して説明する。なお、前述したように、動画データの切替時間はｔｍとして説明する。【０１８７】
図２０（ａ）に示す例は、図１５（ａ）に示す例と同様に、撮影時刻ｔ１、ｔ２、ｔ３をそれぞれ有する静止画データＳ１、Ｓ２、Ｓ３を編集対象画像データとして選択した場合を示す。この場合、ＣＰＵ１０４により、静止画データＳ１、Ｓ２およびＳ３が選択され、それぞれが連続して再生時間ｔｓずつ表示されるように連続した画像データとして編集される。【０１８８】
図２０（ｂ）は、動画データＡが撮影時刻ｔ２〜ｔ４まで存在し、静止画データＳ１およびＳ２が撮影時刻ｔ１、ｔ３で存在し、動画データＡと静止画データＳ２が同一時間帯で重複している場合を示す。時刻ｔ１で、ＣＰＵ１０４により静止画データＳ１が選択され、モニタ１０５には静止画Ｓ１が表示される。時刻ｔ２において、ＣＰＵ１０４により動画データＡが選択され、モニタ１０５には動画Ａが表示される。時刻ｔ３においては、ＣＰＵ１０４により静止画データＳ２が選択され、モニタ１０５には動画Ａに代わって静止画Ｓ２が表示される。以後、静止画像データＳ２が再生時間ｔｓの間再生表示される。すなわち、動画Ａと重複する静止画Ｓ２の表示時間に再生時間ｔｓが適用される。【０１８９】
図２０（ｃ）に示す例では、動画データＡ、動画データＢ１、動画データＢ２、静止画データＳ１〜Ｓ６が示されている。動画データＡの撮影時間は時刻ｔ３〜ｔ６までの間であり、動画データＢ１の撮影時間は時刻ｔ１〜ｔ９までの間である。動画データＢ２の撮影時間は時刻ｔ１０〜ｔ１１までの間である。静止画データＳ１、Ｓ２、Ｓ３、Ｓ４、Ｓ５およびＳ６の撮影時刻は、それぞれ時刻ｔ２、ｔ４、ｔ５、ｔ６、ｔ７およびｔ８である。動画データＡと動画データＢ１は時刻ｔ３〜時刻ｔ６までの間で重複し、静止画データＳ１〜Ｓ６は動画データＢ１と重複する。【０１９０】
時刻ｔ１でＣＰＵ１０４により動画データＢ１が選択され、モニタ１０５には動画Ｂ１が切替時間ｔｍの間表示される。静止画データＳ１の撮影時刻である時刻ｔ２では、時刻ｔ１からの切替時間ｔｍが経過していない。したがって、ＣＰＵ１０４により静止画データＳ１は選択されず、動画データＢ１の選択が継続される。モニタ１０５には動画データＢ１ｂに対応する動画Ｂ１ｂが表示される。時刻ｔ１から切替時間ｔｍが経過した時刻ｔ１ａにおいては、ＣＰＵ１０４により時刻ｔ２で撮影時刻を迎えた静止画データＳ１が選択され、モニタ１０５には動画Ｂ１ｂに代わって静止画Ｓ１が再生時間ｔｓの間表示される。【０１９１】
時刻ｔ１ａから再生時間ｔｓ経過した時刻ｔ２ａにおいては、ＣＰＵ１０４により動画データＢ１ｄが選択され、モニタ１０５には静止画Ｓ１に代わって動画Ｂ１ｄが切替時間ｔｍの間表示される。動画データＡの撮影開始時刻である時刻ｔ３では、時刻ｔ２ａからの切替時間ｔｍが経過していない。したがって、ＣＰＵ１０４により動画データＡは選択されず、動画データＢ１の選択が継続される。時刻ｔ２ａから切替時間ｔｍが経過した時刻ｔ３ａにおいては、ＣＰＵ１０４により時刻ｔ３で撮影開始時刻を迎えた動画データＡが選択され、モニタ１０５には動画データＡｂに対応する動画Ａｂが切替時間ｔｍの間表示される。時刻ｔ３ａから切替時間ｔｍ経過した時刻ｔ４ａでは、ＣＰＵ１０４により、時刻ｔ４で撮影時刻を迎えた静止画データＳ２が選択され、モニタ１０５には動画Ａｂに代わって静止画Ｓ２が再生時間ｔｓの間表示される。時刻ｔ４ａから再生時間ｔｓ経過した時刻ｔ５ａにおいては、ＣＰＵ１０４により、時刻ｔ５で撮影時刻を迎えた静止画データＳ３が選択され、モニタ１０５には静止画Ｓ３が再生時間ｔｓの間表示される。【０１９２】
時刻ｔ５ａから再生時間ｔｓ経過した時刻ｔ６ａにおいては、ＣＰＵ１０４により、時刻ｔ６で撮影時刻を迎えた静止画データＳ４が選択され、モニタ１０５には静止画Ｓ４が再生時間ｔｓの間表示される。時刻ｔ６ａから再生時間ｔｓが経過した時刻ｔ７ａでは、ＣＰＵ１０４により、時刻ｔ７で撮影時刻を迎えた静止画データＳ５が選択され、モニタ１０５には静止画Ｓ５が再生時間ｔｓの間表示される。時刻ｔ７ａから再生時間ｔｓ経過した時刻ｔ８ａにおいては、ＣＰＵ１０４により、時刻ｔ８で撮影時刻を迎えた静止画データＳ６が選択され、モニタ１０５には、静止画Ｓ６が再生時間ｔｓの間表示される。時刻ｔ８ａから再生時間ｔｓ経過した時刻ｔ９ａでは、ＣＰＵ１０４により動画データＢ１ｊが選択され、モニタ１０５には時刻ｔ９まで動画Ｂ１ｊが表示される。時刻ｔ１０では、ＣＰＵ１０４により動画データＢ２が選択され、モニタ１０５には動画Ｂ２が時刻１１まで表示される。【０１９３】
なお、図２０（ｃ）では、時刻ｔ９〜時刻ｔ１０の区間では、選択された動画データＢ１および動画データＢ２の間があいている。しかし、図１６（ｃ）で説明したように、動画データＢ１ｊと動画データＢ２は連続する再生画像データとして編集される。【０１９４】
Ｃ１−５：
動画編集モード設定において同時表示モードの並列表示モードが選択された場合の静止画同時刻挿入モードを図２１を参照して説明する。【０１９５】
撮影日時が同一時間帯において重複する複数の画像データに対応する画像が、モニタ１０５に２画面で並列表示される。３つ以上の画像データが同一時間帯で重複する場合には、並列表示される２つの異なる画像は入力装置１０１の操作により選択される。並列表示する画像の選択は、上述したように、モニタ１０５に表示されるメニュー画面上で行なわれる。また、選択した画像をモニタ１０５の左右の画面のいずれかに表示するかを選択することもできる。【０１９６】
ここで説明する例では、動画データの撮影開始時刻ｔ２００よりも特定の時間ｔｒ前に静止画データの撮影時刻ｔ１００があるものとし、動画表示に先立つ所定時間ｔａ前から、すなわち（動画撮影開始時刻ｔ２００―所定時間ｔａ）で示される時刻ｔ３００から静止画の表示を開始するものとする。そして、時間ｔｒと所定時間ｔａとの長短関係により次のように、動画表示前の表示画面制御を行う。【０１９７】
（ａ）時間ｔｒが所定時間ｔａよりも長い場合、ＣＰＵ１０４は、撮影時刻ｔ１００から時刻ｔ３００まではモニタ１０５に黒画面を表示する。さらに、ＣＰＵ１０４は、時刻ｔ３００から動画撮影開始時刻ｔ２００までの所定時間ｔａの間、静止画データに対応する静止画を表示する。
（ｂ）時間ｔｒが所定時間ｔａ未満の場合、ＣＰＵ１０４は、静止画撮影時刻ｔ１００〜動画撮影開始時刻ｔ２００までの時間ｔｒの間、静止画データに対応する静止画を表示する。【０１９８】
次に、同時表示モードの並列表示モードが選択された場合の静止画同時刻挿入モードを図２１を参照して詳細に説明する。図２１においては、動画をモニタ１０５の左画面に、静止画をモニタ１０５の右画面に表示するように設定されているものとする。【０１９９】
図２１（ａ）では、図１５（ａ）の場合と同様に、ＣＰＵ１０４により、静止画データＳ１、Ｓ２およびＳ３に対応する静止画Ｓ１、Ｓ２およびＳ３のそれぞれが、再生時間ｔｓ経過するごとに切り替わってモニタ１０５の右画面に表示される。モニタ１０５の左画面には黒画面が表示される。【０２００】
図２１（ｂ）に示す例では、動画データＡの撮影時間が時刻ｔ２〜ｔ５までの間であり、静止画データＳ１、Ｓ２およびＳ３の撮影時刻が、それぞれ時刻ｔ１、ｔ３およびｔ４であり、動画データＡと静止画データＳ２およびＳ３とが重複している。また、静止画データＳ１の撮影時刻ｔ１と、動画データＡの撮影開始時刻ｔ２との間の時間ｔｒ（＝ｔ２−ｔ１）は所定時間ｔａよりも短い、すなわち（ｔ２−ｔ１＜ｔａ）とする。したがって、時刻ｔ１において、ＣＰＵ１０４により静止画データＳ１が右画面表示画像データとして選択され、モニタ１０５の右画面に静止画データＳ１に対応する静止画Ｓ１が表示される。また、ＣＰＵ１０４により、モニタ１０５の左画面には黒画面が表示される。【０２０１】
時刻ｔ２において、ＣＰＵ１０４により、動画データＡが左画面表示画像データとして選択され、モニタ１０５の左画面の表示が黒画面から動画Ａに切り替わる。モニタ１０５の左画面には、動画データＡの撮影終了時刻である時刻ｔ５まで、ＣＰＵ１０４により動画Ａが表示される。時刻ｔ３において、ＣＰＵ１０４により、静止画データＳ２が右画面表示画像データとして選択され、モニタ１０５の右画面の表示が静止画Ｓ１から静止画Ｓ２に切り替わる。時刻ｔ４において、ＣＰＵ１０４により、静止画データＳ３が右画面表示画像データとして選択され、モニタ１０５の右画面の表示が静止画Ｓ２から静止画Ｓ３へ切り替わる。モニタ１０５の右画面における静止画Ｓ３の表示は、ＣＰＵ１０４により動画データＡの撮影終了時刻である時刻ｔ５で終了される。【０２０２】
図２１（ｃ）に示す例では、動画データＡ、動画データＢ、静止画データＳ１〜Ｓ７が示されている。動画データＡの撮影時間は時刻ｔ３〜ｔ６までの間であり、動画データＢの撮影時間は時刻ｔ１〜ｔ９までの間である。静止画データＳ１〜Ｓ７の撮影時刻は、それぞれ時刻ｔ２、ｔ４、ｔ５、ｔ６、ｔ７、ｔ８およびｔ１０である。この場合、動画データＡおよびＢが時刻ｔ３〜時刻ｔ６までの間で重複し、静止画データＳ２〜Ｓ３が動画データＡおよびＢと重複し、静止画データＳ１〜Ｓ６が動画データＢと重複している。さらに、静止画データＳ１の撮影時刻ｔ２と、動画データＡの撮影開始時刻ｔ３との間の時間ｔｒ（＝ｔ３−ｔ２）は所定時間ｔａよりも長い、すなわち（ｔ３−ｔ２＞ｔａ）とする。また、入力装置１０１の操作により、モニタ１０５の右画面に静止画Ｓが、左画面に動画Ａが表示されるように設定されているものとする。【０２０３】
時刻ｔ１で動画データＢの撮影開始時刻になるが、モニタ１０５に動画Ｂが表示される設定ではない。したがって、ＣＰＵ１０４により動画データＢは選択されない。時刻ｔ２において、静止画データＳ１の撮影時刻となるが、ｔｒ＞ｔａであるので、時刻ｔ２では、ＣＰＵ１０４により静止画データＳ１は選択されない。時刻ｔ３よりも所定時間ｔａ前の時刻である時刻ｔ２ａにおいて、ＣＰＵ１０４により、静止画データＳ１が右画面表示画像データとして選択され、モニタ１０５の右画面に静止画Ｓ１が表示される。さらに、モニタ１０５の左画面には黒画面が表示される。【０２０４】
時刻ｔ３では、ＣＰＵ１０４により、動画データＡが左画面表示画像データとして選択され、モニタ１０５の左画面に動画Ａが表示される。時刻ｔ４においては、ＣＰＵ１０４により、静止画データＳ２が右画面表示画像データとして選択され、モニタ１０５の右画面が静止画Ｓ１から静止画Ｓ２の表示に切り替わる。さらに時刻ｔ５において、ＣＰＵ１０４により、静止画データＳ３が右画面表示画像データとして選択され、モニタ１０５の右画面が静止画Ｓ２から静止画Ｓ３の表示へ切り替わる。静止画データＳ４〜Ｓ７は動画データＡと重複していない。したがって、ＣＰＵ１０４により、モニタ１０５の右画面は再生時間ｔｓごとに静止画Ｓが切り替わって表示される。時刻ｔ６において、ＣＰＵ１０４による動画Ａの表示が終了される。時刻ｔ６以降、モニタ１０５の右画面における静止画Ｓ７の表示が終了する時刻ｔ９ａまで、モニタ１０５の左画面はＣＰＵ１０４により黒画面が表示される。【０２０５】
図２１（ｄ）に示す例では、動画データＡ、動画データＢ、静止画データＳ１〜Ｓ５が示されている。動画データＡの撮影時間は時刻ｔ３〜ｔ５までの間であり、動画データＢの撮影時間は時刻ｔ１〜ｔ８までの間である。静止画データＳ１〜Ｓ５の撮影時刻は、それぞれ時刻ｔ２、ｔ４、ｔ５、ｔ６、およびｔ７である。この場合、動画データＡおよびＢが時刻ｔ３〜時刻ｔ５までの間で重複し、静止画データＳ１〜Ｓ５が動画データＢと重複している。また、入力装置１０１の操作により、モニタ１０５の右画面に静止画Ｓが、左画面に動画Ｂが表示されるように設定されているものとする。【０２０６】
時刻ｔ１において、ＣＰＵ１０４により、動画データＢが左画面表示画像データとして選択され、モニタ１０５の左画面に動画Ｂが表示される。以後、モニタ１０５の左画面には、ＣＰＵ１０４により時刻ｔ８まで動画Ｂが表示される。一方、時刻ｔ１において、モニタ１０５の右画面にはＣＰＵ１０４により黒画面が表示される。時刻ｔ２において、ＣＰＵ１０４により、静止画データＳ１が右画面表示画像データとして選択され、モニタ１０５の右画面に静止画Ｓ１が表示される。静止画データＳ２の撮影時刻である時刻ｔ４において、ＣＰＵ１０４により、静止画データＳ２が右画面表示画像データとして選択され、モニタ１０５の右画面の表示は、静止画Ｓ１から静止画Ｓ２に切り替わる。静止画データＳ３の撮影時刻である時刻ｔ５において、ＣＰＵ１０４により、静止画データＳ３が右画面表示画像データとして選択され、モニタ１０５の右画面の表示は、静止画Ｓ２から静止画Ｓ３に切り替わる。静止画データＳ４の撮影時刻である時刻ｔ６において、ＣＰＵ１０４により、静止画データＳ４が右画面表示画像データとして選択され、モニタ１０５の右画面の表示は、静止画Ｓ３から静止画Ｓ４に切り替わる。静止画データＳ５の撮影時刻である時刻ｔ７において、ＣＰＵ１０４により、静止画データＳ５が右画面表示画像データとして選択され、モニタ１０５の右画面の表示は、静止画Ｓ４から静止画Ｓ５に切り替わる。時刻ｔ７以降、モニタ１０５の左画面における動画Ｂの表示が終了する時刻ｔ８まで、モニタ１０５の右画面はＣＰＵ１０４により静止画Ｓ５が表示される。【０２０７】
Ｃ１−６：
動画編集モード設定において同時表示モードの小画面表示モードで優先カメラ設定モードが選択された場合の静止画同時刻挿入モードを図２２、図２３を参照して説明する。【０２０８】
複数の画像データが同一時間帯で重複する場合に、ＣＰＵ１０４は、使用者により優先カメラとして選択された電子カメラ２００で撮影された画像データを優先データとして選択する。優先データとして選択された画像データに対応する画像が、ＣＰＵ１０４によりモニタ１０５の大画面表示領域に表示される。優先データに選択されない画像データに対応する画像は、ＣＰＵ１０４によりモニタ１０５の小画面表示領域に表示される。【０２０９】
優先カメラの選択は、前述したように、モニタ１０５に表示されたメニュー画面において、プルダウン表示されたカメラ名を選択することで設定される。また、静止画に関しては常に小画面表示領域に再生表示されるように設定することができる。この設定も、モニタ１０５に表示されるメニュー画面から入力装置１０１の操作により行われる。【０２１０】
さらに、静止画データの撮影時刻が（動画データの撮影開始時刻―所定時間ｔａ）で計算される時刻より前の場合は、ＣＰＵ１０４は、静止画の表示を開始する時刻を、並列表示モードの場合と同様にして変更する。ただし、静止画の表示が小画面表示領域で行なわれるように設定されている場合においては、ＣＰＵ１０４は静止画の表示と動画の表示とを同時に開始する。【０２１１】
次に、図２２、図２３の具体例を参照しながら説明する。図２２（ａ）では、図２１（ａ）の場合と同様にして、ＣＰＵ１０４によりモニタ１０５の大画面表示領域に再生時間ｔｓごとに静止画像データＳ１、Ｓ２、Ｓ３が切り替わって表示される。モニタ１０５に小画面表示領域は表示されない。【０２１２】
図２２（ｂ）に示す例は、動画データを優先データ、静止画データを非優先データとした場合の一例である。優先データとして選択された動画データＡの撮影時間が時刻ｔ２〜ｔ５までの間であり、非優先データである静止画データＳ１、Ｓ２、Ｓ３およびＳ４の撮影時刻が、それぞれ時刻ｔ１、ｔ３、ｔ４およびｔ６である場合を示す。動画データＡは静止画データＳ２およびＳ３と重複している。さらに静止画データＳ１の撮影時刻ｔ１は、（動画データＡの撮影開始時刻ｔ２―所定時間ｔａ）で計算される時刻よりも前とする。したがって、時刻ｔ１においては、ＣＰＵ１０４により、モニタ１０５の大画面表示領域に静止画Ｓ１が表示されない。時刻ｔ２よりも時間ｔａだけ前の時刻ｔ２ａにおいて、ＣＰＵ１０４により静止画データＳ１が大画面表示画像データとして選択され、この静止画データＳ１に対応する静止画Ｓ１がモニタ１０５の大画面表示領域に表示される。このとき、モニタ１０５に小画面表示領域は表示されない。【０２１３】
時刻ｔ２において、ＣＰＵ１０４により、優先データである動画データＡが大画面表示画像データとして選択される。モニタ１０５の大画面表示領域には、ＣＰＵ１０５により静止画Ｓ１に代わって動画Ａが表示される。モニタ１０５の小画面表示領域には、ＣＰＵ１０４により小画面表示画像データとして選択された静止画データＳ１に対応する静止画Ｓ１が表示される。時刻ｔ３では、ＣＰＵ１０４により、静止画データＳ２が小画面表示画像データとして選択され、モニタ１０５の小画面表示領域における表示が静止画Ｓ１から静止画Ｓ２へ切り替わる。さらに、時刻ｔ４では、ＣＰＵ１０４により、静止画データＳ３が小画面表示画像データとして選択され、モニタ１０５の小画面表示領域における表示が静止画Ｓ２から静止画Ｓ３へ切り替わる。動画データＡの撮影終了時刻である時刻ｔ５においては、ＣＰＵ１０４によりモニタ１０５の大画面表示領域における動画Ａの表示が終了される。さらに、時刻ｔ５において、ＣＰＵ１０４によりモニタ１０５の小画面表示領域の表示も終了される。このとき、撮影時刻が時刻ｔ６である静止画データＳ４が、大画面表示画像データとしてＣＰＵ１０４に選択される。したがって、静止画Ｓ４は、動画Ａに連続するように時刻ｔ５から再生時間ｔｓの間、モニタ１０５の大画面表示領域に表示される。【０２１４】
図２２（ｃ）に示す例は、静止画データを優先データ、動画データを非優先データとした場合の一例であり、動画データＡと静止画データＳ１〜Ｓ４の重複関係が図２２（ｂ）と同様の場合を示す。【０２１５】
したがって、図２２（ｂ）の場合と同様に、時刻ｔ２よりも時間ｔａだけ前の時刻ｔ２ａにおいて、ＣＰＵ１０４により静止画データＳ１が大画面表示画像データとして選択され、静止画データＳ１に対応する静止画Ｓ１がモニタ１０５の大画面表示領域に表示される。静止画Ｓ１は時刻ｔ３まで大画面表示領域に表示される。このとき、モニタ１０５に小画面表示領域は表示されない。時刻ｔ２では、ＣＰＵ１０４により、動画データＡが小画面表示画像データとして選択され、モニタ１０５の小画面表示領域において優先順位の低い動画Ａが表示される。モニタ１０５の小画面表示領域における動画Ａの表示は、ＣＰＵ１０４により動画データＡの撮影終了時刻である時刻ｔ５まで継続される。時刻ｔ５以後、モニタ１０５に小画面表示領域は表示されない。【０２１６】
時刻ｔ３では、ＣＰＵ１０４により、静止画データＳ２が大画面表示画像データとして選択され、モニタ１０５の大画面表示領域において、静止画Ｓ１から静止画Ｓ２に表示が切り替わる。時刻ｔ４では、ＣＰＵ１０４により、静止画データＳ３が大画面表示画像データとして選択され、モニタ１０５の大画面表示領域において、静止画Ｓ２から静止画Ｓ３に表示が切り替わる。時刻ｔ４から再生時間ｔｓが経過した時刻ｔ４ａでは、撮影時刻が時刻ｔ６である静止画データＳ４が、ＣＰＵ１０４に大画面表示画像データとして選択される。したがって、静止画Ｓ４は、静止画Ｓ３に連続するように、時刻ｔ４ａから再生時間ｔｓが経過する時刻ｔ５ａまで、モニタ１０５の大画面表示領域に表示される。【０２１７】
図２２（ｄ）に示す例は、静止画をモニタ１０５の小画面表示領域に常時表示するように設定さている例であり、動画データＡと静止画データＳ１〜Ｓ４の重複関係が図２２（ｂ）と同様の場合を示す。【０２１８】
時刻ｔ１においては、ＣＰＵ１０４により静止画データＳ１は選択されない。時刻ｔ２において、ＣＰＵ１０４により、動画データＡが大画面表示画像データとして選択され、モニタ１０５の大画面表示領域に動画Ａが表示される。さらに、ＣＰＵ１０４により、静止画データＳ１が小画面表示画像データとして選択され、モニタ１０５の小画面表示領域に静止画Ｓ１が表示される。時刻ｔ３では、ＣＰＵ１０４により、静止画データＳ２が小画面表示画像データとして選択され、モニタ１０５の小画面表示領域において静止画Ｓ１から静止画Ｓ２に表示が切り替わる。時刻ｔ４では、ＣＰＵ１０４により、静止画データＳ３が小画面表示画像データとして選択され、モニタ１０５の小画面表示領域における表示が、静止画Ｓ２から静止画Ｓ３へ切り替わる。【０２１９】
動画データＡの撮影終了時刻である時刻ｔ５では、ＣＰＵ１０４により動画データＡを構成する最後の１コマが選択され、モニタ１０５の大画面表示領域に動画データＡを構成する最後の１コマが静止画として表示される。ここで、動画データＡは、複数の静止画データが連続している画像データであり、最後の１コマとは、複数の静止画データの最後の１コマである。【０２２０】
一方、撮影時刻ｔ５に対応する再生時刻での小画面表示画像データとして静止画データＳ４がＣＰＵ１０４により選択され、時刻ｔ５に対応する再生時刻においては、ＣＰＵ１０４により、時刻ｔ６を撮影時刻とする静止画Ｓ４がモニタ１０５に表示される。静止画Ｓ４は、ＣＰＵ１０４によりモニタ１０５の小画面表示領域に再生時間ｔｓの間表示される。時刻ｔ６から再生時間ｔｓが経過した時刻ｔ６ａにおいては、ＣＰＵ１０４によりモニタ１０５の小画面表示領域における静止画Ｓ４の表示が終了される。さらに、ＣＰＵ１０４により、モニタ１０５の大画面表示領域における動画データＡの最後の１コマの静止画としての表示も終了される。【０２２１】
図２２（ｅ）に示す例は、動画データＡが第１優先データ、動画データＢが第２優先データ、静止画データが非優先データとして設定されている場合の一例である。また、図２２（ｅ）は、動画データＡおよびＢと静止画データＳ１〜Ｓ５の重複関係が図１５（ｄ）と同様の場合を示す。【０２２２】
時刻ｔ１において、ＣＰＵ１０４により動画データＢが大画面表示画像データとして選択され、動画Ｂがモニタ１０５の大画面表示領域に表示される。このとき、モニタ１０５に小画面表示領域は表示されていない。静止画データＳ１の撮影時刻である時刻ｔ２では、モニタ１０５の大画面表示領域においては、ＣＰＵ１０４により優先順位の高い動画Ｂの表示が継続される。また時刻ｔ２において、ＣＰＵ１０４により、静止画データＳ１が小画面表示画像データとして選択され、モニタ１０５の小画面表示領域にＣＰＵ１０４により静止画Ｓ１が表示される。動画データＡの撮影開始時刻である時刻ｔ３では、ＣＰＵ１０４により、動画データＡが大画面表示画像データとして選択され、モニタ１０５の大画面表示領域における表示が優先順位の最も高い動画Ａに切り替わる。さらに、ＣＰＵ１０４により、動画データＢが小画面表示画像データとして選択され、モニタ１０５の小画面表示領域における静止画Ｓ１の表示が、ＣＰＵ１０４により第２優先データである動画データＢｂに対応する動画Ｂｂに切り替わる。すなわち、ＣＰＵ１０４により、静止画Ｓ１は表示されない。【０２２３】
時刻ｔ４においても、ＣＰＵ１０４によるモニタ１０５の大画面表示領域における動画Ａの表示、およびモニタ１０５の小画面表示領域における動画Ｂｂの表示は継続される。すなわち、優先順位の低い静止画Ｓ２は、ＣＰＵ１０４によりモニタ１０５に表示されない。時刻ｔ５で、ＣＰＵ１０４により動画Ａのモニタ１０５の大画面表示領域における表示が終了される。このとき、ＣＰＵ１０４は、動画データＢｃを大画面表示画像データとして選択するとともに、静止画データＳ３を小画面表示画像データとして選択する。その結果、ＣＰＵ１０４によるモニタ１０５の大画面表示領域における動画Ａの表示が第２優先データである動画データＢｃに対応する動画Ｂｃに切り替わる。また、モニタ１０５の小画面表示領域における動画Ｂｂの表示がＣＰＵ１０４により静止画Ｓ３に切り替わる。以後、モニタ１０５の大画面表示領域には優先順位の高い動画Ｂｃの表示がＣＰＵ１０４により継続される。【０２２４】
時刻ｔ６では、ＣＰＵ１０４により、静止画データＳ４が小画面表示画像データとして選択され、モニタ１０５の小画面表示領域における表示が静止画Ｓ３から静止画Ｓ４に切り替わる。時刻ｔ７では、静止画データＳ５が小画面表示画像データとして選択され、モニタ１０５の小画面表示領域における再生表示がＣＰＵ１０４により静止画Ｓ４から静止画Ｓ５に切り替わる。動画データＢの撮影終了時刻である時刻ｔ８では、ＣＰＵ１０４により、モニタ１０５の大画面表示領域における動画Ｂｃ、およびモニタ１０５の小画面表示領域における静止画Ｓ５の表示が終了される。【０２２５】
図２２（ｆ）に示す例は、動画データＡが第１優先データ、静止画データが第２優先データ、動画データＢが非優先データとして設定されている場合の一例である。動画データＡの撮影時間が時刻ｔ３〜ｔ５までの間であり、動画データＢ１の撮影時間が時刻ｔ１〜ｔ７までの間であり、動画データＢ２の撮影時間が時刻ｔ９〜ｔ１０までの間である。また、静止画データＳ１、Ｓ２、Ｓ３、Ｓ４およびＳ５の撮影時刻が、それぞれ時刻ｔ２、ｔ４、ｔ５、ｔ６およびｔ８である。この場合、動画データＡおよびＢ１が時刻ｔ３〜時刻ｔ５までの間で重複し、静止画データＳ１〜Ｓ４が動画データＢ１と重複している。【０２２６】
時刻ｔ１において、ＣＰＵ１０４により、動画データＢ１が大画面表示画像データとして選択され、モニタ１０５の大画面表示領域に動画データＢ１ａに対応する動画Ｂ１ａの再生表示が開始される。このとき、モニタ１０５に小画面表示領域は表示されない。時刻ｔ２では、静止画データＳ１が大画面表示画像データとして選択され、動画データＢ１ｂが小画面表示画像データとして選択される。その結果、時刻ｔ２では、ＣＰＵ１０４によりモニタ１０５の大画面表示領域において、優先順位の高い静止画像データＳ１に対応する静止画Ｓ１が動画Ｂ１ａに代わって表示される。また、モニタ１０５の小画面表示領域においては、ＣＰＵ１０４により動画Ｂ１ｂが表示される。時刻ｔ２から再生時間ｔｓ経過した時刻ｔ２ａでは、ＣＰＵ１０４により、モニタ１０５の大画面表示領域における静止画Ｓ１の表示が終了される。モニタ１０５の大画面表示領域には、ＣＰＵ１０４により静止画Ｓ１に代わって、大画面表示画像データとして選択された動画データＢ１ｃに対応する動画Ｂ１ｃが表示される。また、ＣＰＵ１０４により、モニタ１０５の小画面表示領域における動画Ｂ１ｂの表示は終了される。すなわち、モニタ１０５に小画面表示領域は表示されない。【０２２７】
時刻ｔ３では、ＣＰＵ１０４により、動画データＡが大画面表示画像データとして選択され、モニタ１０５の大画面表示領域における表示が動画Ｂ１から優先順位の高い動画データＡに対応する動画Ａに切り替わる。以後、動画データＡの撮影終了時刻である時刻ｔ５まで、ＣＰＵ１０５によりモニタ１０５の大画面表示領域に動画Ａが表示される。さらに、時刻ｔ３では、ＣＰＵ１０４により動画データＢ１ｄが小画面表示画像データとして選択され、動画Ｂ１ｄがモニタ１０５の小画面表示領域に表示される。【０２２８】
第２優先データに選択された静止画データＳ２の撮影時刻ｔ４では、ＣＰＵ１０４により静止画データＳ２が小画面表示画像データとして選択され、モニタ１０５の小画面表示領域における表示が動画Ｂ１ｄから静止画Ｓ２に切り替わる。時刻ｔ５においては、モニタ１０５の大画面表示領域における動画Ａの表示がＣＰＵ１０４により終了される。また、時刻ｔ５は第２優先データである静止画像データＳ３の撮影時刻でもあるので、ＣＰＵ１０４により静止画データＳ３が大画面表示画像データとして選択され、モニタ１０５の大画面表示領域に動画Ａｂに代わって静止画Ｓ３が表示される。さらに、時刻ｔ５では、動画データＢ１ｆが小画面表示画像データとして選択され、モニタ１０５の小画面表示領域においては、ＣＰＵ１０４により静止画Ｓ２から動画Ｂ１ｆの表示に切り替わる。静止画データＳ４の撮影時刻である時刻ｔ６では、ＣＰＵ１０４により、静止画データＳ４が大画面表示画像データとして選択され、モニタ１０５の大画面表示領域における表示が静止画Ｓ３から静止画Ｓ４へ切り替わる。モニタ１０５の小画面表示領域においては、ＣＰＵ１０４により動画Ｂ１ｆの表示が継続される。【０２２９】
時刻ｔ６から再生時間ｔｓが経過した時刻ｔ７では、ＣＰＵ１０４により、静止画データＳ５が大画面表示画像データとして選択され、モニタ１０５の大画面表示領域における静止画Ｓ４の表示が、ＣＰＵ１０４により、撮影時刻が時刻ｔ８である静止画Ｓ５に切り替わる。すなわち、ＣＰＵ１０４により、静止画Ｓ５は静止画Ｓ４と連続する再生画像として編集される。また、時刻ｔ７は、動画データＢ１の撮影終了時刻なので、ＣＰＵ１０４によりモニタ１０５の小画面表示領域における動画Ｂ１ｆの表示が終了される。さらに、ＣＰＵ１０４により、動画データＢ２が小画面表示画像データとして選択され、モニタ１０５の小画面表示領域において、撮影開始時刻が時刻ｔ９である動画Ｂ２が表示される。【０２３０】
すなわち、モニタ１０５の大画面表示領域に画像が表示されない時間が生じないようにするために、ＣＰＵ１０４は静止画Ｓ５の表示開始を早める。また、静止画Ｓ５の表示開始が早められたことに伴い、モニタ１０５の大画面表示領域に静止画のみが表示されることがないように、ＣＰＵ１０４は動画データＢ２の表示開始時刻も、時刻ｔ９から時刻ｔ７に早める。【０２３１】
時刻ｔ７から動画データＢ２の撮影時間である時間（ｔ１０−ｔ９）が経過した時刻ｔ７ａでは、ＣＰＵ１０４により、モニタ１０５の小画面表示領域における動画Ｂ２の表示が終了される。なお、時間（ｔ１０−ｔ９）＜ｔｓとする。また、時刻ｔ７から再生時間ｔｓが経過していないが、ＣＰＵ１０４によりモニタ１０５の大画面表示領域における静止画Ｓ５の表示も終了される。したがって、モニタ１０５の大画面表示領域に静止画像のみが表示されることがなくなる。【０２３２】
図２３（ａ）に示す例は、静止画データＳ１〜Ｓ５が第１優先データ、動画データＡが第２優先データ、動画データＢが非優先データとして設定されている場合の一例である。また、図２３（ａ）は、動画データＡ、Ｂ１およびＢ２と静止画データＳ１〜Ｓ５の重複関係が図２２（ｆ）と同様である場合を示す。【０２３３】
時刻ｔ１〜時刻ｔ４までは、図２２（ｆ）と同様にしてＣＰＵ１０４によりモニタ１０５の大画面表示領域と小画面表示領域のそれぞれに対して、画像の表示が行なわれる。第１優先データである静止画データＳ２の撮影時刻である時刻ｔ４では、ＣＰＵ１０４により静止画データＳ２が大画面表示画像データとして選択され、動画データＡｂが小画面表示画像データとして選択される。その結果、モニタ１０５の大画面表示領域において、ＣＰＵ１０４により動画Ａａから静止画Ｓ２へ表示が切り替わる。また、モニタ１０５の小画面表示領域において、ＣＰＵ１０４により、動画Ｂ１ｄから第２優先データである動画データＡｂに対応する動画Ａｂに表示が切り替わる。時刻ｔ５以降は、図２２（ｆ）に示す場合と同様にして、ＣＰＵ１０４によりモニタ１０５の大画面表示領域と小画面表示領域のそれぞれに対して、画像の表示が行なわれる。【０２３４】
図２３（ｂ）に示す例では、優先データとして選択された動画データＡの撮影時間が時刻ｔ３〜ｔ５までの間であり、動画データＢ１の撮影時間が時刻ｔ１〜ｔ７までの間であり、動画データＢ２の撮影時間が時刻ｔ９〜ｔ１０までの間である。また、静止画データＳ１、Ｓ２、Ｓ３、Ｓ４、Ｓ５、Ｓ６およびＳ７の撮影時刻が、それぞれ時刻ｔ２、ｔ４、ｔ５、ｔ６、ｔ８、ｔ１１およびｔ１２である。この場合、動画データＡおよびＢ１が時刻ｔ３〜時刻ｔ５までの間で重複し、静止画データＳ１〜Ｓ４が動画データＢ１と重複している。また、静止画はモニタ１０５の小画面表示領域に表示されるように設定さているものとする。【０２３５】
時刻ｔ１において、ＣＰＵ１０４により動画データＢ１ａが大画面表示画像データとして選択され、モニタ１０５の大画面表示領域に動画Ｂ１ａが表示される。このとき、モニタ１０５に小画面表示領域は表示されていない。時刻ｔ２では、ＣＰＵ１０４により、静止画データＳ１が小画面表示画像データとして選択され、モニタ１０５の小画面表示領域において静止画Ｓ１が表示される。モニタ１０５の大画面表示領域においては、ＣＰＵ１０４により動画Ｂ１の表示が継続される。時刻ｔ２から再生時間ｔｓが経過しても、ＣＰＵ１０４によりモニタ１０５の小画面表示領域における静止画Ｓ１の表示が継続される。第１優先データである動画データＡの撮影開始時刻である時刻ｔ３では、ＣＰＵ１０４により、動画データＢよりも優先順位の高い動画データＡが大画面表示画像データとして選択され、モニタ１０５の大画面表示領域において、ＣＰＵ１０４により動画Ｂ１から動画Ａの表示に切り替わる。このとき、モニタ１０５の小画面表示領域においては、ＣＰＵ１０４により小画面表示画像データとして選択された静止画データＳ１に対応する静止画Ｓ１の表示が継続される。【０２３６】
時刻ｔ４では、ＣＰＵ１０４により静止画データＳ２が小画面表示画像データとして選択され、モニタ１０５の小画面表示領域においてＣＰＵ１０４により静止画Ｓ１から静止画Ｓ２へ示表示が切り替わる。なお、モニタ１０５の大画面表示領域においてはＣＰＵ１０４により動画Ａの表示が継続される。動画データＡの撮影終了時刻である時刻ｔ５では、ＣＰＵ１０４により、動画データＢ１ｅが大画面表示画像データとして選択され、モニタ１０５の大画面表示領域において、ＣＰＵ１０４により動画Ａｂから動画Ｂ１ｅへ表示が切り替わる。また、時刻ｔ５は静止画データＳ３の撮影時刻であるので、ＣＰＵ１０４により静止画データＳ３が小画面表示画像データとして選択され、モニタ１０５の小画面表示領域においてＣＰＵ１０４により静止画Ｓ２から静止画Ｓ３へ表示が切り替わる。時刻ｔ６では、モニタ１０５の小画面表示領域において、ＣＰＵ１０４により静止画Ｓ３から静止画Ｓ４へ表示が切り替わる。なお、モニタ１０５の大画面表示領域における動画Ｂ１ｅの表示は、ＣＰＵ１０４により継続される。動画データＢ１の撮影終了時刻である時刻ｔ７では、ＣＰＵ１０４により、モニタ１０５の大画面表示領域における動画Ｂ１ｅの表示が終了される。また、モニタ１０５の小画面表示領域における静止画Ｓ４の表示についても、ＣＰＵ１０４により時刻ｔ７で終了される。【０２３７】
時刻ｔ８で、静止画データＳ５の撮影時刻となる。しかし、動画データＢ２の撮影開始時刻が時刻ｔ９であり、（時刻ｔ９―時刻ｔ８）の時間が所定時間ｔａよりも短いので、ＣＰＵ１０４により、静止画データＳ５に対応する静止画Ｓ５は選択されない。動画データＢ２の撮影開始時刻である時刻ｔ９になると、ＣＰＵ１０４により、動画データＢ２が大画面表示画像データとして、静止画データＳ５が小画面表示画像データとして選択される。その結果、ＣＰＵ１０４によりモニタ１０５の大画面表示領域においては動画Ｂ２、モニタ１０５の小画面表示領域においては静止画Ｓ５がそれぞれ表示される。【０２３８】
時刻ｔ９以降、モニタ１０５の小画面表示領域においては、ＣＰＵ１０４により再生時間ｔｓが経過した時刻ｔ９ａでは、撮影時刻ｔ１１を有する静止画Ｓ６が表示される。時刻ｔ９ａから再生時間ｔｓが経過した時刻ｔ１０ａでは、ＣＰＵ１０４によりモニタ１０５の小画面表示領域の画像として、撮影時刻ｔ１２を有する静止画Ｓ７が表示される。時刻ｔ１０ａから再生時間ｔｓが経過した時刻ｔ１１ａにおいて、ＣＰＵ１０４により、モニタ１０５の小画面表示領域の静止画Ｓ７の表示が終了される。また、モニタ１０５の大画面表示領域においては、時刻ｔ１０において動画データＢ２の撮影終了時刻となる。しかし、モニタ１０５の小画面表示領域における静止画Ｓ５、Ｓ６およびＳ７の表示が継続しているので、ＣＰＵ１０４により、モニタ１０５の大画面表示領域の表示画像として、動画データＢ２の最後の１コマが静止画として表示される。この静止画は、モニタ１０５の小画面表示領域における静止画Ｓ７の表示が終了する時刻ｔ１１ａまで、ＣＰＵ１０４によりモニタ１０５の大画面表示領域に表示される。【０２３９】
このようにして時刻ｔ９以降に大画面表示領域および小画面表示領域の表示画像として選択された画像データは、それぞれの画面において、時刻ｔ７で終了する画像と連続して表示されるように編集される。【０２４０】
Ｃ１−７：
動画編集モード設定で同時表示モードのシーン開始優先モードが選択された場合の静止画同時刻挿入モードを図２４を参照して説明する。このモード設定においては、複数の画像データが同一時間帯で重複する場合に、撮影開始時刻が後の画像データに対応する画像がモニタ１０５の大画面に表示される。すなわち、ＣＰＵ１０４は、撮影開始時刻が後の時刻の画像データの開始時刻になると、撮影開始時刻が後の時刻の画像データに対応する画像をモニタ１０５の大画面表示領域に表示する。また、ＣＰＵ１０４は、それまでモニタ１０５の大画面表示領域に表示されていた画像をモニタ１０５の小画面表示領域に表示する。すなわち、モニタ１０５の大画面表示領域には、撮影開始時刻が後の時刻の画像に切り替わって表示される【０２４１】
ここで説明する例では、撮影開始時刻ｔ５００を有する動画データよりも時間ｔｒ前に最も早い撮影時刻ｔ４００を有する静止画データが存在するものとする。そして、時間ｔｒと再生時間ｔｓとの長短関係により次のように、動画表示前の表示画面制御を行う。【０２４２】
（ａ）時間ｔｒが所定の再生時間ｔｓよりも長い場合、ＣＰＵ１０４は、（撮影開始時刻ｔ５００―再生時間ｔｓ）で計算される時刻ｔ６００から動画撮影開始時刻ｔ５００までの再生時間ｔｓの間、静止画データに対応する静止画を表示する。
（ｂ）時間ｔｒが再生時間ｔｓ未満の場合、ＣＰＵ１０４は、静止画撮影時刻ｔ４００〜動画撮影開始時刻ｔ５００までの時間ｔｒの間、静止画データに対応する静止画を表示する。【０２４３】
次に、同時表示モードのシーン開始優先モードが選択された場合の静止画同時刻挿入モードを図２４を参照して詳細に説明する。図２４（ａ）に示す場合においては、図２２（ａ）の場合と同様にして、ＣＰＵ１０４によりモニタ１０５の大画面表示領域に撮影時間ｔｓごとに静止画像データＳ１、Ｓ２、Ｓ３が切り替わって表示される。モニタ１０５に小画面表示領域は表示されない。【０２４４】
図２４（ｂ）は、動画データＡおよび静止画データＳ１〜Ｓ４の関係が図２２（ｂ）と同様の場合を示す。なお、時間ｔｒ＝（ｔ２−ｔ１）＜ｔｓであるものとする。時刻ｔ１では、ＣＰＵ１０４により静止画データＳ１が大画面表示画像データとして選択され、モニタ１０５の大画面表示領域において静止画Ｓ１の表示が開始される。モニタ１０５に小画面表示領域は表示されない。動画データＡの撮影開始時刻である時刻ｔ２では、ＣＰＵ１０４により、動画データＡａが大画面表示画像データとして選択され、モニタ１０５の大画面表示領域において静止画Ｓ１から動画Ａａに表示が切り替わる。さらに、ＣＰＵ１０４により静止画データＳ１が小画面表示画像データとして選択され、モニタ１０５の小画面表示領域において静止画Ｓ１が表示される。静止画データＳ２の撮影時刻である時刻ｔ３では、静止画データＳ２が大画面表示画像データとして選択され、モニタ１０５の大画面表示領域において、ＣＰＵ１０４により動画Ａａから静止画Ｓ２に再生表示が切り替わる。また、ＣＰＵ１０４により、動画データＡｂが小画面表示画像データとして選択され、モニタ１０５の小画面表示領域においてはＣＰＵ１０４により静止画Ｓ１から動画Ａｂに表示が切り替わる。【０２４５】
静止画データＳ３の撮影開始時刻である時刻ｔ４では、ＣＰＵ１０４により静止画データＳ３が大画面表示画像データとして選択され、モニタ１０５の大画面表示領域において、ＣＰＵ１０４により静止画Ｓ２から静止画Ｓ３へ表示が切り替わる。モニタ１０５の小画面表示領域においては、ＣＰＵ１０４により動画Ａｂの表示が継続される。動画データＡの撮影終了時刻である時刻ｔ５では、ＣＰＵ１０４によりモニタ１０５の小画面表示領域における動画Ａｂの表示が終了される。以後、モニタ１０５に小画面表示領域は表示されない。また、モニタ１０５の大画面表示領域においては、ＣＰＵ１０４により静止画Ｓ３の表示が継続される。時刻ｔ４から再生時間ｔｓ経過した時刻ｔ４ａでは、ＣＰＵ１０４により、モニタ１０５の大画面表示画像データとして撮影時刻が時刻ｔ６である静止画データＳ４が選択される。すなわち、時刻ｔ４では、静止画Ｓ３から静止画Ｓ４に連続して表示が切り替わるように画像データが編集される。以後、モニタ１０５の大画面表示領域には、ＣＰＵ１０４により静止画Ｓ４が、再生時間ｔｓが経過するまで表示される。【０２４６】
図２４（ｃ）は、動画データＡおよび静止画データＳ１〜Ｓ４の関係が図２４（ｂ）と同様の場合を示す。時間ｔｒ＝（ｔ２−ｔ１）＞ｔｓであるものとする。時刻ｔ１で、静止画データＳ１の撮影時刻となるが、前述したように（ｔ２−ｔ１）＞ｔｓであるので、ＣＰＵ１０４により静止画データＳ１に対応する静止画Ｓ１の表示は開始されない。時刻ｔ２よりも再生時間ｔｓだけ早い時刻である時刻ｔ１ａ（＝ｔ２−ｔｓ）では、ＣＰＵ１０４により、静止画データＳ１が大画面表示画像データとして選択され、モニタ１０５の大画面表示領域において静止画Ｓ１の表示が開始される。また、モニタ１０５に小画面表示領域は表示されない。時刻ｔ２以後、図２４（ｂ）に示す場合と同様にして、モニタ１０５の大画面表示領域と小画面表示領域のそれぞれに表示される画像がＣＰＵ１０４により切り替わる。【０２４７】
図２４（ｄ）に示す例では、動画データＡの撮影時間は時刻ｔ３〜ｔ５までの間であり、動画データＢ１の撮影時間は時刻ｔ１〜ｔ８までの間であり、動画データＢ２の撮影時間は時刻ｔ１０〜ｔ１１までの間である。また、静止画データＳ１、Ｓ２、Ｓ３、Ｓ４、Ｓ５およびＳ６の撮影時刻はそれぞれ時刻ｔ２、ｔ４、ｔ５、ｔ６、ｔ７およびｔ９である。この場合、時刻ｔ３〜時刻ｔ５において、動画データＡとＢ１とが重複し、静止画データＳ１〜Ｓ５が動画データＢ１と重複している。【０２４８】
時刻ｔ１で、ＣＰＵ１０４により、動画データＢ１が大画面表示画像データとして選択され、モニタ１０５の大画面表示領域において、ＣＰＵ１０４により動画Ｂ１の表示が開始される。このとき、モニタ１０５に小画面表示領域は表示されない。時刻ｔ２では、ＣＰＵ１０４により静止画データＳ１が大画面表示画像データとして選択され、モニタ１０５の大画面表示領域において、ＣＰＵ１０４により動画Ｂ１から静止画Ｓ１に表示が切り替わる。さらに、ＣＰＵ１０４により動画データＢ１ｂが小画面表示画像データとして選択されて、動画データＢ１ｂに対応する動画Ｂ１ｂがモニタ１０５の小画面表示領域に表示される。時刻ｔ２から再生時間ｔｓが経過した時刻ｔ２ａでは、ＣＰＵ１０４により動画データＢ１ｃが大画面表示画像データとして選択され、モニタ１０５の大画面表示領域において、ＣＰＵ１０４により静止画Ｓ１から動画Ｂ１ｃに表示が切り替わる。また、モニタ１０５の小画面表示領域における動画Ｂ１ｂの表示がＣＰＵ１０４により終了される。すなわち、モニタ１０５に小画面表示領域が表示されない。【０２４９】
動画データＡの撮影開始時刻である時刻ｔ３では、ＣＰＵ１０４により、動画データＡａが大画面表示画像データとして選択され、モニタ１０５の大画面表示領域においてＣＰＵ１０４により動画Ｂ１ｃから動画Ａａに表示が切り替わる。また、ＣＰＵ１０４により動画データＢ１ｄが小画面表示画像データとして選択され、モニタ１０５の小画面表示領域にＣＰＵ１０４により動画Ｂ１ｄが表示される。静止画データＳ２の撮影時刻である時刻ｔ４では、ＣＰＵ１０４により、静止画データＳ２が大画面表示画像データとして選択され、モニタ１０５の大画面表示領域において、ＣＰＵ１０４により動画Ａａから静止画Ｓ２に表示が切り替わる。また、ＣＰＵ１０４により、動画データＡｂが小画面表示画像データとして選択され、モニタ１０５の小画面表示領域において、ＣＰＵ１０４により動画Ｂ１ｄから動画Ａｂに表示が切り替わる。静止画データＳ３の撮影時刻である時刻ｔ５では、ＣＰＵ１０４により静止画データＳ３が小画面表示画像データとして選択され、モニタ１０５の大画面表示領域において、ＣＰＵ１０４により静止画Ｓ２から静止画Ｓ３へ表示が切り替わる。また、時刻ｔ５は動画データＡの撮影終了時刻なので、ＣＰＵ１０４によりモニタ１０５の小画面表示領域における動画Ａｂの表示が終了される。さらに、ＣＰＵ１０４により動画Ｂ１ｆの表示に切り替わる。【０２５０】
静止画データＳ４の撮影時刻である時刻ｔ６では、ＣＰＵ１０４により、静止画データＳ４が大画面表示画像データとして選択され、モニタ１０５の大画面表示領域において、ＣＰＵ１０４により静止画Ｓ３から静止画Ｓ４へ表示が切り替わる。このとき、モニタ１０５の小画面表示領域における動画Ｂ１ｆの表示はＣＰＵ１０４により継続される。静止画データＳ５の撮影時刻である時刻ｔ７では、ＣＰＵ１０４により、静止画データＳ５が大画面表示画像データとして選択され、モニタ１０５の大画面表示領域において、ＣＰＵ１０４により静止画Ｓ４から静止画Ｓ５へ表示が切り替わる。このとき、モニタ１０５の小画面表示領域における動画Ｂ１ｆの表示はＣＰＵ１０４により継続される。【０２５１】
動画データＢ１の撮影終了時刻である時刻ｔ８では、モニタ１０５の小画面表示領域における動画Ｂ１ｆの表示がＣＰＵ１０４により終了される。以後、モニタ１０５に小画面表示領域は表示されない。また、モニタ１０５の大画面表示領域においては、ＣＰＵ１０４により、時刻ｔ７から再生時間ｔｓ経過した時刻ｔ７ａまで静止画Ｓ５の表示が継続される。時刻ｔ７ａでは、モニタ１０５の大画面表示領域において、ＣＰＵ１０４により撮影時刻が時刻ｔ９である静止画データＳ６に対応する静止画Ｓ６に表示が切り替わるように、静止画データＳ６が選択される。時刻ｔ７ａから再生時間ｔｓ経過した時刻ｔ８ａでは、モニタ１０５の大画面表示領域において、ＣＰＵ１０４により静止画Ｓ６から、撮影時刻が時刻ｔ１０である動画Ｂ２に表示が切り替わるように動画データＢ２が選択される。時刻ｔ９ａで表示が開始された動画Ｂ２は、ＣＰＵ１０４により、時間（ｔ１１−ｔ１０）が経過するまでモニタ１０５の大画面表示領域に表示される。【０２５２】
Ｃ２：動画前後集約モード
動画前後集約モードは、前挿入モードと後挿入モードの２つのモードを有する。前挿入モードにおいては、動画データと静止画データとが同一時間帯で重複する場合に、ＣＰＵ１０４は、静止画データに対応する静止画を動画データに対応する動画の表示開始前に表示する。動画データと複数の静止画データとが同一時間帯で重複する場合には、ＣＰＵ１０４は、動画データに対応する動画の表示開始前に、複数の静止画データに対応する静止画をまとめて表示する。図２５（ａ）に、動画データＡと２つの静止画データＳ１およびＳ２が重複する場合を示す。ＣＰＵ１０４により、静止画データＳ１およびＳ２に対応する静止画Ｓ１およびＳ２は、動画データＡに対応する動画Ａの表示開始に先立って、モニタ１０５に表示される。このとき、静止画Ｓ１およびＳ２のそれぞれの表示時間は、再生時間ｔｓである。【０２５３】
後挿入モードにおいては、動画データと静止画データとが同一時間帯で重複する場合に、ＣＰＵ１０４は、静止画データに対応する静止画を動画データに対応する動画の表示終了後に表示する。動画データと複数の静止画データとが重複する場合は、ＣＰＵ１０４は、動画データに対応する動画の表示終了後に、複数の静止画データに対応する静止画をまとめて表示する。図２５（ｂ）に、図２５（ａ）と同様に、動画データＡと２つの静止画データＳ１およびＳ２が重複する場合を示す。ＣＰＵ１０４により、静止画データＳ１およびＳ２に対応する静止画Ｓ１およびＳ２は、動画データＡに対応する動画Ａの表示終了後に、モニタ１０５に表示される。このとき、静止画Ｓ１およびＳ２のそれぞれの表示時間は、再生時間ｔｓである。【０２５４】
Ｃ３：番組前後集約モード
番組前後集約モードは、前挿入モード、後挿入モードおよび前後挿入モードを有する。前挿入モードにおいては、ＣＰＵ１０４により、時間的に連続していない、すなわち離散的な複数の異なる動画データを纏めて、時間的に連続した一つの番組を作成する。そして、作成された番組を構成する動画データと静止画データとが同一時間帯で重複する場合に、ＣＰＵ１０４は静止画データに対応する静止画を番組の表示開始前に表示する。番組を構成する動画データと複数の静止画データとが重複する場合には、ＣＰＵ１０４は複数の静止画を番組の表示開始前にまとめて表示する。【０２５５】
図２６（ａ）に、動画データＡ、ＢおよびＣに基づいて生成された番組Ｘと静止画データＳ１およびＳ２が重複する場合を示す。ＣＰＵ１０４により、静止画像データＳ１およびＳ２に対応する静止画Ｓ１およびＳ２は、番組の表示開始に先立って、モニタ１０５に表示される。このとき、静止画Ｓ１およびＳ２のそれぞれの表示時間は、再生時間ｔｓである。【０２５６】
後挿入モードにおいては、複数の動画データを編集処理して生成された番組と静止画データとが同一時間帯で重複する場合に、ＣＰＵ１０４は静止画データに対応する静止画を番組の表示終了後に表示する。番組を構成する動画データと複数の静止画データとが重複する場合には、ＣＰＵ１０４は複数の静止画を番組の表示開始後にまとめて表示する。図２６（ｂ）に、図２６（ａ）と同様に、動画データＡ、ＢおよびＣに基づいて生成された番組Ｘと静止画データＳ１およびＳ２が重複する場合を示す。ＣＰＵ１０４により、静止画像データＳ１およびＳ２に対応する静止画Ｓ１およびＳ２は、番組の表示終了後に、モニタ１０５に表示される。このとき、静止画Ｓ１およびＳ２のそれぞれの表示時間は、再生時間ｔｓである。【０２５７】
前後挿入モードにおいては、複数の動画データを編集処理して生成された番組と静止画データとが同一時間帯で重複する場合に、ＣＰＵ１０４は静止画データに対応する静止画を番組の表示開始前および表示終了後にまとめて表示する。図２６（ｃ）に、図２６（ａ）と同様に、動画データＡ、ＢおよびＣに基づいて生成された番組Ｘと静止画データＳ１およびＳ２が重複する場合を示す。ＣＰＵ１０４により、静止画像データＳ１およびＳ２に対応する静止画Ｓ１およびＳ２は、番組の表示開始に先立って、モニタ１０５に表示される。さらに、静止画Ｓ１およびＳ２は、ＣＰＵ１０４により番組の表示終了後にも表示される。静止画Ｓ１およびＳ２のそれぞれの表示時間は、再生時間ｔｓである。【０２５８】
次に、音声データを伴う画像データの編集処理について説明する。
−音声編集処理−
音声編集処理においては、音声付画像データの編集処理を行なう際に、どの音声付画像データの音声を再生させるかを設定する。音声編集処理は、動画音声設定モードと静止画音声設定モードを有する。動画音声設定モードにおいては、音声付動画像データの音声が、ＣＰＵ１０４によりスピーカ用インタフェース１０９を介してスピーカ１０６により再生される。この設定は、入力装置１０１の操作により、モニタ１０５に表示されるメニュー画面にて行なわれる。静止画音声設定モードにおいては、音声付静止画像データの音声が、ＣＰＵ１０４によりスピーカ用インタフェース１０９を介してスピーカ１０６により再生をされる。この設定についても同様にして、入力装置１０１の操作により、モニタ１０５に表示されるメニュー画面にて行なわれる。【０２５９】
−−動画音声設定モード−−
動画音声設定モードは、優先音声モードと優先音声無モードとを有する。これらのモードは、入力装置１０１の操作により、モニタ１０５に表示されたメニュー画面から選択して設定される。【０２６０】
（１）優先音声モード
優先音声モードは、スピーカ１０６により再生される音声付動画像データの音声を、動画像データを撮影した電子カメラ２００に基づいて選択する。すなわち使用者により優先カメラとして選択された電子カメラ２００で撮影された音声付動画像データの音声データが優先データとして設定される。そして、ＣＰＵ１０４はスピーカ用インタフェース１０９を介して、優先データの音声をスピーカ１０６にて再生する。優先カメラの選択は、モニタ１０５に表示されたメニュー画面において、図３（ｂ）に示すように、いわゆるプルダウン表示されるカメラ名を選択することで設定される。【０２６１】
図２７（ａ）に示す例は、画像優先については、静止画データが第１優先データ、動画データが第２優先データの場合であって、音声優先については、動画データＢが優先音声データと設定されている一例である。モニタ１０５に表示される画像については、図１５（ｅ）を参照して前述したように、ＣＰＵ１０４により動画Ａ、Ｂ１、Ｂ２および静止画Ｓとの間で切り替わって表示される。【０２６２】
この場合、優先音声データが動画データＢであるので、ＣＰＵ１０４により、時刻ｔ１〜時刻ｔ９までの間、動画データＢに付随する音声データＢｖに対応する音声Ｂｖがスピーカ１０６から再生される。すなわち、優先データである動画データＢに付随する音声ＢｖのみがＣＰＵ１０４により再生され、動画データＡおよび静止画データＳに付随する音声は再生されない。【０２６３】
（２）優先音声無モード
優先音声無モードは、モニタ１０５に再生表示されている動画像データに付随する音声が、スピーカ１０６により再生される。すなわち、ＣＰＵ１０４は、モニタ１０５に表示される画像を切り替えると、スピーカ１０６から再生される音声についても、切り替わった画像データに付随する音声データに対応する音声に切り替える。また、動画から静止画に表示が切り替わった場合は、ＣＰＵ１０４は、切り替わる前の動画データに付随する音声データに対応する音声をスピーカ１０６で再生する。【０２６４】
図２７（ｂ）に示す例も、画像優先については、静止画データが第１優先データ、動画データが第２優先データの場合であって、音声優先については、動画データＢが優先音声データと設定されている一例である。モニタ１０５に表示される画像については、図１５（ｅ）を参照して前述したように、ＣＰＵ１０４により動画Ａ、Ｂ１、Ｂ２および静止画Ｓとの間で切り替わって表示される。【０２６５】
この場合、時刻ｔ１〜時刻ｔ３までの間、ＣＰＵ１０４により動画データＢ１に付随する音声データＢ１ｖに対応する音声が再生される。時刻ｔ２において、ＣＰＵ１０４により静止画Ｓ１に表示が切り替わる。このとき、ＣＰＵ１０４により、動画データＢ１に付随する音声データに対応する音声Ｂ１ｖが継続してスピーカ１０６で再生される。時刻ｔ３において、ＣＰＵ１０４により、モニタ１０５に表示される動画が動画Ａに切り替わる。したがって、ＣＰＵ１０４によりスピーカ１０６で再生される音声に関しても、動画データＡに付随する音声データＡｖに対応する音声Ａｖに切り替わる。動画データＡに付随する音声データＡｖに対応する音声Ａｖの再生は、ＣＰＵ１０４により時刻ｔ５まで継続される。時刻ｔ５においては、ＣＰＵ１０４により動画データＢ１に付随する音声データＢ１ｖに対応する音声Ｂ１ｖの再生に切り替わる。動画データＢ１に付随する音声データＢ１ｖに対応する音声Ｂ１ｖの再生は、ＣＰＵ１０４により時刻ｔ７まで継続される。【０２６６】
−−静止画音声設定モード−−
静止画音声設定モードは、静止画音声ＯＮモードと静止画音声ＯＦＦモードとを有する。これらのモードは、入力装置１０１の操作により、モニタ１０５に表示されたメニュー画面から選択して設定される。【０２６７】
（１）静止画音声ＯＮモード
静止画音声ＯＮモードでは、静止画データに音声データが付随するものがあれば、ＣＰＵ１０４は、その音声をスピーカ用インタフェース１０９を介してスピーカ１０６により再生する。
図２８に示す例は、画像優先については、静止画データが第１優先データ、動画データが第２優先データの場合であって、音声優先については、静止画音声ＯＮモードで静止画データＳ２が優先音声データと設定されている一例である。モニタ１０５に表示される画像については、図１５（ｄ）を参照して説明したように、ＣＰＵ１０４により動画Ａおよび動画Ｂとの間で切り替わって表示される。【０２６８】
このとき、静止画データＳ２に音声データＳｖが付随しているとする。静止画データＳ２の撮影時刻である時刻ｔ４において、ＣＰＵ１０４により静止画データＳ２に付随する音声データＳｖに対応する音声Ｓｖが再生される。なお、時刻ｔ４において、動画データに音声データが付随している場合、ＣＰＵ１０４により、静止画データＳ２に付随する音声データＳｖに対応する音声Ｓｖは、動画データに付随する音声データに対応する音声に重畳して再生される。【０２６９】
（２）静止画音声ＯＦＦモード
静止画音声ＯＦＦモードでは、静止画データに音声データが付随していても、その音声データに対応する音声はスピーカ１０６から再生されない。【０２７０】
次に、図２９〜図３２に示すフローチャートを用いて、上述した画像処理装置１００による画像編集処理について説明する。図２９〜図３２の各処理を行なうプログラムはＣＰＵ１０４内のメモリ（不図示）に格納されている。このプログラムは、入力装置１０１の操作によりアプリケーションを起動する信号が入力されると起動され、ＣＰＵ１０４で実行される。図２９〜図３２の各ステップは、ＣＰＵ１０４の指令に基づいて実行される処理である。【０２７１】
ステップＳ１において、ＨＤＤ１０２より画像データを読み込みステップＳ２へ進む。ステップＳ２においては、音声編集処理の要否を判定する。音声編集処理の編集モードが設定されている場合、ステップＳ２が肯定判定されてステップＳ３へ進む。ステップＳ３では、後述する図３０の音声編集モード設定処理のサブルーチンを読み出して、音声編集処理の編集モードを設定する。サブルーチンにおける処理が終了するとステップＳ４へ進む。音声編集処理の編集モードが設定されていない場合は、ステップＳ２が否定判定されてステップＳ３をスキップしてステップＳ４へ進む。【０２７２】
ステップＳ４においては、静止画編集処理の要否を判定する。静止画編集処理の編集モードが設定されている場合は、ステップＳ４が肯定判定されてステップＳ５へ進む。ステップＳ５では、後述する図３１の静止画編集モード設定処理のサブルーチンを読み出して、静止画編集処理の編集モードを設定する。サブルーチンにおける処理が終了するとステップＳ６へ進む。静止画編集処理の編集モードが設定されていない場合は、ステップＳ４が否定判定されてステップＳ５をスキップしてステップＳ６へ進む。【０２７３】
ステップＳ６においては、動画編集処理の要否を判定する。動画編集処理の編集モードが設定されている場合は、ステップＳ６が肯定判定されてステップＳ７へ進む。ステップＳ７では、後述する図３２の動画編集モード設定処理のサブルーチンを読み出して、動画編集処理の編集モードを設定する。サブルーチンにおける処理が終了するとステップＳ８へ進む。動画編集処理の編集モードが設定されていない場合は、ステップＳ６が否定判定されてステップＳ７をスキップしてステップＳ８へ進む。【０２７４】
ステップＳ８においては、ステップＳ３、ステップＳ５、ステップＳ７において設定された各編集モードに基づいて、上述した各種の画像データ編集処理を実行して再生用データを作成してステップＳ９へ進む。ステップＳ９においては、ステップＳ８で作成した再生用データを用いて、モニタ１０５に画像を表示して一連の処理を終了する。【０２７５】
図３０示すフローチャートを用いて、図２９のステップＳ３における音声編集モード設定処理を説明する。
ステップＳ１０１において、動画音声モードが選択されているか否かを判定する。動画音声モードが選択されている場合は、ステップＳ１０１が肯定判定されてステップＳ１０２へ進む。動画音声モードが選択されていない、すなわち静止画音声モードが選択されている場合は、ステップＳ１０２が否定判定されてステップＳ１０６へ進む。【０２７６】
ステップＳ１０２において、優先音声モードが選択されているか否かを判定する。優先音声モードが選択されている場合は、ステップＳ１０２が肯定判定されてステップＳ１０３へ進む。優先音声モードが選択されていない場合は、ステップＳ１０２が否定判定されてステップＳ１０５へ進む。ステップＳ１０５において優先音声無モードを設定して、サブルーチンにおける処理を終了して呼び出しもとに戻る。【０２７７】
ステップＳ１０３においては、優先音声の選択が終了したか否かを判定する。優先音声とする動画データが選択されている場合、ステップＳ１０３が肯定判定されてステップＳ１０４へ進む。ステップＳ１０４において優先音声モードを設定して、サブルーチンにおける処理を終了して呼び出しもとへ戻る。優先音声とする動画データが選択されていない場合は、ステップＳ１０３が否定判定されて、ステップＳ１０３を繰り返す。【０２７８】
ステップＳ１０１で静止画音声設定が選択されている場合はステップＳ１０６へ進む。ステップＳ１０６において、静止画音声ＯＮモードが選択されているか否かを判定する。静止画音声ＯＮモードが選択されている場合は、ステップＳ１０６が肯定判定されてステップＳ１０７へ進む。ステップＳ１０７においては、静止画音声ＯＮモードを設定して、サブルーチンにおける処理を終了して呼び出しもとへ戻る。静止画音声ＯＮモードが選択されていない、すなわち静止画音声ＯＦＦモードが選択されている場合は、ステップＳ１０６が否定判定されてステップＳ１０８へ進む。ステップＳ１０８では、静止画音声ＯＦＦモードを設定して、サブルーチンにおける処理を終了して呼び出しもとへ戻る。【０２７９】
図３１示すフローチャートを用いて、図２９のステップＳ５における静止画編集モード設定処理を説明する。
ステップＳ２０１において、静止画同時編集モードが選択されているか否かを判定する。静止画同時編集モードが選択されている場合、ステップＳ２０１が肯定判定されてステップＳ２０２へ進む。静止画同時編集モードが選択されていない場合、すなわち静止画無視モードが選択されている場合は、ステップＳ２０１が否定判定されてステップＳ２０３へ進む。ステップＳ２０３では、静止画無視モードを設定してサブルーチンにおける処理を終了して呼び出しもとへ戻る。【０２８０】
ステップＳ２０２においては、静止画同時刻挿入モードが選択されているか否かを判定する。静止画同時刻挿入モードが選択されている場合は、ステップＳ２０２が肯定判定されてステップＳ２０４へ進む。静止画同時刻挿入モードが選択されていない場合は、ステップＳ２０２が否定判定されてステップＳ２０６へ進む。【０２８１】
ステップＳ２０４においては、静止画の再生時間ｔｓが設定されたか否かを判定する。再生時間ｔｓが設定された場合、ステップＳ２０４が肯定判定されてステップＳ２０５へ進む。ステップＳ２０５においては、静止画同時刻挿入モードを設定して、サブルーチンにおける処理を終了して呼び出しもとへ戻る。再生時間ｔｓが設定されない場合は、ステップＳ２０４が否定判定されて、再生時間ｔｓが設定されるまでステップＳ２０４を繰り返す。【０２８２】
ステップＳ２０２で静止画同時刻挿入モードが選択されていない場合はステップＳ２０６へ進む。ステップＳ２０６においては、動画前後集約モードが選択されているか否かを判定する。動画前後集約モードが選択されている場合、ステップＳ２０６が肯定判定されてステップＳ２０７へ進む。動画前後集約モードが選択されていない場合、すなわち番組前後集約モードが選択されている場合は、ステップＳ２０６が否定判定されてステップＳ２１０へ進む。【０２８３】
ステップＳ２０７においては、前挿入モードが選択されたか否かを判定する。前挿入モードが選択された場合、ステップＳ２０７が肯定判定されてステップＳ２０８へ進む。ステップＳ２０８では、動画前後集約モードにおける前挿入モードを設定して、サブルーチンにおける処理を終了して呼び出しもとへ戻る。前挿入モードが選択されていない場合、すなわち後挿入モードが選択されている場合は、ステップＳ２０７が否定判定されてステップＳ２０９へ進む。ステップＳ２０９では、動画前後集約モードにおける後挿入モードを設定して、サブルーチンにおける処理を終了して呼び出しもとへ戻る。【０２８４】
ステップＳ２０６において、番組前後集約モードが選択されている場合、ステップＳ２１０へ進む。ステップＳ２１０においては、前挿入モードが選択されたか否かを判定する。前挿入モードが選択されている場合は、ステップＳ２１０が肯定判定されてステップＳ２１１へ進む。ステップＳ２１１では、番組前後集約モードにおける前挿入モードを設定して、サブルーチンにおける処理を終了して呼び出しもとへ戻る。前挿入モードが選択されていない場合は、ステップＳ２１０が否定判定されてステップＳ２１２へ進む。【０２８５】
ステップＳ２１２においては、後挿入モードが選択されたか否かを判定する。後挿入モードが選択されている場合、ステップＳ２１２が肯定判定されてステップＳ２１３へ進む。ステップＳ２１３では、番組前後集約モードにおける後挿入モードを設定して、サブルーチンにおける処理を終了して呼び出しもとへ戻る。後挿入モードが選択されていない場合、すなわち前後挿入モードが選択されている場合、ステップＳ２１２が否定判定されてステップＳ２１４へ進む。ステップＳ２１４では、番組前後集約モードにおける前後挿入モードを設定して、サブルーチンにおける処理を終了して呼び出しもとへ戻る。【０２８６】
図３２示すフローチャートを用いて、図２９のステップＳ７における動画編集モード設定処理を説明する。
ステップＳ３０１において、切替表示モードが選択されているか否かを判定する。切替表示モードが選択されている場合、ステップＳ３０１が肯定判定されてステップＳ３０２へ進む。切替表示モードが選択されていない場合、すなわち同時表示モードが選択されている場合は、ステップＳ３０１が否定判定されてステップＳ３１５へ進む。【０２８７】
ステップＳ３０２においては、優先カメラ設定モードが選択されたか否かを判定する。優先カメラ設定モードが選択されている場合、ステップＳ３０２が肯定判定されてステップＳ３０３へ進む。優先カメラ設定モードが選択されていない場合、ステップＳ３０２が否定判定されてステップＳ３０７へ進む。【０２８８】
ステップＳ３０３では、優先カメラの設定が行なわれたか否かを判定する。優先カメラの設定が行なわれている場合、ステップＳ３０３が肯定判定されてステップＳ３０４へ進む。優先カメラの設定が行なわれていない場合は、ステップＳ３０３が否定判定されて、優先カメラの設定が行なわれるまでステップＳ３０３を繰り返す。【０２８９】
ステップＳ３０４においては、組合表示モードが選択されているか否かを判定する。組合表示モードが選択されている場合、ステップＳ３０４が肯定判定されてステップＳ３０５へ進む。ステップＳ３０５では、優先カメラ設定モードにおける組合表示モードを設定して、サブルーチンにおける処理を終了して呼び出しもとへ戻る。組合表示モードが選択されていない場合、すなわち一方のみ表示モードが選択されている場合は、ステップＳ３０４が否定判定されてステップＳ３０６へ進む。ステップＳ３０６では、優先カメラ設定モードにおける一方のみ表示モードを設定して、サブルーチンにおける処理を終了して呼び出しもとへ戻る。【０２９０】
ステップＳ３０２で優先カメラ設定モードが選択されていない場合は、ステップＳ３０７へ進む。ステップＳ３０７においては、長時間動画優先モードが選択されているか否かを判定する。長時間動画優先モードが選択されている場合、ステップＳ３０７が肯定判定されてステップＳ３０８へ進む。長時間動画優先モードが選択されていない場合、ステップＳ３０７が否定判定されてステップＳ３１１へ進む。【０２９１】
ステップＳ３０８においては、組合表示モードが選択されているか否かを判定する。組合表示モードが選択されている場合、ステップＳ３０８が肯定判定されてステップＳ３０９へ進む。ステップＳ３０９では、長時間動画優先モードにおける組合表示モードを設定して、サブルーチンにおける処理を終了して呼び出しもとへ戻る。組合表示モードが選択されていない場合、すなわち一方のみ表示モードが選択されている場合は、ステップＳ３０８が否定判定されてステップＳ３１０へ進む。ステップＳ３１０では、長時間動画優先モードにおける一方のみ表示モードを設定して、サブルーチンにおける処理を終了して呼び出しもとへ戻る。【０２９２】
ステップＳ３０７で長時間動画優先モードが選択されていない場合、ステップＳ３１１へ進む。ステップＳ３１１において、シーン開始優先モードが選択されているか否かを判定する。シーン開始優先モードが選択されている場合、ステップＳ３１１が肯定判定されてステップＳ３１２へ進む。ステップＳ３１２では、シーン開始優先モードを設定して、サブルーチンにおける処理を終了して呼び出しもとへ戻る。シーン開始優先モードが選択されていない場合、すなわち一定時間切替モードが選択されている場合、ステップＳ３１１が否定判定されてステップＳ３１３へ進む。【０２９３】
ステップＳ３１３においては、切替時間ｔｍが設定されたか否かを判定する。切替時間ｔｍが設定されている場合、ステップＳ３１３が肯定判定されてステップＳ３１４へ進む。切替時間ｔｍが設定されていない場合、ステップＳ３１３が否定判定されて、切替時間ｔｍが設定されるまでステップＳ３１３を繰り返す。ステップＳ３１４では、一定時間切替モードを設定して、サブルーチンにおける処理を終了して呼び出しもとへ戻る。【０２９４】
ステップＳ３０１で同時表示モードが選択されている場合は、ステップＳ３１５へ進む。ステップＳ３１５においては、並列表示モードが選択されているか否かを判定する。並列表示モードが選択されている場合、ステップＳ３１５が肯定判定されてステップＳ３１６へ進む。ステップＳ３１６では、並列表示モードを設定して、サブルーチンにおける処理を終了して呼び出しもとへ戻る。並列表示モードが選択されていない場合、すなわち小画面表示モードが選択されている場合、ステップＳ３１５が否定判定されてステップＳ３１７へ進む。【０２９５】
ステップＳ３１７においては、シーン開始優先モードが選択されたか否かを判定する。シーン開始優先モードが選択された場合、ステップＳ３１７が肯定判定されてステップＳ３１８へ進む。ステップＳ３１８では、小画面表示モードにおけるシーン開始優先モードを設定して、サブルーチンにおける処理を終了して呼び出しもとへ戻る。シーン開始優先モードが選択されていない場合、すなわち優先カメラ設定モードが選択された場合は、ステップＳ３１７が否定判定されてステップＳ３１９へ進む。【０２９６】
ステップＳ３１９においては、ステップＳ３０３と同様にして優先カメラが設定されたか否かを判定する。優先カメラが設定された場合、ステップＳ３１９が肯定判定されてステップＳ３２０へ進む。優先カメラが設定されていない場合、ステップＳ３１９が否定判定されて、優先カメラが設定されるまでステップＳ３１９を繰り返す。ステップＳ３２０では、小画面表示モードにおける優先カメラ設定モードを設定して、サブルーチンにおける処理を終了して呼び出しもとに戻る。【０２９７】
以上で説明した実施の形態における画像処理装置によれば、以下の作用効果が得られる。
（１）ＣＰＵ１０４は、複数の電子カメラ２００からＨＤＤ１０２に読み込まれた複数の画像データのそれぞれのＥＸＩＦ情報やタグ情報を参照して、複数の画像データの中から撮影日時が同一時間帯で重複する画像データを抽出する。ＣＰＵ１０４は抽出された画像データを編集して再生用データを作成する。ＣＰＵ１０４はこの再生用データをモニタ１０５に表示する。このとき、使用者の入力装置１０１の操作により設定された編集モードに応じて、ＣＰＵ１０４は複数の画像データの中から編集モードに応じた画像データを選択する。したがって、ユーザが画像を編集したり鑑賞したりする場合などにおいて、ユーザの手動操作によって、撮影日時が同一時間帯で重複する複数の画像の中からモニタ１０５に表示する画像を選択する必要がなくなるので、利便性が向上する。【０２９８】
（２）編集モードの一つとして、優先カメラ設定モードを設けた。優先カメラ設定モードにおいては、ＣＰＵ１０４は、撮影日時が同一時間帯で重複する複数の画像データの中から、優先データとして選択された画像データ、すなわち最も高い優先順位のカメラで取得した画像データを選択する。したがって、ユーザが優先カメラとして選択した電子カメラ２００で撮影された画像がモニタ１０５に表示されるので、ユーザが画像を編集する際に所望の画像が編集から脱落するという事態を防ぐことができる。【０２９９】
（３）編集モードの一つとして、長時間動画優先モードを設けた。長時間動画優先モードにおいては、ＣＰＵ１０４は、抽出した複数の画像データの中から、再生時間が最長となる画像データを選択する。したがって、多くの情報が含まれる再生時間の長い画像がモニタ１０５上に表示されるので、ユーザが画像を編集する際に種々の情報を得ることができる。【０３００】
（４）シーン開始優先モードを編集モードの中に設けた。シーン開始優先モードでは、ＣＰＵ１０４は、撮影日時が同一時間帯で重複する複数の画像データの中から、撮影開始時刻が後の時刻である画像データを選択する。したがって、それまでとは異なる新たな情報を含む画像がモニタ１０５上に表示されるので、ユーザが画像を編集する際に新規情報を得ることができる。【０３０１】
（５）一定時間切替モードを編集モードの中の一つとして設けた。一定時間切替モードでは、ＣＰＵ１０４は、撮影日時が同一時間帯で重複する複数の画像データにおいて、一定時間ごとに選択する画像データを切り替える。すなわち、ＣＰＵ１０４は、同一時間帯において、ある一定時間の間に選択した画像データとは異なる画像データを、ある一定時間とは異なる一定時間の間において選択する。なお、一定時間とは、動画データを選択する場合は切替時間ｔｍ、静止画データを選択する場合は再生時間ｔｓである。したがって、異なる複数の画像が一定時間ごとに切り替わってモニタ１０５上に表示されるので、ユーザは画像を編集する際に種々の情報を得ることができる。【０３０２】
（６）編集モードの一つとして同時表示モードの小画面表示モードを設けた。小画面表示モードにおいては、ＣＰＵ１０４は、抽出した複数の画像データに対応する画像をモニタ１０５の大画面表示領域と、モニタ１０５の所定の小範囲の小画面表示領域とに大小２画面表示する。この場合、ＣＰＵ１０４は、高い優先順位が付与された電子カメラ２００で撮影された画像データに対応する画像をモニタ１０５の大画面表示領域に表示する。さらに、ＣＰＵ１０４は、低い優先順位が付与された電子カメラ２００で撮影された画像データに対応する画像をモニタ１０５の小画面表示領域に表示する。したがって、ユーザが、画像を撮影したカメラを選択することにより、所望の画像や重要なシーンなどがモニタ１０５の大画面表示領域に表示されるので、ユーザが画像を編集する際に編集作業が容易になる。また、観賞用としても用いることができる。【０３０３】
（７）さらに加えて、同時表示モードの小画面モード設定時に次のようにしてもよい。すなわち、ある画像データが優先順位の高いカメラで撮影された画像データと撮影日時が重複しない場合は、ＣＰＵ１０４はモニタ１０５の大画面表示領域に優先順位の低いカメラで撮影された画像データに対応する画像を表示する。したがって、モニタ１０５の大画面表示領域に画像が表示されないという事態を防ぐことができる。【０３０４】
（８）同時表示モードの小画面表示モードにおいて、ユーザにより、動画優先と静止画優先のいずれか一方を選択可能とした。動画優先が選択された場合は、ＣＰＵ１０４は、抽出した複数の画像データの中から動画データを選択し、選択した動画データに対応する動画をモニタ１０５の大画面表示領域に表示する。静止画優先が選択された場合は、ＣＰＵ１０４は、複数の画像データの中から静止画データを選択して、静止画データに対応する静止画をモニタ１０５の大画面表示領域に表示する。したがって、ユーザの好みに応じて動画もしくは静止画のいずれか一方をモニタ１０５の大画面表示領域に表示することができるので、ユーザが画像を編集する際の利便性が向上する。【０３０５】
（９）同時表示モードの小画面表示モードにおいて、シーン開始優先モードを設けた。シーン開始優先モードにおいては、ＣＰＵ１０４は、抽出した複数の画像データのＥＸＩＦ情報やタグ情報に基づいて、撮影開始時刻を比較する。比較の結果、ＣＰＵ１０４は、撮影開始時刻が遅い撮影開始時刻を有する画像データに対応する画像を、モニタ１０５の大画面表示領域に表示する。さらに、早い撮影開始時刻を有する画像データに対応する画像を、モニタ１０５の小画面表示領域に表示する。したがって、それまでとは異なる新たな情報を含む画像がモニタ１０５の大画面表示領域に表示されるので、ユーザが画像を編集する際に編集作業が容易になる。また、観賞用としても用いることができる。【０３０６】
（１０）編集モードの一つとして、動画前後集約モードを設けた。動画前後集約モードにおいては、ＣＰＵ１０４は、動画データと複数の静止画データとを抽出した場合に、動画データに対応する動画をモニタ１０５に表示開始する前または表示終了後に、複数の静止画データに対応する静止画を表示する。したがって、モニタ１０５において、動画と静止画とが混在して表示されないので、ユーザが画像編集を行なう際に編集作業が容易になる。【０３０７】
（１１）編集モードの一つとして、番組前後集約モードを設けた。番組前後集約モードにおいては、ＣＰＵ１０４は、複数の異なる動画データ、すなわち離散的な動画データを纏めて、連続した一つの番組を作成する。さらに、番組を構成する動画データと複数の静止画データとが、撮影日時が同一時間帯で重複する場合に、ＣＰＵ１０４は番組をモニタ１０５に表示開始する前または表示終了後に、複数の静止画データに対応する静止画を表示する。したがって、モニタ１０５において、番組と静止画とが混在して表示されないので、ユーザが画像編集を行なう際に編集作業が容易になる。【０３０８】
（１２）編集モードとして、動画の音声を再生するモード、すなわち優先音声モードを設けた。このモードでは、ＣＰＵ１０４は、静止画データと音声付動画データを抽出すると、モニタ１０５に静止画データに対応する静止画を表示するとともに、音声付動画データに対応する音声をスピーカ１０６で再生する。このとき再生される音声は、ユーザが指定したカメラで撮影された音声付動画データに対応する音声である。したがって、再生したい音声を選択することができるので、ユーザに好みや、編集する際のコンセプトに合わせた音声を再生することができる。【０３０９】
（１３）さらに、動画の音声を再生するモードにおいて、優先音声無モードを設けた。このモードでは、ＣＰＵ１０４は、静止画データと音声付動画データを抽出すると、静止画データに対応する静止画をモニタ１０５に表示する場合、静止画の表示開始直前までモニタ１０５に表示していた音声付動画データに対応する音声をスピーカ１０６で再生する。したがって、音声付動画データに対応する音声に重要な情報が含まれる場合に、確実にその音声を再生することができるので、ユーザが編集作業を行なう際に所望の情報を得ることができる。【０３１０】
（１４）静止画の音声を再生するモード、すなわち静止画音声優先モードを設けた。このモードでは、ＣＰＵ１０４は、音声付静止画データと動画データを抽出すると、モニタ１０５に動画データに対応する動画を表示するとともに、音声付静止画データに対応する音声をスピーカ１０６で再生する。したがって、音声付静止画データに対応する音声に重要な情報が含まれる場合に、確実にその音声を再生することができるので、ユーザが編集作業を行なう際に所望の情報を得ることができる。【０３１１】
以上で説明した実施の形態を以下のように変形できる。
（１）画像編集モードとして、短時間動画設定モードを加えてもよい。短時間動画設定モードでは、動画データの撮影時間が所定時間に満たない動画データに対応する動画を、モニタ１０５に表示させるか否かを設定する。この設定は、メニュー画面においてユーザが選択設定操作を行なうことにより行なわれる。短時間動画設定モードは、短時間動画使用モードと、短時間動画無視モードとを有する。短時間動画使用モードが設定されると、ＣＰＵ１０４は、動画データの撮影時間の長さによらず、すなわち動画データの撮影時間がいかに短時間であっても動画データを選択する。短時間動画無視モードが選択されると、ＣＰＵ１０４は、総撮影時間が所定時間に満たない動画データを選択しない。また、ＣＰＵ１０４は、実施の形態で説明した動画編集処理や静止画編集処理の結果、残りの撮影時間が所定時間に満たない動画データについても選択しない。すなわち、表示される時間の短い動画は、ＣＰＵ１０４によりモニタ１０５に表示されない。なお、短時間動画無視モードにおける所定時間は、ユーザによりメニュー画面から設定可能とする。【０３１２】
（２）動画編集処理や静止画編集処理において、ＣＰＵ１０４は、モニタ１０５に表示される複数の画像が切り替わる際に、効果音を生成してスピーカ１０６から再生してもよい。画像の切替に応じて効果音を再生させるか否かは、モニタ１０５のメニュー画面からユーザにより設定されるものとする。【０３１３】
（３）動画編集処理の切替表示モードに短時間動画優先モードを加えてもよい。この場合、短時間動画優先モードにおいても、組合せ表示モードと一方のみ表示モードとを有するものとする。なお、短時間動画優先モードを備える場合は、図３（ａ）のメニュー画面に「短時間動画優先モード」のチェックボックスを設けて、ユーザ操作により選択可能とすればよい。以下、組合せ表示モードと一方のみ表示モードについてそれぞれ説明する。【０３１４】
（３−１）組合せ表示モード
図３３を参照しながら、短時間動画優先モードの組合せ表示モードについて説明する。ＣＰＵ１０４は、同一時間帯で重複する複数の動画データの中から、撮影時間の短い動画データを検索し、その撮影時刻になると、その動画データに選択を切り替える。なお、以下の説明では、実施の形態の場合と同様に、撮影開始時刻、撮影終了時刻および撮影時間長の情報が記録されているものとする。【０３１５】
図３３（ａ）は、図7（ａ）の場合と同様に、動画データＡ以外に同一時間帯で重複する他の動画データが存在しない場合を示す。この場合、ＣＰＵ１０４により動画データＡが選択され、動画データＡに対応する動画Ａがモニタ１０５に再生表示される。【０３１６】
図３３（ｂ）に示す例は、動画データＡおよびＢのそれぞれの撮影開始時刻と撮影時間長は、図7（ｂ）に示す例と同様であるものとする。時刻ｔ１では、図7（ｂ）に示す場合と同様に、ＣＰＵ１０４により動画データＢが選択される。動画データＡの撮影開始時刻ｔ２となると、ＣＰＵ１０４は、動画データＡと動画データＢのタグ情報における撮影時間長を比較する。比較の結果、動画データＡの撮影時間長の方が短いので、ＣＰＵ１０４により動画データＡが選択される。時刻ｔ３〜ｔ４では、画像データＢのみが存在するので、ＣＰＵ１０４により動画データＢが選択される。したがって、時刻ｔ１〜ｔ２は動画データＢａに対応する動画Ｂａが表示され、時刻ｔ２〜ｔ３は動画データＡに対応する動画Ａが表示され、時刻ｔ３〜ｔ４は動画データＢｃに対応する画像Ｂｃが表示される。【０３１７】
図３３（ｃ）に示す例では、動画データＡおよびＢのそれぞれの撮影開始時刻と撮影時間長は、図7（ｃ）に示す例と同様であるものとする。時刻ｔ１では動画データＡがＣＰＵ１０４により選択される。時刻ｔ２〜ｔ３の間では、動画データＡとＢが重複する。ＣＰＵ１０４は、上述したようにして動画データＡと動画データＢの撮影時間長を比較し、動画データＢの撮影時間長の方が短いので、動画データＢが動画データＡに優先してＣＰＵ１０４により選択される。以後、ＣＰＵ１０４による動画データＢの選択が、時刻ｔ４まで継続して行われる。【０３１８】
図３３（ｄ）に示す例では、動画データＡ１、Ａ２、およびＢのそれぞれの撮影時刻と撮影時間長は、図７（ｄ）の場合と同様とする。時刻ｔ１で、ＣＰＵ１０４により動画データＡ１が選択される。動画データＢの撮影開始時刻ｔ２になると、ＣＰＵ１０４は動画データＡ１と動画データＢの撮影時間長を比較する。比較の結果、ＣＰＵ１０４により撮影時間長の短い動画データＡ１が選択される。時刻ｔ３〜ｔ４の間は、動画データＢ以外に重複する他の動画データが存在しないので、ＣＰＵ１０４により動画データＢが選択される。【０３１９】
動画データＡ２の撮影開始時刻ｔ４になると、ＣＰＵ１０４は動画データＡ２と動画データＢの撮影時間長を比較する。比較の結果、ＣＰＵ１０４により動画データＡ２よりも撮影時間長の短い動画データＢが選択される。時刻ｔ５〜ｔ６では、画像データＡ２のみが存在するので、ＣＰＵ１０４により動画データＡ２が選択される。したがって、時刻ｔ１〜ｔ３は動画データＡ１に対応する動画Ａ１が表示され、時刻ｔ３〜ｔ４は動画データＢｂに対応する動画Ｂｂが表示され、時刻ｔ４〜ｔ５は動画データＢｃに対応する動画Ｂｃが表示され、時刻ｔ５〜ｔ６は動画データＡ２に対応する動画Ａ２ｂが表示される。【０３２０】
図３３（ｅ）に示す例では、動画データＡ、Ｂ、およびＣのそれぞれの撮影時刻と撮影時間長は、図７（ｅ）の場合と同様とする。この場合、時刻ｔ１で、ＣＰＵ１０４により動画データＢが選択される。動画データＣの撮影開始時刻ｔ２において、ＣＰＵ１０４により動画データＢと動画データＣの撮影時間長が比較される。比較の結果、ＣＰＵ１０４により動画データＣよりも撮影時間長の短い動画データＢが選択される。【０３２１】
動画データＡの撮影開始時刻ｔ３において、ＣＰＵ１０４により動画データＡ、動画データＢ、および動画データＣの撮影時間長が比較される。比較の結果、ＣＰＵ１０４により、撮影時間長が最短である動画データＡが選択される。動画データＡの撮影終了時刻時刻ｔ４においては、ＣＰＵ１０４により動画データＢと動画データＣの撮影時間長が比較される。比較の結果、ＣＰＵ１０４により撮影時間長の短い動画データＢが選択される。時刻ｔ５以降は、動画データＣに重複する他の動画データが存在しないので、ＣＰＵ１０４は時刻ｔ５〜ｔ６の間は、動画データＣを選択する。したがって、時刻ｔ１〜ｔ３の間は動画データＢに対応する動画Ｂが表示され、時刻ｔ３〜ｔ４の間は動画データＡに対応する動画Ａが表示され、時刻ｔ４〜ｔ５の間は動画データＢｄに対応する動画Ｂｄが表示され、時刻ｔ５〜ｔ６の間は動画データＣｄに対応する動画Ｃｄが表示される。【０３２２】
図３３（ｆ）に示す例では、動画データＡ、Ｂ、およびＣのそれぞれの撮影時刻と撮影時間長は、図７（ｆ）の場合と同様とする。時刻ｔ１で、ＣＰＵ１０４により動画データＢが選択される。動画データＣの撮影開始時刻ｔ２において、ＣＰＵ１０４により動画データＢと動画データＣの撮影時間長が比較される。比較の結果、ＣＰＵ１０４により動画データＢよりも撮影時間長の短い動画データＣが選択される。動画データＡの撮影開始時刻ｔ３においては、図３３（ｅ）の場合と同様に、ＣＰＵ１０４により動画データＡが選択される。【０３２３】
動画データＡの撮影終了時刻ｔ４においては、ＣＰＵ１０４により動画データＢと動画データＣの撮影時間長が比較される。比較の結果、ＣＰＵ１０４により撮影時間長の短い動画データＣが選択される。時刻ｔ５以降は、動画データＢに重複する他の動画データが存在しないので、ＣＰＵ１０４は時刻ｔ５〜ｔ６の間は、動画データＢを選択する。したがって、時刻ｔ１〜ｔ２の間は動画データＢａに対応する動画Ｂａが表示され、時刻ｔ２〜ｔ３の間は動画データＣａに対応する動画Ｃａが表示され、時刻ｔ３〜ｔ４の間は動画データＡに対応する動画Ａが表示され、時刻ｔ４〜ｔ５の間は動画データＣｃに対応する動画Ｃｃが表示され、時刻ｔ５〜ｔ６の間は動画データＢｅに対応する動画Ｂｅが表示される。【０３２４】
（３−２）一方のみ表示モード
図３４を参照しながら、短時間動画優先モードにおける一方のみ表示モードが設定された場合について説明する。この場合、同一時間帯で複数の動画データが重複している場合、ＣＰＵ１０４は撮影時間長が最短の動画データのみを選択して、その他の動画データは再生表示されない。【０３２５】
図３４（ａ）は、図８（ａ）の場合と同様に、動画データＡ以外に同一時間帯で重複する他の動画データが存在しない場合を示す。この場合、ＣＰＵ１０４により動画データＡが選択され、動画データＡに対応する動画Ａがモニタ１０５に再生表示される。【０３２６】
図３４（ｂ）は、動画データＡおよびＢのそれぞれの撮影開始時刻と撮影時間長は、図８（ｂ）に示す例と同様であるものとする。ＣＰＵ１０４は、同一時間帯において重複する動画データＡとＢの撮影時間長を比較する。比較の結果、ＣＰＵ１０４により撮影時間長が最短である動画データＡが選択される。したがって、時刻ｔ１でＣＰＵ１０４により動画データＢは選択されない。動画データＡの撮影開始時刻ｔ２になると、ＣＰＵ１０４により動画データＡが選択される。これ以後、ＣＰＵ１０４による動画データＡの選択が時刻ｔ３まで継続される。図３４（ｂ）は一方のみ表示モードが設定されている一例であり、図３３（ｂ）における組合せ表示モードの場合とは異なり、時刻ｔ３でＣＰＵ１０４により動画データＢが選択されることはない。すなわち、ＣＰＵ１０４により動画データＢは選択されない。【０３２７】
図３４（ｃ）に示す例では、動画データＡおよびＢのそれぞれの撮影開始時刻と撮影時間長は、図８（ｃ）に示す例と同様であるものとする。ＣＰＵ１０４は、同一時間帯において重複する動画データＡとＢの撮影時間長を比較する。比較の結果、ＣＰＵ１０４により撮影時間長が最短である動画データＢが選択される。したがって、動画データＡの撮影開始時刻ｔ１において、ＣＰＵ１０４により動画データＡは選択されない。動画データＢの撮影開始時刻ｔ２になると、ＣＰＵ１０４により動画データＢが選択される。これ以後、ＣＰＵ１０４により動画データＢの選択が時刻ｔ４まで継続される。すなわち、ＣＰＵ１０４により動画データＡは選択されない。【０３２８】
図３４（ｄ）に示す例では、動画データＡ１、Ａ２、およびＢのそれぞれの撮影時刻と撮影時間長は、図８（ｄ）の場合と同様とする。ＣＰＵ１０４は、同一時間帯において重複する動画データＡ１、Ａ２、およびＢの撮影時間長を比較する。比較の結果、ＣＰＵ１０４により撮影時間長が最短である動画データＡ１が選択される。すなわち、時刻ｔ１〜ｔ２３の間において、ＣＰＵ１０４により動画データＡ１が選択されるのみである。つまり、撮影時間長の長い動画データＡ２およびＢは、ＣＰＵ１０４により選択されない。【０３２９】
図３４（ｅ）に示す例では、動画データＡ、Ｂ、およびＣのそれぞれの撮影時刻と撮影時間長は、図８（ｅ）の場合と同様とする。この場合も、ＣＰＵ１０４は、動画データＡ、Ｂ、およびＣの撮影時間長を比較する。比較の結果、撮影時間長が最短の動画データＡがＣＰＵ１０４により選択される。したがって、動画データＢの撮影開始時刻ｔ１において、ＣＰＵ１０４により動画データＢは選択されない。同様に、動画データＣの撮影開始時刻ｔ２においても、ＣＰＵ１０４により動画データＣは選択されない。動画データＡの撮影開始時刻ｔ３になると、ＣＰＵ１０４により動画データＡが選択される。ＣＰＵ１０４による動画データＡの選択は時刻ｔ４まで継続される。時刻ｔ４以降は、画像データＢおよびＣのいずれもＣＰＵ１０４により選択されることはない。すなわち、撮影時間長の長い動画データＢおよびＣは、ＣＰＵ１０４により選択されない。【０３３０】
図３４（ｆ）に示す例では、動画データＡ、Ｂ、およびＣのそれぞれの撮影時刻と撮影時間長は、図８（ｆ）の場合と同様とする。ＣＰＵ１０４は、同一時間帯において重複する動画データＡ、Ｂ、およびＣの撮影時間長を比較する。比較の結果、撮影時間長が最短の動画データＡがＣＰＵ１０４により選択される。したがって、図３４（ｅ）に示す例と同様に、時刻ｔ３〜ｔ４の間で、動画データＡがＣＰＵ１０４により選択される。すなわち、撮影時間長の長い動画データＢおよびＣは、ＣＰＵ１０４により選択されない。【０３３１】
以上で説明したように、編集モードの一つとして短時間動画優先モードを設けると、ＣＰＵ１０４は、抽出した複数の画像データの中から、撮影時間長が最短となる画像データを選択する。したがって、ユーザが、短時間の動画像を用いてめりはりのあるスライドショーを作成する場合に好適である。なお、上記の短時間動画優先モードに加えて静止画同時編集モードの静止画同時刻挿入モードを選択することによって、実施の形態において図１７、図１８を参照して説明した場合と同様に、動画と静止画とを用いた編集が行うことができる。この場合、ＣＰＵ１０４は、静止画を、図１７および図１８における時間ｔｓの動画として扱い、重複する動画と撮影時間長の長短を比較して、優先して表示する画像を決定する。【０３３２】
（４）動画編集処理の切替表示モードにおけるシーン開始優先モードにおいて、撮影開始時刻が後である動画を優先するものに代えて、撮影開始時刻が前である動画を優先させてもよい。この場合について、図３５を用いて具体的に説明する。【０３３３】
図３５（ａ）は、図９（ａ）の場合と同様に、動画データＡ以外に同一時間帯で重複する他の動画データが存在しない場合を示す。この場合、ＣＰＵ１０４により動画データＡが選択され、動画データＡに対応する動画Ａがモニタ１０５に再生表示される。【０３３４】
図３５（ｂ）に示す例では、動画データＡおよびＢのそれぞれの撮影開始時刻と撮影時間長は、図９（ｂ）に示す例と同様であるものとする。ＣＰＵ１０４は、動画データＡと動画データＢの撮影開始時刻を比較する。比較の結果、動画データＢの撮影開始時刻の方が動画データＡの撮影開始時刻よりも前なので、動画データＢがＣＰＵ１０４により選択される。すなわち、時刻ｔ１〜ｔ４の間、動画データＢがＣＰＵ１０４により選択される。動画データＢよりも撮影開始時刻が遅い動画データＡはＣＰＵ１０４により選択されない。【０３３５】
図３５（ｃ）に示す例では、動画データＡおよびＢのそれぞれの撮影開始時刻と撮影時間長は、図９（ｃ）に示す例と同様であるものとする。ＣＰＵ１０４は、動画データＡと動画データＢの撮影開始時刻を比較する。比較の結果、動画データＡの撮影開始時刻の方が動画データＢの撮影開始時刻よりも前なので、動画データＡがＣＰＵ１０４により選択される。すなわち、時刻ｔ１〜ｔ３の間は、動画データＡがＣＰＵ１０４により選択される。動画データＡの撮影終了時刻である時刻ｔ３においては、動画データＢがＣＰＵ１０４により選択される。したがって、時刻ｔ１〜ｔ３の間はＣＰＵ１０４により動画データＡに対応する動画Ａが表示され、時刻ｔ３〜ｔ４の間は動画データＢｂに対応する画像Ｂｂが表示される。【０３３６】
図３５（ｄ）に示す例では、動画データＡおよびＢのそれぞれの撮影開始時刻と撮影時間長は、図９（ｄ）に示す例と同様であるものとする。この場合は、動画データＡと動画データＢとが重複しないので、図９（ｄ）と同様に、それぞれの動画データに対応する動画が連続画像として編集される。【０３３７】
図３５（ｅ）に示す例では、動画データＡ、Ｂ、およびＣのそれぞれの撮影時刻と撮影時間長は、図９（ｅ）の場合と同様とする。ＣＰＵ１０４は、動画データＡ、Ｂ、およびＣの撮影開始時刻を比較する。比較の結果、撮影開始時刻が最も前である動画データＢがＣＰＵ１０４により選択される。すなわち、時刻ｔ１〜ｔ５までの間、動画データＢがＣＰＵ１０４により選択される。時刻ｔ５以降は、動画データＣの他に動画データが存在しないので、動画データＣがＣＰＵ１０４により選択される。したがって、時刻ｔ１〜ｔ５の間は動画データＢに対応する動画Ｂが表示され、時刻ｔ５〜ｔ６の間は動画データＣｄに対応する動画Ｃｄが表示される。【０３３８】
図３５（ｆ）に示す例では、動画データＡ、Ｂ、およびＣのそれぞれの撮影時刻と撮影時間長は、図９（ｆ）の場合と同様とする。ＣＰＵ１０４は、動画データＡ、Ｂ、およびＣの撮影開始時刻を比較する。比較の結果、撮影開始時刻が最も前である動画データＢがＣＰＵ１０４により選択される。すなわち、時刻ｔ１〜ｔ６までの間、動画データＢがＣＰＵ１０４により選択される。したがって、動画データＡおよびＣはＣＰＵ１０４により選択されない。【０３３９】
図３５（ｇ）に示す例では、動画データＡ、Ｂ、およびＣのそれぞれの撮影時刻と撮影時間長は、図９（ｇ）の場合と同様とする。動画データＡは、動画データＢおよびＣのいずれとも重複していないので、図９（ｇ）に示す場合と同様に、時刻ｔ１〜ｔ２までは動画データＡがＣＰＵ１０４により選択される。時刻ｔ３以降は、ＣＰＵ１０４は、重複する動画データＢおよびＣの撮影開始時刻を比較する。比較の結果、撮影開始時刻が前の動画データＣがＣＰＵ１０４により選択される。時刻ｔ５で動画データＣの撮影終了時刻になると、動画データＢがＣＰＵ１０４により選択される。動画データＢのＣＰＵ１０４による選択は、動画データＢの撮影終了時刻ｔ６まで継続される。なお、図９（ｇ）の場合と同様に、動画データＡ〜Ｃは、ＣＰＵ１０４により動画Ｃが動画Ａに連続して表示されるように編集される。【０３４０】
上述のような構成とすることにより、まだ編集途中の動画から異なる動画へ切り替わるという編集上の不具合を防ぐことができる。なお、上記のシーン開始優先モードに加えて静止画同時編集モードの静止画同時刻挿入モードを選択することによって、実施の形態において図１９を参照して説明した場合と同様に、動画と静止画とを用いた編集が行うことができる。【０３４１】
以上説明した画像編集装置では次のプログラム（１）〜（２４）をそれぞれ単独で搭載し、もしくは組み合わせて搭載し、ＣＰＵ１０４で実行することができる。【０３４２】
（１）複数のカメラで撮影して取得した複数の画像データを読み込む読込処理と、上記読み込まれた複数の画像データの中から、撮影日時が同一時間帯に重複する画像データを抽出し、抽出された上記複数の画像データを編集して再生用データを作成する編集処理とをコンピュータで実行する画像処理プログラム。【０３４３】
（２）上記（１）の画像処理プログラムにおいて、操作部材から出力される選択指令に応じて、複数の編集モードからいずれか一つの編集モードを選択する選択処理をさらに備え、上記編集処理は、上記選択処理で選択された編集モードで上記画像データを編集して上記再生用データを作成する画像処理プログラム。【０３４４】
（３）上記（１）の画像処理プログラムにおいて、上記編集処理は、抽出された複数の画像データから一つの画像データを選択画像データとして選択する画像データ選択処理と、上記選択画像データに基づいて一つの画像を１画面表示するように再生用データを作成する再生用データ作成処理とを含む画像処理プログラム。【０３４５】
（４）上記（３）の画像処理プログラムにおいて、上記複数のカメラには優先順位が付与されており、上記画像データ選択処理は、抽出された複数の画像データの中から、最も高い優先順位のカメラで取得した画像データを上記選択画像データとして選択する画像処理プログラム。【０３４６】
（５）上記（３）の画像処理プログラムにおいて、上記画像データ選択処理は、動画データと静止画データとが抽出された場合、上記静止画データを上記選択画像データとして選択する画像処理プログラム。【０３４７】
（６）上記（３）の画像処理プログラムにおいて、上記画像データ選択処理は、動画データと静止画データとが抽出された場合、上記動画データを上記選択画像データとして選択する画像処理プログラム。【０３４８】
（７）上記（３）の画像処理プログラムにおいて、上記画像データ選択処理は、再生時間が最長となる動画データを上記選択画像データとして選択する画像処理プログラム。【０３４９】
（８）上記（３）の画像処理プログラムにおいて、上記画像データ選択処理は、再生時間長が最短となる動画データを上記選択画像データとして選択する画像処理プログラム。【０３５０】
（９）上記（３）の画像処理プログラムにおいて、上記画像データ選択処理は、抽出された上記複数の画像データのうち撮影開始時間が最も後の時刻である画像データを上記選択画像データとして選択する画像処理プログラム。【０３５１】
（１０）上記（３）の画像処理プログラムにおいて、上記画像データ選択処理は、抽出された複数の画像データのうち、撮影開始時刻が最も前の時刻である画像データを上記選択画像データとして選択する画像処理プログラム。【０３５２】
（１１）上記（３）の画像処理プログラムにおいて、画像データ選択手段は、抽出された上記複数の画像データに基づいて、上記撮影日時の同一時間帯の第１時間帯については抽出された上記複数の画像データの１つである第１画像データを選択し、上記撮影日時の同一時間帯の中で第１時間帯と異なる第２時間帯については抽出された上記複数の画像データの中から上記第１画像データと異なる第２画像データを選択する画像処理プログラム。【０３５３】
（１２）上記（１）の画像処理プログラムにおいて、上記複数の画像データに優先順位を付与する順位付与処理をさらに有し、上記再生用データは、抽出された上記複数の画像データに対応する画像を表示モニタに大小２画面表示する再生用データであり、上記編集処理は、高い優先順位が付与された画像データに対応する画像を大画面表示領域に表示し、低い優先順位が付与された画像データに対応する画像を小画面表示領域に表示するように再生用データを作成する画像処理プログラム。【０３５４】
（１３）上記（１２）の画像処理プログラムにおいて、異なる優先順位が付与された複数のカメラにより撮像して取得した複数の画像データに対して、順位付与処理は、高い優先順位が付与されたカメラで撮影した画像データには高い優先順位を付与し、低い優先順位が付与されたカメラで撮影した画像データには低い優先順位を付与する画像処理プログラム。【０３５５】
（１４）上記（１３）の画像処理プログラムにおいて、上記編集処理は、上記優先順位の低いカメラにより撮影された上記優先順位の低い画像データに対応する画像であっても、上記優先順位の高いカメラにより撮影された上記優先順位の高い画像データに対応する画像と撮影日時が重複しない画像は、当該画像を上記大画面表示領域に表示するように前記再生用データを作成する画像処理プログラム。【０３５６】
（１５）上記（１）の画像処理プログラムにおいて、上記複数の画像データに優先順位を付与する順位付与処理と、動画優先モードと静止画優先モードのいずれか一方を設定するモード設定処理とをさらに有し、上記再生用データは、抽出された上記複数の画像データに対応する画像を表示モニタに大小２画面表示する再生用データであり、動画優先モードが設定されている場合、上記編集処理により抽出された複数の画像データの一方が動画、他方が静止画のとき、上記順位付与処理は、上記動画の画像データに高い優先順位を付与し、上記静止画の画像データに低い優先順位を付与し、上記編集処理は、高い優先順位が付与された画像データに対応する動画を大画面表示領域に表示し、低い優先順位が付与された画像データに対応する静止画を小画面表示領域に表示するように再生用データを作成する画像処理プログラム。【０３５７】
（１６）上記（１）の画像処理プログラムにおいて、上記複数の画像データに優先順位を付与する順位付与処理と、動画優先モードと静止画優先モードのいずれか一方を設定するモード設定処理をさらに有し、上記再生用データは、抽出された上記複数の画像データに対応する画像を表示モニタに大小２画面表示する再生用データであり、静止画優先モードが設定されている場合、上記編集処理により抽出された複数の画像データの一方が動画、他方が静止画のとき、上記順位付与処理は、上記静止画の画像データに高い優先順位を付与し、上記動画の画像データに低い優先順位を付与し、上記編集処理は、高い優先順位が付与された画像データに対応する静止画を大画面表示領域に表示し、低い優先順位が付与された画像データに対応する動画を小画面表示領域に表示するように再生用データを作成する画像処理プログラム。【０３５８】
（１７）上記（１）の画像処理プログラムにおいて、上記複数の画像データに優先順位を付与する順位付与処理をさらに有し、上記編集処理は、抽出された上記複数の画像データの撮影開始時刻を比較する処理を含み、上記再生用データは、抽出された上記複数の画像データに対応する画像を表示モニタに大小２画面表示する再生用データであり、上記順位付与処理は、撮影開始時刻の比較結果に基づいて遅い撮影開始時刻を有する画像データに高い優先順位を付与し、早い撮影開始時刻を有する画像データに低い優先順位を付与し、上記編集処理は、高い優先順位が付与された遅い撮影開始時刻を有する画像データに対応する画像を大画面表示領域に表示し、低い優先順位が付与された早い撮影開始時刻を有する画像データに対応する画像を小画面表示領域に表示するように再生用データを作成する画像処理プログラム。【０３５９】
（１８）上記（１）の画像処理プログラムにおいて、上記編集処理は、動画データと複数の静止画データが抽出された場合、上記動画データに対応する画像の再生開始時間前または再生終了時刻後に上記複数の静止画データに対応する画像を表示するように上記再生用データを作成する画像処理プログラム。【０３６０】
（１９）上記（１）の画像処理プログラムにおいて、上記編集処理は、上記読込処理で読み込んだ離散的な複数の動画データを纏めて連続した一つの番組とする処理をさらに含み、上記番組編集処理前の上記複数の動画データと撮影日時が同一時間帯に重複する複数の静止画データを抽出するとともに、上記番組の再生開始時間前または再生終了時刻後に上記抽出された複数の静止画データに対応する画像を表示するように上記再生用データを作成する画像処理プログラム。【０３６１】
（２０）上記（１）の画像処理プログラムにおいて、上記編集処理は、静止画データと音声付動画データとが抽出された場合、上記静止画データに対応する画像を表示するとともに、上記音声付き動画データに対応する音声を再生するように上記再生用データを作成する画像処理プログラム。【０３６２】
（２１）上記（１７）の画像処理プログラムにおいて、上記静止画データに対応する画像の表示中に出力する音声は、ユーザが指定したカメラで撮影された音声付き動画データに対応する音声である画像処理プログラム。【０３６３】
（２２）上記（１）の画像処理プログラムにおいて、上記編集処理は、音声付動画データと静止画データとが抽出された場合、上記静止画データに対応する画像を表示する際、上記静止画データに対応する画像の表示開始直前に再生していた上記音声付き動画データに対応する音声を再生するように上記再生用データを作成する画像処理プログラム。【０３６４】
（２３）上記（１）の画像処理プログラムにおいて、上記編集処理は、音声付き静止画データと動画データとが抽出された場合、上記動画データに対応する画像を表示する際に上記音声付き静止画データに対応する音声を再生するように上記再生用データを作成する画像処理プログラム。【０３６５】
（２４）上記（１）の画像処理プログラムにおいて、上記編集処理は、上記複数の画像の表示の切り換わり時に効果音を生成して再生するように上記再生用データを作成する画像処理プログラム。【０３６６】
プログラムのバージョンアップ時などにおいて、インターネット経由や可搬記録媒体を介して既存のユーザに対するサポートを実施する場合もあり得る。したがって、上記プログラムは、そのようなバージョンアップ用のソフトウエアに対しても適用できる。【０３６７】
また、パーソナルコンピュータなどに適用する場合、上述した制御に関するプログラムは、ＣＤ−ＲＯＭなどの記録媒体やインターネットなどのデータ信号を通じて提供することができる。図３６はその様子を示す図である。パーソナルコンピュータ４００は、ＣＤ−ＲＯＭ４０４を介してプログラムの提供を受ける。また、パーソナルコンピュータ４００は通信回線４０１との接続機能を有する。コンピュータ４０２は上記プログラムを提供するサーバーコンピュータであり、ハードディスク４０３などの記録媒体にプログラムを格納する。通信回線４０１は、インターネット、パソコン通信などの通信回線、あるいは専用通信回線などである。コンピュータ４０２はハードディスク４０３を使用してプログラムを読み出し、通信回線４０１を介してプログラムをパーソナルコンピュータ４００に送信する。すなわち、プログラムをデータ信号として搬送波により搬送して、通信回線４０１を介して送信する。このように、プログラムは、記録媒体や搬送波などの種々の形態のコンピュータ読み込み可能なコンピュータプログラム製品として供給できる。【０３６８】
また、本発明の特徴を損なわない限り、本発明は上記実施の形態に限定されるものではなく、本発明の技術的思想の範囲内で考えられるその他の形態についても、本発明の範囲内に含まれる。【０３６９】
次の優先権基礎出願の開示内容は引用文としてここに組み込まれる。
日本国特許出願２００６年第２７６１８９号（２００６年１０月１０日）
【図１】
2008047643.tif 000003
【図２】
2008047643.tif 000004
【図３】
2008047643.tif 000005
【図４】
2008047643.tif 000006
【図５】
2008047643.tif 000007
【図６】
2008047643.tif 000008
【図７】
2008047643.tif 000009
【図８】
2008047643.tif 000010
【図９】
2008047643.tif 000011
【図１０】
2008047643.tif 000012
【図１１】
2008047643.tif 000013
【図１２】
2008047643.tif 000014
【図１３】
2008047643.tif 000015
【図１４】
2008047643.tif 000016
【図１５】
2008047643.tif 000017
【図１６】
2008047643.tif 000018
【図１７】
2008047643.tif 000019
【図１８】
2008047643.tif 000020
【図１９】
2008047643.tif 000021
【図２０】
2008047643.tif 000022
【図２１】
2008047643.tif 000023
【図２２】
2008047643.tif 000024
【図２３】
2008047643.tif 000025
【図２４】
2008047643.tif 000026
【図２５】
2008047643.tif 000027
【図２６】
2008047643.tif 000028
【図２７】
2008047643.tif 000029
【図２８】
2008047643.tif 000030
【図２９】
2008047643.tif 000031
【図３０】
2008047643.tif 000032
【図３１】
2008047643.tif 000033
【図３２】
2008047643.tif 000034
【図３３】
2008047643.tif 000035
【図３４】
2008047643.tif 000036
【図３５】
2008047643.tif 000037
【図３６】
2008047643.tif 000038
【国際調査報告】
2008047643.tif 000039
2008047643.tif 000040
2008047643.tif 000041
2008047643.tif 000042